(57)【要約】  ネットワークに番組視聴装置及び複数の録画装置が接続されるシステムにおいて、録画装置の選択を容易にする番組視聴装置３１は、チューナ１０１と、チューナ１０１から出力される番組表情報を記憶するための番組情報記憶部１２１と、録画装置と送受信を行なうためのＩＰ通信部１０２と、録画装置を選定する処理を行なうための処理部１１０とを含む。ユーザが視聴中番組の録画を指示すると、処理部１１０は、番組情報記憶部１２１から読出した当該番組情報を検索要求とともに録画装置３２等に送信する。受信した番組情報と録画履歴との間に所定の類似関係があった場合、録画装置３２等は番組視聴装置３１に当該録画装置が当該番組の録画に適している旨を通知する。この通知に基づき、番組視聴装置３１は、当該番組録画に最適な録画装置を選択する。
2009107560.tif 000002
【特許請求の範囲】
【請求項１】
録画装置が接続されるネットワークに接続される録画要求装置であって、
特定の番組に関する番組情報を取得するための番組情報取得手段と、
前記ネットワークに接続される録画装置を検出するための録画装置検出手段と、
前記録画装置検出手段により検出される録画装置に、前記番組情報取得手段によって取得される番組情報に関する検索要求を、前記ネットワークを介して送信するための検索要求送信手段とを含み、
前記検索要求送信手段からの前記検索要求に応答して送信された、前記録画装置からの通知に基づき、前記番組を録画する録画装置を選定するための録画装置選定手段と、
前記録画装置選定手段により選定された録画装置に前記番組の録画に関する録画要求を送信するための録画要求送信手段とを含む、録画要求装置。
【請求項２】
前記録画要求装置はさらに、番組情報を含む番組表情報を取得するための番組表情報取得手段を含み、
前記番組情報取得手段は、前記番組表情報取得手段によって取得された番組表情報に含まれる番組情報を取得するための手段を含む、請求項１に記載の録画要求装置。
【請求項３】
前記番組表情報取得手段は、前記ネットワークを介して、番組表情報を記憶するサーバ装置から、当該番組表情報を取得するための手段を含む、請求項２に記載の録画要求装置。
【請求項４】
放送信号を受信し、前記放送信号に含まれる番組表情報を処理して出力する処理を行なうための放送信号処理手段と、
前記放送信号処理手段から出力される番組表情報を記憶するための番組表情報記憶手段とをさらに含む、請求項２に記載の録画要求装置。
【請求項５】
前記番組表情報取得手段は、前記番組情報記憶手段に記憶されている番組表情報を取得するための手段を含む、請求項４に記載の録画要求装置。
【請求項６】
前記放送信号は、ＲＦ信号であり、
前記放送信号処理手段は、ＲＦ信号を受信し、当該ＲＦ信号に含まれる番組表情報を処理して出力する処理を行なうための手段を含む、請求項４に記載の録画要求装置。
【請求項７】
前記放送信号は、ＩＰマルチキャスト放送によるストリーミングデータであり、
前記放送信号処理手段は、ストリーミングデータを受信し、当該ストリーミングデータに含まれる番組表情報を処理して出力する処理を行なうための手段を含む、請求項４に記載の録画要求装置。
【請求項８】
ユーザ指示により、前記放送信号処理手段からの出力を受けて前記映像信号、又は、前記番組表情報記憶手段から読出した番組表情報、若しくはその双方を表示するための表示手段をさらに含む、請求項４に記載の録画要求装置。
【請求項９】
前記検索要求送信手段は、前記番組表情報記憶手段に記憶される番組表情報のうち、ユーザが録画を指示し、前記表示手段にその映像信号を出力中である番組に関する情報を取得し、前記録画装置検出手段により検出される録画装置に、前記番組に関する検索要求を、前記ネットワークを介して送信するための手段を含む、請求項８に記載の録画要求装置。
【請求項１０】
前記検索要求送信手段は、前記番組表情報記憶手段に検出される番組表情報のうち、前記表示手段により出力中の番組表からユーザが選択した番組に関する情報を取得し、前記録画装置検出手段により検出される録画装置に、前記番組に関する検索要求を前記ネットワークを介して送信するための手段を含む、請求項８に記載の録画要求装置。
【請求項１１】
前記録画装置選定手段は、
前記番組の録画を実行する旨を通知する録画装置がなく、かつ、前記番組の録画に適している旨を通知する録画装置があった場合、当該録画装置が１台であるか否かを判定するための第１の判定手段と、
前記第１の判定手段により当該録画装置が１台ではないと判定された場合、前記表示手段に当該録画装置の情報を表示し、ユーザ選択を受けるための選択手段とを含む、請求項８に記載の録画要求装置。
【請求項１２】
前記録画装置選定手段はさらに、前記番組の録画を実行する旨を通知する録画装置がなく、かつ、前記番組の録画に適している旨を通知する録画装置がない場合、予め定められた録画装置からの通知に基づき、前記予め定められた録画装置により前記番組の録画が可能であるか否かを判定するための第２の判定手段を含む、請求項１１に記載の録画要求装置。
【請求項１３】
前記録画要求送信手段は、前記第１の判定手段により当該録画装置が１台であると判定された場合、及び、前記第２の判定手段により前記予め定められた録画装置により前記番組の録画が可能であると判定された場合、当該録画装置に前記番組の録画に関する要求を送信し、そうでない場合、前記選択手段により選択された録画装置に前記番組の録画に関する要求を送信するための手段を含む、請求項１２に記載の録画要求装置。
【請求項１４】
前記検索要求送信手段は、
ユーザからチャンネル切替指示を受けたことに応答して計時を開始し、所定の時間期間を経過しても新たなチャンネル切替指示が無い場合、前記表示手段によりその映像信号を出力中の番組を前記特定の番組として決定するための手段と、
前記番組表情報記憶手段に記憶される番組表情報のうち、前記番組に関する情報を取得し、前記録画装置検出手段に検出される録画装置に前記番組に関する検索要求を前記ネットワークを介して送信するための手段とを含む、請求項８に記載の録画要求装置。
【請求項１５】
前記録画要求装置はさらに、前記放送信号処理手段が放送信号を受信した際、当該放送信号中の番組表情報にその関連情報が含まれる複数の番組の各々について、当該番組を前記特定の番組として当該特定の番組に対する一連の動作を行なうよう、前記検索要求送信手段、及び前記録画装置選定手段を制御して、前記複数の番組の全てに対して当該番組を録画する録画装置を選定する処理を行なうための手段を含む、請求項４に記載の録画要求装置。
【請求項１６】
前記録画要求装置はさらに、
録画済番組に関する情報と、当該録画済番組を録画した録画装置の識別子とを関連付けて記憶するための録画履歴記憶手段と、
ユーザが前記特定の番組の録画を指示した場合、前記録画履歴記憶手段に記憶された情報から録画済番組に関する情報を取得するための手段とを含み、
前記番組に関する情報、及び、前記録画済番組に関する情報は、それぞれ、所定の属性の値を含み、
前記録画要求装置はさらに、
前記番組に関する情報と、前記録画済番組に関する情報とを比較し、前記番組に関する情報に含まれる前記所定の属性の値と、前記録画済番組に関する情報のいずれかに含まれる前記所定の属性の値とが、所定の類似関係を充足する場合、前記録画履歴記憶手段に当該録画済番組に関する情報と関連付けて記憶される識別子により示される録画装置が、前記番組の録画に適していると判定し、そうでない場合、前記検索要求送信手段に処理を実行させるための手段を含み、
前記録画装置選定手段は、
前記実行させるための手段の判定結果、及び、前記録画装置からの通知に基づき、前記番組を録画する録画装置を選定するための手段と、
前記録画装置からの通知、及び、前記録画要求送信手段が前記番組の録画に関する要求を送信したことに基づき、前記番組に関する情報と前記番組を録画する録画装置の識別子とを関連付けて前記録画履歴記憶手段に記憶するための手段とを含む、請求項１に記載の録画要求装置。
【請求項１７】
前記録画装置選定手段は、
前記検索要求送信手段からの前記検索要求に応答して送信された、前記録画装置からの通知に基づき、前記番組を録画する録画装置を選定し、選定された録画装置の識別子を前記番組に関する情報と関連付けて記憶するための手段と、
ユーザが前記番組の録画を指示した場合、前記番組に関する情報と関連付けて記憶された録画装置の識別子を前記記憶するための手段から読出し、前記識別子により識別される録画装置を、前記番組を録画する録画装置として選定するための手段とを含む、請求項１に記載の録画要求装置。
【請求項１８】
前記記憶するための手段は、
前記番組の録画を実行する旨を通知する録画装置がなく、かつ、前記番組の録画に適している旨を通知する録画装置があった場合、当該録画装置の識別子を前記番組に関する情報と関連付けて記憶するための第１の記憶手段と、
前記番組の録画を実行する旨を通知する録画装置がなく、かつ、前記番組の録画に適している旨を通知する録画装置がなかった場合、予め定められた録画装置からの通知に基づき、前記予め定められた録画装置により前記番組の録画が可能であるか否かを判定し、前記予め定められた録画装置により前記番組の録画が可能であると判定された場合、予め定められた録画装置の識別子を前記番組に関する情報と関連付けて記憶するための第２の記憶手段とを含み、
前記選定するための手段は、
ユーザが前記番組の録画を指示した場合、前記第１又は第２の記憶手段により前記番組に関する情報と関連付けて記憶された録画装置の識別子を読出すための手段と、
前記読出すための手段により読出された識別子が１つである場合、当該識別子により識別される録画装置を前記番組を録画する録画装置として選定するための第１の選定手段と、
前記読出すための手段により読出された識別子が複数である場合、当該識別子により識別される録画装置に関する情報をユーザに表示し、表示した録画装置のいずれかをユーザが選択した場合、当該録画装置を前記番組を録画する録画装置として選定するための第２の選定手段と、
前記第１又は第２の記憶手段により記憶される識別子が無い場合、ユーザにエラー表示を行なうための手段とを含む、請求項１７に記載の録画要求装置。
【請求項１９】
前記番組の録画に関する前記録画要求は、録画予約要求であることを特徴とする、請求項１に記載の録画要求装置。
【請求項２０】
前記番組情報取得手段は、他の装置から受信した電子メール、バーコードから抽出された情報、及びユーザによって入力された番組情報の識別子のいずれかから、番組情報を取得するための手段を含む、請求項１に記載の録画要求装置。
【請求項２１】
少なくとも１つの録画要求装置が接続されるネットワークに接続される録画装置であって、
前記録画要求装置は、特定の番組に関する情報を含む、前記番組に関する検索要求を前記録画装置に送信し、
前記録画装置は、
当該録画装置における録画履歴又は／及び録画予定を含む、録画情報を記憶するための録画情報記憶手段と、
前記録画要求装置から受信した前記検索要求によって特定される前記番組に関する情報と、前記録画情報記憶手段に記憶される前記録画情報とを比較し、比較の結果に応じて当該録画装置が前記番組の録画に適しているか否かを判定するための判定手段と、
前記検索要求を送信した録画要求装置に前記判定手段の判定結果に応じた通知を行なうための通知手段と、
前記録画要求装置から送信された前記番組の録画に関する要求に応答し、前記番組の録画に関する処理を実行するための録画処理実行手段とを含む、録画装置。
【請求項２２】
前記番組に関する情報は、前記番組の放映時間に関する情報を含み、
前記録画装置は、さらに、
前記録画要求装置から受信した前記検索要求に含まれる、前記番組に関する情報と、当該録画装置の稼動状態とを比較し、前記番組の放映時間において、当該録画装置が録画中であるか否かを判定するための第１の判定手段と、
前記第１の判定手段により、前記放映時間において当該録画装置が録画中であると判定された場合、前記放映時間において当該録画装置が録画する番組が、前記番組と同一であるか否かを判定するための第２の判定手段とを含む、請求項２１に記載の録画装置。
【請求項２３】
前記第２の判定手段により、前記放映時間において当該録画装置が録画する番組が、前記番組と同一であると判定された場合、当該録画装置において前記番組の録画を実行する旨を、そうでない場合、当該録画装置が前記放映時間において他の番組を録画中である旨を、検索要求を送信した録画要求装置に通知するための手段をさらに含む、請求項２２に記載の録画装置。
【請求項２４】
前記録画情報は、複数の録画済及び録画予定番組に関する情報を含み、
前記番組に関する情報、及び、前記各録画済及び録画予定番組に関する情報は、それぞれ、所定の属性の値を含み、
前記判定手段は、前記番組に関する情報と、前記録画情報記憶手段に記憶される前記各録画済及び録画予定番組に関する情報とを比較し、前記番組に関する情報に含まれる前記所定の属性の値と、前記各録画済及び録画予定番組に関する情報のいずれかに含まれる前記所定の属性の値とが、所定の類似関係を充足する場合、当該録画装置が前記番組の録画に適していると判定するための第１の判定手段を含む、請求項２１に記載の録画装置。
【請求項２５】
前記録画予定番組は、録画予約された録画予約番組を含み、
前記録画装置は、さらに、前記録画情報記憶手段に記憶される、前記各録画済及び前記各録画予約番組に関する情報に含まれる前記所定の属性の値に基づき、前記所定の属性に関する傾向を算出するための手段を含み、
前記第１の判定手段は、受信した前記検索要求に含まれる前記番組に関する情報と、前記録画情報記憶手段に記憶される前記各録画済及び録画予約番組に関する情報とを比較し、前記番組に関する情報に含まれる前記所定の属性の値と、前記各録画済及び録画予約番組に関する情報のいずれかに含まれる前記所定の属性の値とが、所定の類似関係を充足する場合、前記算出するための手段による前記所定の属性に関する傾向の算出結果にしたがって、当該録画装置が前記番組の録画に適しているか否かを判定するための第２の判定手段を含む、請求項２４に記載の録画装置。
【請求項２６】
前記録画装置は、さらに、
放送信号を受信し、前記放送信号に含まれる番組表情報を処理し、前記番組表情報を記憶するための番組表情報記憶手段と、
前記算出するための手段による算出結果による前記所定の属性に関する傾向の算出結果にしたがって、前記番組表情報記憶手段に記憶される番組表情報にその関連情報が含まれる番組の中から、ユーザに録画を推薦する推薦番組を抽出するための推薦番組抽出手段とを含み、
前記録画予定番組は、録画予約された録画予約番組及び前記推薦番組抽出手段により抽出された推薦番組を含み、
前記第１の判定手段は、さらに、前記推薦番組抽出手段により抽出された推薦番組のうちに前記番組と同一のものがあるか否かを判定し、前記推薦番組のうちに前記番組と同一のものがある場合、当該録画装置が前記番組の録画に適していると判定し、そうでない場合、前記第２の判定手段に処理を実行させるための手段をさらに含む、請求項２５に記載の録画装置。
【請求項２７】
前記通知手段は、前記第１の判定手段により、当該録画装置が前記番組の録画に適していると判定された場合、当該録画装置が前記番組の録画に適している旨を、そうでない場合、当該録画装置が前記番組の録画に適していない旨を、それぞれ、検索要求を送信した録画要求装置に通知するための手段を含む、請求項２４に記載の録画装置。
【請求項２８】
前記所定の属性の値は、単語を含む、請求項２４に記載の録画装置。
【請求項２９】
前記所定の属性の値は、番組のジャンルを示す単語列、キーワードを示す単語列、及び出演者を示す単語列のいずれか、又はそれらの任意の組合せを含む、請求項２４に記載の録画装置。
【請求項３０】
前記所定の属性の値をユーザの操作に応じて変更するための属性変更手段をさらに含む、請求項２４に記載の録画装置。
【請求項３１】
前記所定の類似関係に関する設定をユーザの操作に応じて変更するための類似関係設定変更手段をさらに含む、請求項２４に記載の録画装置。
【請求項３２】
前記録画情報は、複数の録画済及び録画予定番組に関する情報を含み、
前記判定手段は、
受信した前記検索要求によって特定される前記番組に関する情報と、前記各録画済及び録画予定番組に関する情報との類似度を計算するための類似度計算手段と、
前記類似度計算手段により計算された類似度のいずれかが、予め定められたしきい値以上である場合、当該録画装置が前記番組の録画に適していると判定するための第１の判定手段とを含む、請求項２１に記載の録画装置。
【請求項３３】
前記番組に関する情報、及び、前記各録画済及び録画予定番組に関する情報は、文字列を含む、請求項３２に記載の録画装置。
【請求項３４】
前記類似度計算手段による類似度の計算方法、及び前記予め定められたしきい値に関する設定をユーザの操作に応じて変更するための類似度設定変更手段をさらに含む、請求項３２に記載の録画装置。
【請求項３５】
録画装置が接続されるネットワークに接続される録画要求装置であって、
放送信号を受信し、指定されたチャンネルの放送信号に含まれる映像信号及び音声信号を復号して出力する処理、及び、前記放送信号に含まれる番組表情報を処理して出力する処理を行なうための放送信号処理手段と、
前記放送信号処理手段から出力される前記番組表情報を記憶するための番組表情報記憶手段と、
ユーザ指示により、前記放送信号処理手段からの出力を受けて前記映像信号、又は、前記番組表情報記憶手段から読出した番組表情報、若しくはその双方を表示するための表示手段と、
前記ネットワークに接続される録画装置を検出するための録画装置検出手段と、
前記番組表情報記憶手段に記憶される前記番組表情報のうち、特定の番組に関する情報を取得するための手段と、
前記録画装置検出手段により検出される録画装置に、録画情報に関する送信要求を前記ネットワークを介して送信するための録画情報送信要求手段とを含み、
前記録画情報は、当該録画装置における録画履歴及び録画予定を含み、
前記録画要求装置はさらに、
前記取得するための手段により取得された前記番組に関する情報と、前記録画情報送信要求手段からの送信要求に応答して前記録画装置から受信した、前記録画装置の各録画情報とを比較し、比較の結果に応じて前記番組を録画する録画装置を選定するための録画装置選定手段と、
前記録画装置選定手段により選定された録画装置に前記番組の録画に関する録画要求を送信するための録画要求送信手段とを含む、録画要求装置。
【請求項３６】
少なくとも１つの録画要求装置が接続されるネットワークに接続される録画装置であって、
当該録画装置における録画履歴又は／及び録画予定を含む、録画情報を記憶するための録画情報記憶手段と、
前記録画要求装置から送信された録画情報に関する送信要求に応答して、前記録画情報記憶手段に記憶された録画情報を送信するための手段と、
前記録画要求装置から送信された番組の録画に関する要求に応答し、前記番組の録画に関する処理を実行するための録画処理実行手段とを含む、録画装置。
【請求項３７】
ネットワークに接続される、少なくとも１つの録画要求装置、及び、複数の録画装置を含む、システムであって、
前記録画要求装置は、
放送信号を受信し、指定されたチャンネルの放送信号に含まれる映像信号及び音声信号を復号して出力する処理、及び、前記放送信号に含まれる番組表情報を処理して出力する処理を行なうための放送信号処理手段と、
前記放送信号処理手段から出力される番組表情報を記憶するための番組表情報記憶手段と、
ユーザ指示により、前記放送信号処理手段からの出力を受けて前記映像信号、又は、前記番組表情報記憶手段から読出した番組表情報、若しくはその双方を表示するための表示手段と、
前記ネットワークに接続される録画装置を検出するための録画装置検出手段と、
前記番組表情報記憶手段に記憶される前記番組表情報のうち、特定の番組に関する情報を取得し、前記録画装置検出手段に検出される録画装置に前記番組に関する検索要求を前記ネットワークを介して送信するための検索要求送信手段とを含み、
前記検索要求は前記番組に関する情報を含み、
前記録画装置は、
当該録画装置における録画履歴若しくは録画予定又はその両者を含む、録画情報を記憶するための録画情報記憶手段と、
前記録画要求装置から受信した前記検索要求によって特定される前記番組に関する情報と、前記録画情報記憶手段に記憶される前記録画情報とを比較し、比較の結果に応じて当該録画装置が前記番組の録画に適しているか否かを判定するための判定手段と、
前記判定手段の判定結果に応じた通知を、前記検索要求を送信した録画要求装置に送信するための通知手段とを含み、
前記録画要求装置は、さらに、
前記複数の録画装置からの通知に基づき、前記番組を録画する録画装置を選定するための録画装置選定手段と、
前記録画装置選定手段により選定された録画装置に前記番組の録画に関する要求を送信するための録画要求送信手段とを含み、
前記録画装置は、さらに、
前記録画要求装置から送信された前記番組の録画に関する要求に応答し、前記番組の録画に関する処理を実行するための録画処理実行手段とを含む、システム。
【請求項３８】
ネットワークに接続される、少なくとも１つの録画要求装置及び複数の録画装置を含むシステムにおける録画装置選定方法であって、
前記録画要求装置は、
放送信号を受信し、前記放送信号に含まれる番組表情報を処理して前記番組表情報を記憶するための番組表情報記憶手段と、
前記ネットワークに接続される録画装置を検出するための録画装置検出手段と、
前記番組表情報記憶手段に記憶される前記番組表情報のうち、特定の番組に関する情報を取得し、前記録画装置検出手段に検出される録画装置に前記番組に関する検索要求を前記ネットワークを介して送信するための検索要求送信手段とを含み、
前記検索要求は前記番組に関する情報を含み、
前記録画装置は、
当該録画装置における録画履歴若しくは録画予定又はその両者を含む、録画情報を記憶するための録画情報記憶手段と、
前記録画要求装置から受信した前記検索要求によって特定される前記番組に関する情報と、前記録画情報記憶手段に記憶される前記録画情報とを比較し、比較の結果に応じて当該録画装置が前記番組の録画に適しているか否かを判定するための判定手段と、
前記判定手段の判定結果に応じた通知を、検索要求を送信した録画要求装置に送信するための通知手段とを含み、
前記録画要求装置は、さらに、
前記複数の録画装置からの通知に基づき、前記番組を録画する録画装置を選定するための録画装置選定手段と、
前記録画装置選定手段により選定された録画装置に前記番組の録画に関する録画要求を送信するための録画要求送信手段とを含み、
前記録画装置は、さらに、
前記録画要求装置から送信された前記番組の録画に関する要求に応答し、前記番組の録画に関する処理を実行するための録画処理実行手段を含み、
前記録画装置選定方法は、
前記番組情報送信手段が、前記番組表情報記憶手段に記憶される前記番組表情報のうち、特定の番組に関する情報を取得する番組情報取得ステップと、
前記番組情報送信手段が、前記録画装置検出手段が検出する録画装置に前記番組に関する検索要求を前記ネットワークを介して送信する番組情報送信ステップと、
前記録画要求装置から送信された前記検索要求を前記録画装置が受信したことに応答して、前記判定手段が、前記検索要求によって特定される前記番組に関する情報と、前記録画情報記憶手段が記憶する録画情報とを比較し、比較の結果に応じて、当該録画装置が、前記番組の録画に適しているか否かを判定する判定ステップと、
前記通知手段が、前記判定ステップの判定結果に応じた通知を、前記検索要求を送信した録画要求装置に送信する通知ステップと、
前記録画装置選定手段が、前記通知ステップにおける前記複数の録画装置からの通知に基づき、前記番組を録画する録画装置を選定する録画装置選定ステップと、
前記録画処理要求送信手段が、前記録画装置選定ステップにより選定された録画装置に前記番組の録画に関する要求を送信する録画処理要求送信ステップと、
前記録画処理実行手段が、前記録画処理要求送信ステップにおいて前記録画要求装置から送信された前記番組の録画に関する要求に応答して、前記番組の録画に関する処理を実行するステップとを含む、録画装置選定方法。
【請求項３９】
録画装置が接続されるネットワークに接続される録画要求装置であって、
放送信号を受信し、前記放送信号に含まれる番組表情報を処理し、前記番組表情報を記憶するための番組表情報記憶手段と、
前記ネットワークを介して前記録画装置と通信を行なうための通信手段と、
前記番組表情報記憶手段に記憶される番組表情報を読出し可能で、かつ、前記通信手段を制御可能なように設けられたコンピュータとを含む、録画要求装置において、前記コンピュータにより実行されることにより、特定の番組の録画に適した録画装置を選定するためのコンピュータプログラムであって、
前記コンピュータプログラムは、前記コンピュータを、
前記通信手段により前記録画装置を検出するための録画装置検出手段と、
前記番組表情報記憶手段により記憶された番組表情報のうち、前記番組に関する情報を取得するための番組情報取得手段と、
前記録画装置検出手段により検出された録画装置に、前記番組に関する情報を含む、前記番組に関する検索要求を前記通信手段を制御して送信するための検索要求送信手段と、
前記検索要求送信手段からの前記検索要求に応答して、前記録画装置から送信され、前記通信手段が受信した通知に基づき、前記番組を録画する録画装置を選定するための録画装置選定手段と、
前記録画装置選定手段により選定された録画装置に前記番組の録画に関する録画要求を前記通信手段を制御して送信するための録画要求送信手段として機能させる、コンピュータプログラム。
【請求項４０】
少なくとも１つの録画要求装置が接続されるネットワークに接続される録画装置であって、
前記録画要求装置は、特定の番組に関する情報を含む、前記番組に関する検索要求を前記録画装置に送信し、
前記録画装置は、
当該録画装置における録画履歴若しくは録画予定又はその両者を含む、録画情報を記憶するための録画情報記憶手段と、
前記録画要求装置と前記ネットワークを介して通信を行なうための通信手段と、
番組の録画に関する処理を実行するための録画処理実行手段と、
前記録画情報記憶手段に記憶される録画情報を読出し可能で、かつ、前記通信手段及び前記録画処理実行手段を制御可能なように設けられたコンピュータとを含む、録画装置において、前記コンピュータにより実行されることにより、前記番組の録画に関する処理を行なうためのコンピュータプログラムであって、
前記コンピュータプログラムは、前記コンピュータを、
前記通信手段が前記録画要求装置から前記検索要求を受信したことに応答して、前記検索要求によって特定される前記番組に関する情報と、前記録画情報記憶手段に記憶される録画情報とを比較し、比較の結果に応じて当該録画装置が前記番組の録画に適しているか否かを判定するための判定手段と、
前記通信手段を制御して、前記判定手段の判定結果に応じた通知を前記検索要求を送信した録画要求装置に送信するための通知手段と、
前記通信手段が、前記録画要求装置から送信された前記番組の録画に関する要求を受信したことに応答し、前記録画処理実行手段を制御して前記番組の録画に関する処理を実行するための手段として機能させる、コンピュータプログラム。
【発明の詳細な説明】
【技術分野】
【０００１】
少なくとも１つの録画要求装置及び複数の録画装置が、それぞれネットワークに接続されるシステムであって、特に番組録画指示に対し、ネットワーク上の録画装置から、録画履歴に鑑みて当該番組に最適な録画装置を選択する技術に関する。
【背景技術】
【０００２】
近年、家庭内の複数のデジタルＡＶ（Ａｕｄｉｏ  Ｖｉｓｕａｌ）機器を接続することにより、映像、音楽等のコンテンツを、場所を選ばず楽しむことを実現するホームネットワーク（Ｈｏｍｅ  Ｎｅｔｗｏｒｋ。以下「ホームＮＷ」と呼ぶ。）が注目されている。具体的には、ホームＮＷは、ＤＬＮＡ（Ｄｉｇｉｔａｌ  Ｌｉｖｉｎｇ  Ｎｅｔｗｏｒｋ  Ａｌｌｉａｎｃｅ）対応機器、ＩＰＴＶ（Ｉｎｔｅｒｎｅｔ  Ｐｒｏｔｏｃｏｌ  Ｔｅｌｅｖｉｓｉｏｎ）等の、相互互換性のあるＡＶ機器、及び、ＰＣ（Ｐｅｒｓｏｎａｌ  Ｃｏｍｐｕｔｅｒ）等を接続して構築される。接続は、有線ＬＡＮ（Ｌｏｃａｌ  Ａｒｅａ  Ｎｅｔｗｏｒｋ）、及びＷＬＡＮ（Ｗｉｒｅｌｅｓｓ  Ｌｏｃａｌ  Ａｒｅａ  Ｎｅｔｗｏｒｋ）等により実現することが出来る。【０００３】
この注目の理由の一つとして、価格下落等により、一家に一台ではなく、個人に一台ずつ上記のようなＡＶ機器を所有する最近の傾向が挙げられる。例えば、リビングには家族で楽しむための共有機器が、個人の部屋には個人用の機器が、それぞれ設置され、これらの機器によりホームＮＷを構築したとする。この場合、共有機器に保存されたコンテンツを個人所有の機器で再生したり、その逆を行なったりすることが出来る。【０００４】
ホームＮＷの別の応用として、ホームＮＷ上のある機器が、録画機能を有する別の機器に対し録画指示を行なうことがある。これを実現する機構が現在検討されている。実現すれば、例えば、ユーザはリビングで家族と共に共有機器によりコンテンツを楽しみながら、その機器を介して、ユーザの部屋にあるユーザ所有の録画機器に録画指示を行なうことが出来る。ユーザは自分の機器への録画指示のために、わざわざリビングから離れる必要は無い。さらにユーザはこのコンテンツを自分用のライブラリに組込むことが出来る。【０００５】
しかし、録画指示に関して録画装置をどのように選択するかが問題になる。例えば、指示を受ける装置の表示部に選択可能な録画装置が表示され、リモコンのカーソルボタン等の操作により選択される場合、録画指示のたびにユーザは煩雑な操作を強いられることになる。【０００６】
録画指示を受ける装置が、指示する人を事前に認証できれば、認証情報をもとにその個人が所有する録画装置を選択することができる。これに関連する例として、特許文献１に記載の技術では、複数人で共有するＴＶ（Ｔｅｌｅｖｉｓｉｏｎ）に対し、視聴中のユーザが自分の識別子が登録された操作装置からチャンネル選局を指示する。指示信号には、選局を要求する制御コードと、これに重畳されたユーザの識別子とが含まれる。そのためＴＶは、視聴番組の関連情報（タイトル、ジャンル、登場人物及び放送時間）を、当該識別子により識別される各個人毎のデータベースに蓄積することができる。蓄積情報は、ユーザから番組推薦の指示があった場合、その個人の嗜好を分析し、その結果に応じて推薦番組を決定するために利用される。番組推薦指示の場合も、操作装置から、番組推薦要求を示す制御コードにユーザ識別子が重畳された信号が送信される。ＴＶはこれを受け、当該識別子により対応する蓄積情報を読出す。【０００７】
この技術を応用して、録画指示の際、操作装置からユーザ識別子が重畳された信号を受信することにより、録画指示を受ける装置が指示する人を認証すれば、当該個人所有の録画装置を容易に選択することができる。その結果、前述のような煩わしい録画装置の選択操作を回避して、簡単に録画指示及び録画装置の選択ができる。
【先行技術文献】
【０００８】
【特許文献１】特開２００６−４１６６２号公報
【非特許文献１】社団法人  日本民間放送連盟  放送基準  “１８章  広告の時間基準”、［ｏｎｌｉｎｅ］、２００４年１月、［平成２０年１月１５日検索］、インターネット＜ＵＲＬ：ｈｔｔｐ：／／ｗｗｗ．ｍｒｏ．ｃｏ．ｊｐ／ｍｒｏ‐ｉｎｆｏ／１８ｋｏｋｏｋｕ．ｈｔｍ＞
【発明の開示】
【発明が解決しようとする課題】
【０００９】
特許文献１の技術では、制御コードに識別子を重畳して送信することが可能な装置が必要である。送信信号に個人情報を重畳する装置として、携帯電話が良く知られている。しかし、リビングで共有機器によりコンテンツを視聴する際、共有機器に録画指示を行なう可能性があるために、ユーザが携帯電話を携帯することは、煩雑な動作と言える。【００１０】
したがって本発明の目的は、ホームＮＷ上の装置が番組録画指示を受けると、個人認証のための煩雑な操作及び動作無しに、当該番組の録画の実行に適した録画機器を選択することが可能な番組録画システムを提供することを目的とする。
【課題を解決するための手段】
【００１１】
本発明の第１の局面に係る録画要求装置は、録画装置が接続されるネットワークに接続される録画要求装置である。録画要求装置は、特定の番組に関する番組情報を取得するための番組情報取得手段と、ネットワークに接続される録画装置を検出するための録画装置検出手段と、録画装置検出手段により検出される録画装置に、番組情報取得手段によって取得される当該番組情報に関する検索要求を、ネットワークを介して送信するための検索要求送信手段と、検索要求送信手段からの検索要求に応答して送信された、録画装置からの通知に基づき、当該番組を録画する録画装置を選定するための録画装置選定手段と、録画装置選定手段により選定された録画装置に当該番組の録画に関する録画要求を送信するための録画要求送信手段とを含む。【００１２】
本録画要求装置において、番組情報取得手段は、特定の番組に関する番組情報を取得する。録画装置検出手段は、ネットワークに接続される録画装置を検出する。検索要求送信手段は、取得した当該番組に関する情報を含む、当該番組に関する検索要求を、ネットワーク上の録画装置に送信する。この検索要求に応じて送信された録画装置からの通知を基に、録画装置選定手段は当該番組を録画するための録画装置を選定する。録画要求送信手段は、選定された録画装置に当該番組の録画に関する要求を送信する。【００１３】
録画要求装置は、ネットワーク上の録画装置から特定の番組の録画に適した録画装置を選定する。選定は、録画要求装置が送信した当該番組に関する情報に応じて、録画装置から返信された通知の内容に基づく。通知の内容は、録画装置内の情報に対し、当該番組に関する情報を検索キーとして検索した結果にしたがう。【００１４】
例えば前述のホームＮＷにおいて、共有の録画要求装置から、ユーザがある番組の録画を指示したものとする。当該番組に関する情報、及び、ユーザ所有の録画装置内の情報は、ユーザの嗜好を反映している可能性が高い。このため、ネットワーク上の他の録画装置に比べて、ユーザ所有の録画装置内の情報が、当該番組に関する情報に対する検索において一致または類似の態様を示す可能性が最も高い。したがって、ユーザ所有の録画装置の通知は、一致又は類似の検索結果を反映したものになる可能性が高い。本録画要求装置が、一致又は類似の検索結果を反映した内容を通知する録画装置を、当該番組を録画する録画装置に選定する場合、上記例において、本録画要求装置はユーザ所有の録画装置を選定する可能性が高い。【００１５】
以上のことにより、本録画要求装置によれば、煩わしい個人認証の操作及び動作無しに、個人所有の録画装置を当該番組の録画装置として選定することが可能である。【００１６】
好ましくは、録画要求装置はさらに、番組情報を含む番組表情報を取得するための番組表情報取得手段を含む。番組情報取得手段は、番組表情報取得手段によって取得された番組表情報に含まれる番組情報を取得するための手段を含む。【００１７】
より好ましくは、番組表情報取得手段は、ネットワークを介して、番組表情報を記憶するサーバ装置から、当該番組表情報を取得するための手段を含む。【００１８】
さらに好ましくは、録画要求装置はさらに、放送信号を受信し、放送信号に含まれる番組表情報を処理して出力する処理を行なうための放送信号処理手段と、放送信号処理手段から出力される番組表情報を記憶するための番組表情報記憶手段とを含む。【００１９】
さらに好ましくは、番組表情報取得手段は、番組情報記憶手段に記憶されている番組表情報を取得するための手段を含む。【００２０】
さらに好ましくは、放送信号は、ＲＦ信号である。放送信号処理手段は、ＲＦ信号を受信し、当該ＲＦ信号に含まれる番組表情報を処理して出力する処理を行なうための手段を含む。【００２１】
さらに好ましくは、放送信号は、ＩＰマルチキャスト放送によるストリーミングデータである。放送信号処理手段は、ストリーミングデータを受信し、当該ストリーミングデータに含まれる番組表情報を処理して出力する処理を行なうための手段を含む。【００２２】
さらに好ましくは、録画要求装置はさらに、ユーザ指示により、放送信号処理手段からの出力を受けて映像信号、又は、番組表情報記憶手段から読出した番組表情報、若しくはその双方を表示するための表示手段を含む。【００２３】
好ましくは、検索要求送信手段は、番組表情報記憶手段に記憶される番組表情報のうち、ユーザが録画を指示し、表示手段にその映像信号を出力中である番組に関する情報を取得し、録画装置検出手段により検出される録画装置に、当該番組に関する検索要求をネットワークを介して送信するための手段を含む。【００２４】
視聴中の番組に対してユーザが録画を指示した場合、本録画要求装置は視聴中番組に関する情報を、ネットワーク上の録画装置に送信する。録画装置から送信される、視聴中番組に関する検索結果に応じた通知に基づき、録画要求装置は視聴中番組の録画に適した録画装置を選定する。【００２５】
好ましくは、検索要求送信手段は、番組表情報記憶手段に記憶される番組表情報のうち、表示手段により出力中の番組表からユーザが選択した番組に関する情報を取得し、録画装置検出手段により検出される録画装置に、当該番組に関する検索要求を、ネットワークを介して送信するための手段を含む。【００２６】
表示手段に表示中の番組表から、ユーザが番組を選択し、当該番組の録画を指示した場合、本録画要求装置は当該番組に関する情報を、ネットワーク上の録画装置に送信する。録画装置から送信される、ユーザが選択した番組に関する検索結果に応じた通知に基づき、録画要求装置はユーザが選択した番組の録画に適した録画装置を選定する。【００２７】
好ましくは、録画装置選定手段は、当該番組の録画を実行する旨を通知する録画装置がなく、かつ、当該番組の録画に適している旨を通知する録画装置があった場合、当該録画装置が１台であるか否かを判定するための第１の判定手段と、第１の判定手段により当該録画装置が１台ではないと判定された場合、表示手段に当該録画装置の情報を表示し、ユーザ選択を受けるための選択手段とを含む。【００２８】
当該番組の録画に適している旨を通知する録画装置が複数あった場合、選択手段は表示手段に当該録画装置の情報を表示させる。ユーザはこの表示により、当該番組を録画する録画装置を選択することが出来る。【００２９】
好ましくは、録画装置選定手段は、さらに、特定の番組の録画を実行する旨を通知する録画装置がなく、かつ、当該番組の録画に適している旨を通知する録画装置がない場合、予め定められた録画装置からの通知に基づき、予め定められた録画装置により当該番組の録画が可能であるか否かを判定するための第２の判定手段を含む。【００３０】
好ましくは、録画要求送信手段は、第１の判定手段により当該録画装置が１台であると判定された場合、及び、第２の判定手段により予め定められた録画装置により特定の番組の録画が可能であると判定された場合、当該録画装置に当該番組の録画に関する要求を送信し、そうでない場合、選択手段により選択された録画装置に当該番組の録画に関する要求を送信するための手段を含む。【００３１】
本録画要求装置において、特定の番組の録画を実行する旨を通知する録画装置が無く、当該番組の録画に適している旨を通知する録画装置が１台であった場合、当該録画装置が選定される。当該番組の録画に適している旨を通知する録画装置が複数あった場合、ユーザが選択した録画装置が選定される。当該番組の録画に適している旨を通知する録画装置が無く、かつ、予め定められた録画装置により当該番組の録画が可能である場合、予め定められた録画装置が選定される。録画要求送信手段は、上記選定された録画装置に、当該番組の録画に関する要求を送信する。当該番組の録画を実行する旨を通知する録画装置がある場合、及び、当該番組の録画を実行する旨を通知する録画装置が無く、当該番組の録画に適している旨を通知する録画装置が無く、かつ、ビジー状態等の理由により予め定められた録画装置により当該番組の録画が可能でない場合、録画装置は選定されない。【００３２】
好ましくは、検索要求送信手段は、ユーザからチャンネル切替指示を受けたことに応答して計時を開始し、所定の時間期間を経過しても新たなチャンネル切替指示が無い場合、表示手段によりその映像信号を出力中の番組を特定の番組として決定するための手段と、番組表情報記憶手段に記憶される番組表情報のうち、当該番組に関する情報を取得し、録画装置検出手段により検出される録画装置に、当該番組に関する検索要求をネットワークを介して送信するための手段を含む。【００３３】
検索要求送信手段は、ユーザが同じ番組を所定の時間期間を超えて視聴する場合、当該番組に関する情報を含む、当該番組に関する検索要求をネットワーク上の録画装置へ送信する。これに応答して録画装置から送信された通知に基づき、録画装置選定手段は、当該番組を録画する録画装置を選定する。その後、ユーザが当該番組の録画指示を行なった場合、既に録画装置の選定が済んでいるため、録画指示に対するより迅速な対応を行なうことができる。【００３４】
好ましくは、録画要求装置はさらに、放送信号処理手段が放送信号を受信した際、当該放送信号中の番組表情報にその関連情報が含まれる複数の番組の各々について、当該番組を特定の番組として当該特定の番組に対する一連の動作を行なうよう、番組情報送信手段、及び録画装置選定手段を制御して、複数の番組の全てに対して当該番組を録画する録画装置を選定する処理を行なうための手段を含む。【００３５】
処理を行なうための手段の制御により、検索要求送信手段は、放送信号処理手段により放送信号を受信することを契機に、当該放送信号中の番組表情報にその関連情報が含まれる複数の番組の各々について、当該番組に関する情報を取得する。さらに、当該番組に関する情報を含む、当該番組に関する検索要求を、ネットワーク上の録画装置に送信する。処理を行なうための手段の制御により、録画装置選定手段は、複数の番組の各々について、検索要求に応答して録画装置から送信された通知を基に、当該番組を録画する録画装置を選定する。【００３６】
本録画要求装置は、受信した番組表情報に含まれる複数の番組の全てに対して、録画を行なう録画装置を選定する。このことにより、ユーザが複数の番組のうちのいずれかに対し録画指示を行なった場合、既に録画装置の選定が済んでいるため、録画指示の後、録画装置からの通知を待つこと無く、選定した録画装置に録画に関する要求を送信することが出来る。録画指示に対するより迅速な対応を行なうことができる。【００３７】
好ましくは、録画装置選定手段は、検索要求送信手段からの検索要求に応答して送信された、録画装置からの通知に基づき、番組を録画する録画装置を選定し、選定された録画装置の識別子を番組に関する情報と関連付けて記憶するための手段と、ユーザが番組の録画を指示した場合、番組に関する情報と関連付けて記憶された録画装置の識別子を記憶するための手段から読出し、識別子により識別される録画装置を、番組を録画する録画装置として選定するための手段とを含む。【００３８】
録画要求装置は、特定の番組の録画に適している旨を通知する録画装置があった場合、当該録画装置の識別子を当該番組に関する情報と関連付けて記憶する。ユーザが当該番組の録画を指示した場合、当該番組に関する情報に関連付けて記憶された識別子を読出し、識別子により識別される録画装置を、当該番組を録画する録画装置として選定する。ユーザが当該番組の録画指示を行なった際、既に録画装置の選定が済んでいる。録画指示の後、ネットワーク上の録画装置からの通知を待つことなく、記憶された識別子を基に、選定された録画装置に録画に関する要求を送信することが出来る。このため録画指示に対するより迅速な対応を行なうことができる。【００３９】
好ましくは、記憶するための手段は、番組の録画を実行する旨を通知する録画装置がなく、かつ、番組の録画に適している旨を通知する録画装置があった場合、当該録画装置の識別子を番組に関する情報と関連付けて記憶するための第１の記憶手段と、番組の録画を実行する旨を通知する録画装置がなく、かつ、番組の録画に適している旨を通知する録画装置がなかった場合、予め定められた録画装置からの通知に基づき、予め定められた録画装置により番組の録画が可能であるか否かを判定し、予め定められた録画装置により番組の録画が可能であると判定された場合、予め定められた録画装置の識別子を番組に関する情報と関連付けて記憶するための第２の記憶手段とを含む。選定するための手段は、ユーザが番組の録画を指示した場合、第１又は第２の記憶手段により番組に関する情報と関連付けて記憶された録画装置の識別子を読出すための手段と、読出すための手段により読出された識別子が１つである場合、当該識別子により識別される録画装置を番組を録画する録画装置として選定するための第１の選定手段と、読出すための手段により読出された識別子が複数である場合、当該識別子により識別される録画装置に関する情報をユーザに表示し、表示した録画装置のいずれかをユーザが選択した場合、当該録画装置を番組を録画する録画装置として選定するための第２の選定手段と、第１又は第２の記憶手段により記憶される識別子が無い場合、ユーザにエラー表示を行なうための手段とを含む。【００４０】
特定の番組の録画を実行する旨を通知する録画装置がない場合において、当該番組の録画に適している旨を通知する録画装置があった場合、第１の記憶手段は当該録画装置の識別子を、当該番組に関する情報と関連付けて記憶する。当該番組の録画に適している旨を通知する録画装置がなく、予め定められた録画装置が当該番組を録画可能な場合、第２の記憶手段は当該録画装置の識別子を当該番組に関する情報と関連付けて記憶する。ユーザが当該番組の録画を指示した場合、第１又は第２の記憶手段から当該番組に関する情報に関連付けて記憶された識別子が読出される。記憶された識別子が無い場合はユーザにエラーを示す表示がされる。記憶された識別子が１つである場合、その識別子が示す録画装置を、当該番組を録画する録画装置として選定する。記憶された識別子が複数である場合、それらの識別子が示す録画装置に関する情報をユーザに表示し、そのうちからユーザが選択したものを、当該番組を録画する録画装置として選定する。【００４１】
ユーザが当該番組の録画指示を行なった際、既に録画装置の選定が済んでいる。このため録画指示に対するより迅速な対応を行なうことができる。【００４２】
好ましくは、録画要求装置は、さらに、録画済番組に関する情報と、当該録画済番組を録画した録画装置の識別子とを関連付けて記憶するための録画履歴記憶手段と、ユーザが特定の番組の録画を指示した場合、録画履歴記憶手段に記憶された情報から録画済番組に関する情報を取得するための手段とを含む。当該番組に関する情報、及び、録画済番組に関する情報は、それぞれ、所定の属性の値を含む。録画要求装置は、さらに、当該番組に関する情報と、録画済番組に関する情報とを比較し、当該番組に関する情報に含まれる所定の属性の値と、録画済番組に関する情報のいずれかに含まれる所定の属性の値とが、所定の類似関係を充足する場合、録画履歴記憶手段に当該録画済番組に関する情報と関連付けて記憶される識別子により示される録画装置が、当該番組の録画に適していると判定し、そうでない場合、検索要求送信手段に処理を実行させるための手段を含む。録画装置選定手段は、実行させるための手段の判定結果、及び、録画装置からの通知に基づき、当該番組を録画する録画装置を選定するための手段と、録画装置からの通知、及び、録画要求送信手段が番組の録画に関する要求を送信したことに基づき、当該番組に関する情報と当該番組を録画する録画装置の識別子とを関連付けて録画履歴記憶手段に記憶するための手段とを含む。【００４３】
録画要求装置において、録画履歴記憶手段は、録画済番組に関する情報と、当該録画済番組を録画した録画装置の識別子とを関連付けて記憶する。ユーザが番組録画を指示した場合、取得するための手段は、録画履歴記憶手段に記憶された情報から録画済番組に関する情報を取得する。実行させるための手段は、ユーザが録画を指示した番組に関する情報と、録画済番組に関する情報とを比較する。所定の属性の値に関し、当該番組に関する情報と、録画済番組に関する情報のいずれかとの間に所定の類似関係があった場合、実行させるための手段は、当該録画済番組に関する情報に関連付けて記憶される識別子が示す録画装置が、当該番組の録画に適していると判定する。そうでない場合、録画要求装置は、当該番組に関する情報を含む、当該番組に関する検索要求を、ネットワーク上の録画装置に送信する。録画要求装置は、さらに、検索要求に応じた録画装置からの通知に基づき、当該番組を録画する録画装置を選定する。【００４４】
本録画要求装置は、所定の属性の値において、録画指示のあった番組に関する情報と、録画履歴に含まれる録画済番組に関する情報のいずれかとの間に、所定の類似関係があった場合、当該録画済番組を録画した録画装置を、当該番組を録画する録画装置に選定する。例えばホームＮＷにおいて、ユーザが共有の録画要求装置から番組の録画を指示したとする。当該番組に関する情報と、ユーザ所有の録画装置の録画済番組に関する情報とは、共にユーザの嗜好を反映し、類似している可能性が高い。このため、ネットワーク上の他の録画装置に比べて、ユーザ所有の録画装置は当該番組の録画に適していると判定される可能性が高い。このことにより、煩わしい個人認証の操作及び動作無しに、個人所有の録画装置を当該番組の録画装置として選定することが出来る。さらに、録画装置からの通知を待って録画装置を選定する場合に比べて、録画要求装置内で処理を行なうため、ユーザの録画指示に対してより迅速に対応することが出来る。【００４５】
好ましくは、番組の録画に関する録画要求は、録画予約要求であることを特徴とする。【００４６】
当該番組が放映中の場合、録画要求装置は選定した録画装置に録画要求を送信する。当該番組が放映予定の場合、録画要求装置は選定した録画装置に録画予約要求を送信する。【００４７】
好ましくは、番組情報取得手段は、他の装置から受信した電子メール、バーコードから抽出された情報、及びユーザによって入力された番組情報の識別子のいずれかから、番組情報を取得するための手段を含む。【００４８】
本発明の第２の局面に係る録画装置は、少なくとも１つの録画要求装置が接続されるネットワークに接続される録画装置である。録画要求装置は、特定の番組に関する情報を含む、当該番組に関する検索要求を録画装置に送信する。録画装置は、当該録画装置における録画履歴又は／及び録画予定を含む、録画情報を記憶するための録画情報記憶手段と、録画要求装置から受信した検索要求によって特定される当該番組に関する情報と、録画情報記憶手段に記憶される録画情報とを比較し、比較の結果に応じて当該録画装置が当該番組の録画に適しているか否かを判定するための判定手段と、検索要求を送信した録画要求装置に判定手段の判定結果に応じた通知を行なうための通知手段と、録画要求装置から送信された当該番組の録画に関する要求に応答し、番組の録画に関する処理を実行するための録画処理実行手段とを含む。【００４９】
録画装置において、録画情報記憶手段は、当該録画装置における録画履歴又は／及び録画予定を含む、録画情報を記憶する。判定手段は、録画要求装置からの検索要求を受けたことに応答して、検索要求によって特定される当該番組に関する情報と、録画情報記憶手段に記憶される録画情報とを比較し、比較の結果に応じて、当該録画装置が当該番組の録画に適しているかを判定する。通知手段は、検索要求を送信した録画要求装置に対し、判定手段の判定結果に応じた通知を行なう。当該録画要求装置が、ネットワーク上の録画装置からの通知に基づき選定した録画装置に当該番組の録画に関する要求を送信した場合、録画処理実行手段はこれを受け、当該番組の録画に関する処理を実行する。【００５０】
本録画装置は、当該番組に関する情報と、当該録画装置の録画履歴又は／及び録画予定を含む録画情報とを比較し、比較結果により当該録画装置が番組の録画に適しているか否かを判定する。【００５１】
例えば前述のホームＮＷにおいて、共有の録画要求装置から、ユーザがある番組の録画を指示したものとする。当該番組に関する情報、及び、ユーザ所有の録画装置の録画情報は、ともにユーザの嗜好を反映し、類似している可能性が高い。録画装置が、例えば、上記の類似の度合いにより当該番組の録画に適しているか否かを判定するのであれば、ユーザ所有の録画装置は、自身が当該番組の録画に適していると判定しその旨を通知する可能性が高い。さらにこの通知を受ける録画要求装置が、一致又は類似の検索結果を反映した内容を通知する録画装置を、当該番組を録画する録画装置に選定する場合、上記例において、本録画要求装置はユーザ所有の録画装置を選定する可能性が高い。【００５２】
以上のことにより、本録画装置によれば、煩わしい個人認証の操作及び動作無しに、個人所有の録画装置を当該番組の録画装置として選定することが可能である。【００５３】
好ましくは、特定の番組に関する情報は、当該番組の放映時間に関する情報を含む。録画装置は、さらに、録画要求装置から受信した検索要求に含まれる、当該番組に関する情報と、当該録画装置の稼動状態とを比較し、当該番組の放映時間において、当該録画装置が録画中であるか否かを判定するための第１の判定手段と、第１の判定手段により、当該放映時間において当該録画装置が録画中であると判定された場合、当該放映時間において当該録画装置が録画する番組が、当該番組と同一であるか否かを判定するための第２の判定手段とを含む。【００５４】
好ましくは、第２の判定手段により、当該放映時間において当該録画装置が録画する番組が、当該番組と同一であると判定された場合、当該録画装置において当該番組の録画を実行する旨を、そうでない場合、当該録画装置が当該放映時間において他の番組を録画中である旨を、検索要求を送信した録画要求装置に通知するための手段をさらに含む。【００５５】
録画装置が特定の番組の放映時間において当該番組を録画する設定である場合、録画装置は、検索要求送信元の録画要求装置に対し、当該番組の録画を実行する旨を通知する。当該番組の放映時間において他の番組を録画中である場合、録画装置はその旨を当該録画要求装置に送信する。【００５６】
好ましくは、録画情報は、複数の録画済及び録画予定番組に関する情報を含む。特定の番組に関する情報、及び、各録画済及び録画予定番組に関する情報は、それぞれ、所定の属性の値を含む。判定手段は、当該番組に関する情報と、録画情報記憶手段に記憶される各録画済及び録画予定番組に関する情報とを比較し、当該番組に関する情報に含まれる所定の属性の値と、各録画済及び録画予定番組に関する情報のいずれかに含まれる所定の属性の値とが、所定の類似関係を充足する場合、当該録画装置が当該番組の録画に適していると判定するための第１の判定手段を含む。【００５７】
録画装置において、録画情報記憶手段は、複数の録画済及び録画予定番組に関する情報を記憶する。録画要求装置から当該番組に関する検索要求を受け、第１の判定手段は、当該番組に関する情報と、複数の録画済及び録画予定番組に関する情報とを比較する。所定の属性の値に関し、番組に関する情報と、複数の録画済及び録画予定番組に関する情報のいずれかとの間に、所定の類似関係があった場合、第１の判定手段は当該録画装置が当該番組の録画に適していると判定し、そうでない場合、当該録画装置が当該番組の録画に適していないと判定する。【００５８】
録画装置は、当該番組と、複数の録画済及び録画予定番組との間で、これらの番組に関する情報に含まれる所定の属性の値に、所定の類似関係があるか否かによって、当該録画装置が当該番組の録画に適しているか否かを判定する。例えば前述のホームＮＷにおいて、共有の録画要求装置から、ユーザがある番組の録画を指示したものとする。当該番組に関する情報、及び、ユーザ所有の録画装置の複数の録画済及び録画予定番組に関する情報は、ともにユーザの嗜好を反映し、類似している可能性が高い。したがって、当該録画要求装置からの検索要求を受けて、ユーザ所有の録画装置は、自身が当該番組の録画に適していると判定し、その旨を当該録画要求装置に通知する可能性が高い。例えば、当該録画要求装置が、当該番組の録画に適している旨を通知する録画装置のうちから、当該番組を録画する録画装置を選定するものとする。この場合、録画要求装置はユーザ所有の録画装置を選定する可能性が高い。このことにより、煩わしい個人認証の操作及び動作無しに、個人所有の録画装置を当該番組の録画装置として選定することが可能である。【００５９】
好ましくは、録画予定番組は、録画予約された録画予約番組を含む。録画装置は、さらに、録画情報記憶手段に記憶される、各録画済及び各録画予約番組に関する情報に含まれる所定の属性の値に基づき、所定の属性に関する傾向を算出するための手段を含む。第１の判定手段は、受信した検索要求に含まれる特定の番組に関する情報と、録画情報記憶手段に記憶される各録画済及び録画予約番組に関する情報とを比較し、当該番組に関する情報に含まれる所定の属性の値と、各録画済及び録画予約番組に関する情報のいずれかに含まれる所定の属性の値とが、所定の類似関係を充足する場合、算出するための手段による所定の属性に関する傾向の算出結果にしたがって、当該録画装置が当該番組の録画に適しているか否かを判定するための第２の判定手段を含む。【００６０】
算出するための手段は、各録画済及び各録画予約番組に関する情報について所定の属性に関する傾向を算出する。第２の判定手段は、当該番組に関する情報、及び、録画済及び録画予約番組に関する情報のいずれかの間で、所定の属性の値に関し、所定の類似関係があった場合、算出された当該所定の属性に関する傾向と当該所定の属性の値とを対比することにより、当該録画装置が当該番組の録画に適しているか否かを判定する。【００６１】
録画装置は、録画指示の傾向と、当該録画装置の録画の傾向との間に所定の類似関係があるか否かを判定し、判定結果により当該番組の録画に適しているか否かを判定する。なぜなら、録画指示の傾向と、当該録画装置の録画の傾向との間に所定の類似関係がある場合、当該録画装置が、録画指示を行なうユーザ所有のものである可能性が高いためである。算出するための手段が算出するのは録画装置の録画の傾向を示すものである。ここで、所定の属性の値において、当該番組に関する情報と録画済及び録画予約番組に関する情報のいずれかとが類似し、当該所定の属性の値が、例えば、算出された録画装置の録画の傾向に沿うものであれば、録画指示の傾向と、当該録画装置の録画の傾向との間に所定の類似関係があることを示す。具体的には、例えば、ある所定の属性に関し、当該番組に関する情報及びある録画済番組に関する情報が共に同じ値を示し、算出された当該所定の属性に関する傾向として、録画済及び録画予約番組に関する情報の多くが同じ値を含む場合、録画指示の傾向と、当該録画装置の録画の傾向との間に所定の類似関係があると考えることが出来る。一方、当該値が、算出された傾向において、録画済及び録画予約番組に関する情報にほとんど含まれていない場合、録画指示の傾向と、当該録画装置の録画の傾向との間に所定の類似関係を見出すことができないと言える。【００６２】
好ましくは、録画装置は、さらに、放送信号を受信し、放送信号に含まれる番組表情報を処理し、番組表情報を記憶するための番組表情報記憶手段と、算出するための手段による算出結果による所定の属性に関する傾向の算出結果にしたがって、番組表情報記憶手段に記憶される番組表情報にその関連情報が含まれる番組の中から、ユーザに録画を推薦する推薦番組を抽出するための推薦番組抽出手段とを含む。録画予定番組は、録画予約された録画予約番組及び推薦番組抽出手段により抽出された推薦番組を含む。第１の判定手段は、さらに、推薦番組抽出手段により抽出された推薦番組のうちに特定の番組と同一のものがあるか否かを判定し、推薦番組のうちに当該番組と同一のものがある場合、当該録画装置が当該番組の録画に適していると判定し、そうでない場合、第２の判定手段に処理を実行させるための手段をさらに含む。【００６３】
推薦番組抽出手段は、当該録画装置の録画の傾向にしたがい、記憶される番組表情報にその関連情報が記憶される番組から、ユーザに録画を推薦する推薦番組を抽出する。抽出された推薦番組のうちに、当該番組が含まれていた場合、第１の判定手段は、当該録画装置が当該番組の録画に適していると判定する。推薦番組は、当該録画装置の録画の傾向に従い抽出されている。このため、推薦番組のうちに当該番組が含まれる場合、当該番組に関する情報の含む所定の属性の値が、当該録画装置の録画の傾向にあうものと見なされる。すなわち、録画装置は、このことにより、録画指示の傾向と、当該録画装置の録画の傾向との間に所定の類似関係があると判定する。【００６４】
好ましくは、通知手段は、第１の判定手段により、当該録画装置が特定の番組の録画に適していると判定された場合、当該録画装置が当該番組の録画に適している旨を、そうでない場合、当該録画装置が当該番組の録画に適していない旨を、それぞれ、検索要求を送信した録画要求装置に通知するための手段を含む。【００６５】
録画装置は、所定の属性の値に関し、当該番組に関する情報と、当該録画装置における録画済及び録画予定番組に関する情報のいずれかとの間に、所定の類似関係があった場合、当該録画装置が当該番組の録画に適していると判定し、通知手段により、当該録画装置が当該番組の録画に適している旨を検索要求送信元の録画要求装置に送信する。そうでない場合、当該録画装置が当該番組の録画に適していないと判定し、通知手段により、当該録画装置が当該番組の録画に適していない旨を当該録画要求装置に送信する。【００６６】
好ましくは、所定の属性の値は、単語を含む。【００６７】
好ましくは、所定の属性の値は、番組のジャンルを示す単語列、キーワードを示す単語列、及び出演者を示す単語列のいずれか、又はそれらの任意の組合せを含む。【００６８】
録画装置は、当該番組に関する情報と、録画済及び録画予定番組のいずれかに関する情報とのそれぞれに含まれる、番組のジャンル、キーワード、及び出演者等を示す単語が、所定の類似関係を充足する場合、当該録画装置が当該番組の録画に適していると判定し、そうでない場合は、当該録画装置が当該番組の録画に適していないと判定する。【００６９】
好ましくは、所定の属性の値をユーザの操作に応じて変更するための属性変更手段をさらに含む。【００７０】
好ましくは、所定の類似関係に関する設定をユーザの操作に応じて変更するための類似関係設定変更手段をさらに含む。【００７１】
本録画装置において、ユーザは、当該録画装置が当該番組を録画するのに適しているか否かの判定方法及びその基準を変更することが出来る。【００７２】
好ましくは、録画情報は、複数の録画済及び録画予定番組に関する情報を含む。判定手段は、受信した検索要求によって特定される特定の番組に関する情報と、各録画済及び録画予定番組に関する情報との類似度を計算するための類似度計算手段と、類似度計算手段により計算された類似度のいずれかが、予め定められたしきい値以上である場合、当該録画装置が当該番組の録画に適していると判定するための第１の判定手段とを含む。【００７３】
類似度計算手段は、当該番組に関する情報と、録画済及び録画予定番組に関する情報との間の類似度を計算する。当該番組に関する情報と、録画済及び録画予定番組に関する情報のいずれかとの類似度が、予め定められたしきい値以上である場合、当該録画装置が当該番組の録画に適していると判定される。録画済及び録画予定番組のいずれに関する情報もこれを満たさない場合、当該録画装置は当該番組の録画に適していないと判定される。【００７４】
前述のホームＮＷの例において、ホームＮＷ上の他の録画装置に比べ、ユーザ所有の録画装置の録画情報が有する傾向がユーザの録画指示の傾向に対して類似する可能性が最も高い。このことから、ユーザ所有の録画装置における、録画済及び録画予約番組に関する情報は、当該番組に関する情報と類似し、比較的高い類似度を示すと考えられる。したがって、ユーザ所有の録画装置は自身が番組の録画に適していると判定し、その旨を共有の録画要求装置に通知し、録画要求装置がユーザ所有の録画装置を当該番組を録画する録画装置として選定する可能性が高い。その結果、煩わしい録画装置の選択操作を回避して当該個人所有の録画装置を容易に選択することが可能である。【００７５】
好ましくは、特定の番組に関する情報、及び、各録画済及び録画予定番組に関する情報は、文字列を含む。【００７６】
録画装置は、当該番組に関する情報に含まれる文字列と、録画済及び録画予定番組に関する情報のそれぞれに含まれる文字列との類似度を、それぞれ計算し、そのうち予め定められたしきい値以上のものがある場合、当該録画装置が当該番組の録画に適していると判定し、その旨を録画要求装置に通知する。そうでない場合は、当該録画装置が当該番組の録画に適していないと判定し、その旨を録画要求装置に通知する。【００７７】
好ましくは、録画装置はさらに、類似度計算手段による類似度の計算方法、及び予め定められたしきい値に関する設定をユーザの操作に応じて変更するための類似度設定変更手段を含む。【００７８】
本録画装置において、ユーザは当該録画装置が特定の番組を録画するのに適しているか否かの判定方法及びその基準を変更することが出来る。【００７９】
本発明の第３の局面に係る録画要求装置は、録画装置が接続されるネットワークに接続される録画要求装置である。録画要求装置は、放送信号を受信し、指定されたチャンネルの放送信号に含まれる映像信号及び音声信号を復号して出力する処理、及び、放送信号に含まれる番組表情報を処理して出力する処理を行なうための放送信号処理手段と、放送信号処理手段から出力される番組表情報を記憶するための番組表情報記憶手段と、ユーザ指示により、放送信号処理手段からの出力を受けて映像信号、又は、番組表情報記憶手段から読出した番組表情報、若しくはその双方を表示するための表示手段と、ネットワークに接続される録画装置を検出するための録画装置検出手段と、番組表情報記憶手段に記憶される番組表情報のうち、特定の番組に関する情報を取得するための手段と、録画装置検出手段により検出される録画装置に、録画情報に関する送信要求をネットワークを介して送信するための録画情報送信要求手段とを含む。録画情報は、当該録画装置における録画履歴及び録画予定を含む。録画要求装置は、さらに、取得するための手段により取得された当該番組に関する情報と、録画情報送信要求手段からの送信要求に応答して録画装置から受信した、録画装置の各録画情報とを比較し、比較の結果に応じて番組を録画する録画装置を選定するための録画装置選定手段と、録画装置選定手段により選定された録画装置に番組の録画に関する録画要求を送信するための録画要求送信手段とを含む。【００８０】
本録画要求装置において、取得するための手段は、番組表情報記憶手段に記憶される番組表情報から特定の番組に関する情報を取得する。録画情報送信要求手段は、ネットワーク上の録画装置のそれぞれに、各録画装置における録画履歴及び録画予定を含む、録画情報を送信するよう、送信要求を送る。録画装置選定手段は、取得された当該番組に関する情報と、各録画装置から送信された録画情報とを比較し、比較の結果に応じて当該番組を録画する録画装置を選定する。録画処理要求手段は、選定された録画装置に当該番組の録画に関する録画要求を送信する。【００８１】
本録画要求装置は、録画装置選定手段において、当該番組に関する情報と、ネットワーク上の録画装置から収集した録画情報とを比較し、比較の結果により当該番組の録画に適した録画装置を選定する。例えば前述のホームＮＷの例において、ホームＮＷ上の他の録画装置に比べ、ユーザ所有の録画装置の録画情報が有する傾向は、ユーザの録画指示の傾向に類似する可能性が最も高い。類似の度合いにより、当該番組を録画する録画装置が選定される場合、録画装置選定手段は、ユーザ所有の録画装置を、当該番組を録画する録画装置として選定する可能性が高い。その結果、煩わしい録画装置の選択操作を回避して当該個人所有の録画装置を容易に選択することができる。【００８２】
本発明の第４の局面に係る録画装置は、少なくとも１つの録画要求装置が接続されるネットワークに接続される録画装置である。録画装置は、当該録画装置における録画履歴又は／及び録画予定を含む、録画情報を記憶するための録画情報記憶手段と、録画要求装置から送信された録画情報に関する送信要求に応答して、録画情報記憶手段に記憶された録画情報を送信するための手段と、録画要求装置から送信された番組の録画に関する要求に応答し、当該番組の録画に関する処理を実行するための録画処理実行手段とを含む。【００８３】
録画装置は、録画要求装置から録画情報に関する送信要求があると、録画履歴及び録画予定を含む録画情報を送信要求を送信した録画要求装置に送信する。録画要求装置が、各録画装置から送信された録画情報と、当該番組に関する情報とを比較し、当該録画装置を選定し、当該番組の録画に関する要求を送信した場合、当該録画装置は当該番組の録画に関する処理を実行する。【００８４】
本発明の第５の局面に係るシステムは、ネットワークに接続される、少なくとも１つの録画要求装置、及び、複数の録画装置を含む、システムである。本システムに含まれる録画要求装置は、放送信号を受信し、指定されたチャンネルの放送信号に含まれる映像信号及び音声信号を復号して出力する処理、及び、放送信号に含まれる番組表情報を処理して出力する処理を行なうための放送信号処理手段と、放送信号処理手段から出力される番組表情報を記憶するための番組表情報記憶手段と、ユーザ指示により、放送信号処理手段からの出力を受けて映像信号、又は、番組表情報記憶手段から読出した番組表情報、若しくはその双方を表示するための表示手段と、ネットワークに接続される録画装置を検出するための録画装置検出手段と、番組表情報記憶手段に記憶される番組表情報のうち、特定の番組に関する情報を取得し、録画装置検出手段により検出される録画装置に番組に関する検索要求をネットワークを介して送信するための検索要求送信手段とを含む。検索要求は当該番組に関する情報を含む。本システムに含まれる録画装置は、当該録画装置における録画履歴若しくは録画予定又はその両者を含む、録画情報を記憶するための録画情報記憶手段と、録画要求装置から受信した検索要求によって特定される当該番組に関する情報と、録画情報記憶手段に記憶される録画情報とを比較し、比較の結果に応じて当該録画装置が当該番組の録画に適しているか否かを判定するための判定手段と、判定手段の判定結果に応じた通知を、検索要求を送信した録画要求装置に送信するための通知手段とを含む。本システムに含まれる録画要求装置は、さらに、複数の録画装置からの通知に基づき、当該番組を録画する録画装置を選定するための録画装置選定手段と、録画装置選定手段により選定された録画装置に当該番組の録画に関する録画要求を送信するための録画要求送信手段とを含む。本システムに含まれる録画装置は、さらに、録画要求装置から送信された当該番組の録画に関する要求に応答し、当該番組の録画に関する処理を実行するための録画処理実行手段とを含む。【００８５】
本システムの本録画要求装置において、放送信号処理手段により受信された放送信号のうち、映像信号及び音声信号は復号して出力され、ユーザ指示に応じて表示手段に表示される。放送信号のうち番組表情報は、処理され、番組表情報記憶手段により記憶される。ユーザ指示があった場合、番組表情報は番組表情報記憶手段から読出され、表示手段に表示される。録画装置検出手段は、ネットワークに接続される録画装置を検出する。検索要求送信手段は、記憶される番組表情報のうちから特定の番組に関する情報を取得する。検索要求送信手段は、さらに、取得した当該番組に関する情報を含む、当該番組に関する検索要求を、接続する録画装置に送信する。【００８６】
録画要求装置からの検索要求を受けたことに応答して、録画装置は、検索要求に含まれる当該番組に関する情報と、録画情報記憶手段に記憶される録画情報とを比較し、比較の結果に応じて、当該録画装置が当該番組の録画に適しているかを判定する。通知手段は、検索要求を送信した録画要求装置に対し、判定手段の判定結果に応じて通知を行なう。【００８７】
送信された録画装置からの通知を基に、録画要求装置において、録画装置選定手段は当該番組を録画するための録画装置を選定する。録画要求送信手段は、選定された録画装置に当該番組の録画に関する要求を送信する。録画要求装置から当該番組の録画に関する要求を受け、録画処理実行手段は当該番組の録画に関する処理を実行する。【００８８】
録画要求装置は、ネットワーク上の録画装置から当該番組の録画に適した録画装置を選定する。選定は、録画要求装置が送信した当該番組に関する情報に応じて、録画装置から返信された通知の内容に基づく。この通知は、録画装置における以下の判定に沿う。すなわち、本録画装置は、当該番組に関する情報と、録画履歴若しくは録画予定又はその両者とを比較し、比較結果により当該録画装置が番組の録画に適しているか否かを判定する。【００８９】
例えば前述のホームＮＷにおいて、共有の録画要求装置から、ユーザがある番組の録画を指示したものとする。当該番組に関する情報、及び、ユーザ所有の録画装置内の情報は、ユーザの嗜好を反映しており、ホームＮＷ上の他の録画装置に比べ、ユーザ所有の録画装置の録画履歴若しくは録画予定又はその両者が当該番組に関する情報に類似する可能性が最も高い。録画履歴又は録画予定又はその両者と当該番組に関する情報との類似の度合いにより、録画装置が当該番組の録画に適しているか否かを判定する場合、ユーザ所有の録画装置は自身が当該番組の録画に適していると判定する可能性が高い。このため、ユーザ所有の録画装置からの通知により、録画要求装置がユーザ所有の録画装置を、当該番組を録画する録画装置として選定する可能性が高い。【００９０】
以上のことにより、本システムによれば、番組録画の際、煩わしい録画装置の選択操作を回避して当該個人所有の録画装置を容易に選択することができる。【００９１】
本発明の第６の局面に係る録画装置選定方法は、ネットワークに接続される、少なくとも１つの録画要求装置及び複数の録画装置を含む、システムにおける、録画装置選定方法である。当該システムに含まれる録画要求装置は、放送信号を受信し、放送信号に含まれる番組表情報を処理して番組表情報を記憶するための番組表情報記憶手段と、ネットワークに接続される録画装置を検出するための録画装置検出手段と、番組表情報記憶手段に記憶される番組表情報のうち、特定の番組に関する情報を取得し、録画装置検出手段により検出される録画装置に番組に関する検索要求をネットワークを介して送信するための検索要求送信手段とを含む。検索要求は番組に関する情報を含む。当該システムに含まれる録画装置は、当該録画装置における録画履歴若しくは録画予定又はその両者を含む、録画情報を記憶するための録画情報記憶手段と、録画要求装置から受信した検索要求によって特定される当該番組に関する情報と、録画情報記憶手段に記憶される録画情報とを比較し、比較の結果に応じて当該録画装置が当該番組の録画に適しているか否かを判定するための判定手段と、判定手段の判定結果に応じた通知を、検索要求を送信した録画要求装置に送信するための通知手段とを含む。当該システムに含まれる録画要求装置は、さらに、複数の録画装置からの通知に基づき、当該番組を録画する録画装置を選定するための録画装置選定手段と、録画装置選定手段により選定された録画装置に当該番組の録画に関する録画要求を送信するための録画要求送信手段とを含む。当該システムに含まれる録画装置は、さらに、録画要求装置から送信された当該番組の録画に関する要求に応答し、当該番組の録画に関する処理を実行するための録画処理実行手段を含む。録画装置選定方法は、番組情報送信手段が、番組表情報記憶手段に記憶される番組表情報のうち、特定の番組に関する情報を取得する番組情報取得ステップと、番組情報送信手段が、録画装置検出手段が検出する録画装置に番組に関する検索要求をネットワークを介して送信する番組情報送信ステップと、録画要求装置から送信された検索要求を録画装置が受信したことに応答して、判定手段が、検索要求によって特定される当該番組に関する情報と、録画情報記憶手段が記憶する録画情報とを比較し、比較の結果に応じて、当該録画装置が、当該番組の録画に適しているか否かを判定する判定ステップと、通知手段が、判定ステップの判定結果に応じた通知を、検索要求を送信した録画要求装置に送信する通知ステップと、録画装置選定手段が、通知ステップにおける複数の録画装置からの通知に基づき、当該番組を録画する録画装置を選定する録画装置選定ステップと、録画要求送信手段が、録画装置選定ステップにより選定された録画装置に当該番組の録画に関する要求を送信する録画処理要求送信ステップと、録画処理実行手段が、録画処理要求送信ステップにおいて録画要求装置から送信された当該番組の録画に関する要求に応答して、番組の録画に関する処理を実行するステップとを含む。【００９２】
本録画装置選定方法において、録画要求装置内において、番組表情報記憶手段に記憶される番組表情報から特定の番組の情報が取得される。検索要求送信手段は、取得した当該番組に関する情報を含む、当該番組に関する検索要求をネットワーク上の録画装置に送信する。これを受け、録画装置において、判定手段は、送信された当該番組に関する情報と、録画情報記憶手段に記憶される、録画履歴若しくは録画予約又はその両者を含む録画情報とを比較する。判定手段は、この比較の結果に応じて、当該録画装置が当該番組を録画するのに適しているか否かを判定する。通知手段は、判定手段による判定結果に応じた通知を検索要求の送信元の録画要求装置に送信する。録画要求装置は、録画装置からの通知に基づき、ネットワーク上の録画装置の中から当該番組の録画に適した録画装置を選定する。録画要求送信手段は、選定された録画装置に当該番組の録画に関する要求を送信する。当該番組の録画に関する要求を受けた録画装置は、当該番組の録画に関する処理を実行する。【００９３】
録画要求装置は、ネットワーク上の録画装置から当該番組の録画に適した録画装置を選定する。選定は、録画要求装置が送信した当該番組に関する情報に応じて、録画装置から返信された通知の内容に基づく。この通知は、録画装置における以下の判定に沿う。すなわち、本録画装置は、当該番組に関する情報と、録画履歴若しくは録画予定又はその両者とを比較し、比較結果により当該録画装置が番組の録画に適しているか否かを判定する。例えば前述のホームＮＷの例において、当該番組に関する情報、及び、ユーザ所有の録画装置内の情報は、ユーザの嗜好を反映しており、ホームＮＷ上の他の録画装置に比べ、ユーザ所有の録画装置の録画履歴若しくは録画予定又はその両者が当該番組に関する情報に類似する可能性が最も高い。録画履歴若しくは録画予定又はその両者と当該番組に関する情報との類似の度合いにより、録画装置が当該番組の録画に適しているか否かを判定する場合、ユーザ所有の録画装置は自身が当該番組の録画に適していると判定する可能性が高い。このため、ユーザ所有の録画装置からの通知により、録画要求装置がユーザ所有の録画装置を、当該番組を録画する録画装置として選定する可能性が高い。その結果、煩わしい録画装置の選択操作を回避して当該個人所有の録画装置を容易に選択することができる。【００９４】
本発明の第７の局面に係るコンピュータプログラムは、録画装置が接続されるネットワークに接続される録画要求装置であって、放送信号を受信し、放送信号に含まれる番組表情報を処理し、番組表情報を記憶するための番組表情報記憶手段と、ネットワークを介して録画装置と通信を行なうための通信手段と、番組表情報記憶手段に記憶される番組表情報を読出し可能で、かつ、通信手段を制御可能なように設けられたコンピュータとを含む、録画要求装置において、コンピュータにより実行されることにより、特定の番組の録画に適した録画装置を選定するためのコンピュータプログラムである。コンピュータプログラムは、コンピュータを、通信手段により録画装置を検出するための録画装置検出手段と、番組表情報記憶手段により記憶された番組表情報のうち、当該番組に関する情報を取得するための番組情報取得手段と、録画装置検出手段により検出された録画装置に、当該番組に関する情報を含む、当該番組に関する検索要求を、通信手段を制御して送信するための検索要求送信手段と、検索要求送信手段からの検索要求に応答して、録画装置から送信され、通信手段が受信した通知に基づき、当該番組を録画する録画装置を選定するための録画装置選定手段と、録画装置選定手段により選定された録画装置に当該番組の録画に関する録画要求を、通信手段を制御して送信するための録画要求送信手段として機能させる。【００９５】
本コンピュータプログラムにおいて、録画装置検出手段は、ネットワークに接続される録画装置を検出する。検索要求送信手段は、記憶される番組表情報のうちから特定の番組に関する情報を取得する。検索要求送信手段は、さらに、取得した情報を含む、当該番組に関する検索要求を接続する録画装置に送信する。この検索要求に応じて送信された録画装置からの通知を基に、録画装置選定手段は当該番組を録画するための録画装置を選定する。録画要求送信手段は、選定された録画装置に当該番組の録画に関する録画要求を送信する。【００９６】
本コンピュータプログラムは、ネットワーク上の録画装置から特定の番組の録画に適した録画装置を選定する。選定は、検索要求送信手段が送信した当該番組に関する情報に応じて、録画装置から返信された通知の内容に基づく。通知の内容は、録画装置内の情報に対し、当該番組に関する情報を検索キーとして検索した結果にしたがう。【００９７】
例えば前述のホームＮＷにおいて、共有の録画要求装置から、ユーザがある番組の録画を指示したものとする。当該番組に関する情報、及び、ユーザ所有の録画装置内の情報は、ユーザの嗜好を反映している可能性が高い。このため、ネットワーク上の他の録画装置に比べて、ユーザ所有の録画装置内の情報が、当該番組に関する情報に対する検索において一致または類似の態様を示す可能性が最も高い。したがって、ユーザ所有の録画装置の通知は、一致又は類似の検索結果を反映したものになる可能性が高い。本コンピュータプログラムが、一致又は類似の検索結果を反映した内容を通知する録画装置を、当該番組を録画する録画装置に選定する場合、上記例において、本コンピュータプログラムはユーザ所有の録画装置を選定する可能性が高い。【００９８】
以上のことにより、本コンピュータプログラムによれば、煩わしい個人認証の操作及び動作無しに、個人所有の録画装置を当該番組の録画装置として選定することが可能である。【００９９】
本発明の第８の局面に係るコンピュータプログラムは、少なくとも１つの録画要求装置が接続されるネットワークに接続される録画装置であって、録画要求装置は、特定の番組に関する情報を含む、当該番組に関する検索要求を録画装置に送信することを特徴とし、録画装置は、当該録画装置における録画履歴若しくは録画予定又はその両者を含む、録画情報を記憶するための録画情報記憶手段と、録画要求装置とネットワークを介して通信を行なうための通信手段と、当該番組の録画に関する処理を実行するための録画処理実行手段と、録画情報記憶手段に記憶される録画情報を読出し可能で、かつ、通信手段及び録画処理実行手段を制御可能なように設けられたコンピュータとを含む、録画装置において、コンピュータにより実行されることにより、当該番組の録画に関する処理を行なうためのコンピュータプログラムである。コンピュータプログラムは、コンピュータを、通信手段が録画要求装置から検索要求を受信したことに応答して、検索要求によって特定される当該番組に関する情報と、録画情報記憶手段に記憶される録画情報とを比較し、比較の結果に応じて当該録画装置が当該番組の録画に適しているか否かを判定するための判定手段と、通信手段を制御して、判定手段の判定結果に応じた通知を検索要求を送信した録画要求装置に送信するための通知手段と、通信手段が、録画要求装置から送信された当該番組の録画に関する要求を受信したことに応答し、録画処理実行手段を制御して当該番組の録画に関する処理を実行するための手段として機能させる。【０１００】
本コンピュータプログラムは、当該番組に関する情報と、録画履歴若しくは録画予定又はその両者とを比較し、比較結果により当該録画装置が番組の録画に適しているか否かを判定する。例えば前述のホームＮＷの例において、ネットワーク上の他の録画装置に比べて、ユーザ所有の録画装置内の情報が、当該番組に関する情報に対する検索において一致または類似の態様を示す可能性が最も高い。本コンピュータプログラムは、このように、当該番組に関する情報と、ネットワーク上の録画装置内の情報の類似の度合いを反映した通知等を行なう。類似の度合いにより、当該番組を録画する録画装置が選定される場合、上記例において、ユーザ所有の録画装置が選定される可能性が高い。このことにより、煩わしい個人認証の操作及び動作無しに、個人所有の録画装置を当該番組の録画装置として選定することが出来る。
【発明の効果】
【０１０１】
以上のように、本システムは、特定の番組の録画に関し、ネットワーク上の複数の録画装置から、当該番組に関する情報と、各録画装置の録画履歴及び録画予定とを比較し、その比較の結果に基づいて当該番組の録画を実行する録画装置を選択する。このことにより、本システムによれば、個人認証のための煩雑な操作及び動作無しに、当該番組の録画の実行に適した録画装置を選択することが可能である。
【図面の簡単な説明】
【０１０２】
【図１】本発明の第１の実施の形態に係る番組録画システム１０の概略ブロック図である。
【図２】図１に示す第１の番組視聴装置３１の機能概略ブロック図である。
【図３】図２に示す番組情報記憶部１２１が記憶する番組情報の一例である。
【図４】図２に示すホームＮＷ設定記憶部１２３に記憶されるホームＮＷ装置情報の一例である。
【図５】図１に示す第１の録画装置３２の機能概略ブロック図である。
【図６】図５に示す推薦番組抽出部２１３が算出する嗜好情報の一例である。
【図７】図５に示す録画スケジュール生成部２１４が生成する自動録画予約番組及び推薦番組のリストの一例である。
【図８】図１に示すホームＮＷ録画装置選択制御部１１５が実行する、ホームＮＷ上の録画装置を選択し番組録画を実行するためのメインプログラムのフローチャートである。
【図９】図８に示すＳ１０６において図２に示す表示部１１９に表示される表示画面の一例である。
【図１０】図５に示す録画予約番組・推薦番組検索部２１５が実行する、録画状態、又は、当該録画装置が対象であるか否かの判定結果を番組視聴装置に通知するためのプログラムのフローチャートである。
【図１１】図１０に示すＳ２０３における判定を行なうためのプログラムのフローチャートである。
【図１２】図１０に示すＳ２０３における判定を行なうためのプログラムのフローチャートである。
【図１３】図１に示す番組視聴装置３１の視聴番組のタイムテーブルの一例である。
【図１４】本発明の第２の実施の形態に係る番組録画システムにおいて、ホームＮＷ録画装置選択制御部１１５が実行する、ホームＮＷ上の録画装置を選択しＥＰＧ情報に含まれる全番組に割当てるためのプログラムのフローチャートである。
【図１５】ユーザの録画指示に応じてホームＮＷ録画装置選択制御部１１５が実行する、当該番組に割当てられた録画装置により録画を実行するためのプログラムのフローチャートである。
【図１６】本発明の第３の実施の形態に係る番組録画システムにおいて、ホームＮＷ録画装置選択制御部１１５が実行する、当該番組録画に適した録画装置を選択し記憶するためのプログラムのフローチャートである。
【図１７】本発明の第４の実施の形態に係る番組録画システムにおいて、ホームＮＷ録画装置選択制御部１１５が実行する、当該番組録画に適した録画装置を選択し当該録画装置に録画を実行させるためのプログラムのフローチャートである。
【図１８】図１７に示すＳ３７４においてＮＯと判定されたことに応答して実行される処理のフローチャートである。
【図１９】本発明の第５の実施の形態に係る番組録画システムにおいて、ホームＮＷ録画装置選択制御部１１５が実行する、当該番組録画に適した録画装置を選択し当該録画装置に録画を実行させるためのプログラムのフローチャートである。
【符号の説明】
【０１０３】
１０  番組録画システム、３０  ホームＮＷ、３１，３３  番組視聴装置、３２，３４  録画装置、４０  リモコン、１００，２００  アンテナ、１０１，２０１  チューナ、１０２，２０２  ＩＰ通信部、１０３，２０３  ユーザ操作部、１１０，２１０  処理部、１１１，２１１  動画音声複合部、１１２，２１２  番組情報抽出部、１１３  選局情報取得部、１１４  ホームＮＷ装置検出部、１１５  ホームＮＷ録画装置選択制御部、１１９  表示部、１２０  音声出力部、１２１，２２１  番組情報記憶部、１２３  ホームＮＷ設定記憶部、２１３  推薦番組抽出部、２１４  録画スケジュール生成部、２１５  録画予約番組・推薦番組検索部、２１６  録画処理部、２１７  コンテンツ管理部、２２０  映像・音声外部出力部、２２２  推薦番組・録画スケジュール記憶部、２２３  コンテンツ記憶部
【発明を実施するための最良の形態】
【０１０４】
［第１の実施の形態］
本発明の第１の実施の形態に係る番組録画システムは、前述のホームＮＷの環境を含む。本システムにおいて、ユーザが視聴中の番組の録画を番組視聴装置に指示すると、番組視聴装置は本システムに含まれる録画装置に対し、当該番組に関する情報（番組名、ジャンル、キーワード、出演者等）を検索キーとする検索要求をホームＮＷを介して送信する。当該番組に関する検索要求を受け、各録画装置は、当該番組に関する情報と自己の録画履歴及び録画予定との間に一定の類似関係があるか否かにより、当該録画装置が当該番組を録画するのに適しているか否かを示す情報を番組視聴装置に送信する。番組視聴装置はこの信号を受け、どの録画装置で録画すべきかを判断し、当該録画装置に当該番組の録画を指示する。【０１０５】
録画を指示するユーザの指示の傾向は、本システム中の各録画装置の中では、ユーザ所有の録画装置の録画履歴及び録画予定の傾向と類似する可能性が最も高い。したがって、上記の処理により、複数の録画装置からユーザ所有の録画装置が選択される場合が多い。【０１０６】
なお、以降、録画装置が当該番組を録画するのに適していると判断された場合は、その録画装置は「対象である」と呼び、そうでない場合は「対象外である」と呼ぶ。【０１０７】
−構成−
図１は、この実施の形態に係る番組録画システム１０を説明するための概念図である。図１を参照して、番組録画システム１０は、リビング２２に設置され、ユーザの家族で共有される第１の番組視聴装置３１及び第１の録画装置３２と、ユーザの個人部屋２０に設置される第２の番組視聴装置３３及び第２の録画装置３４と、第１及び第２の番組視聴装置３１及び３３、並びに第１及び第２の録画装置３２及び３４にそれぞれ接続されるホームＮＷ３０とを含む。【０１０８】
なお、ここでは、第１及び第２の番組視聴装置３１及び３３はいずれも、ネットワーク機能、及びデジタルメディアプレーヤ（Ｄｉｇｉｔａｌ  Ｍｅｄｉａ  Ｐｌａｙｅｒ。以下「ＤＭＰ」と呼ぶ。）機能等を含むデジタルＴＶであり、ホームＮＷ３０は有線ＬＡＮであるものとする。また、第１の番組視聴装置３１は赤外線リモコンから成るリモコン４０からの指示により操作されるものとする。【０１０９】
第１及び第２の番組視聴装置３１及び３３は、いずれもホームＮＷ３０上に接続されている録画装置に対して、特定の番組の録画を要求するための録画要求装置として機能する。【０１１０】
第１及び第２の録画装置３２及び３４はいずれも、ネットワーク機能、及びデジタルメディアサーバ（Ｄｉｇｉｔａｌ  Ｍｅｄｉａ  Ｓｅｒｖｅｒ。以下「ＤＭＳ」と呼ぶ。）機能等を含む、地上波デジタルチューナ搭載ＨＤＤ（Ｈａｒｄ  Ｄｉｓｃ  Ｄｒｉｖｅ）レコーダであるものとする。【０１１１】
図２は、第１の番組視聴装置３１の機能概略構成を示すブロック図である。なお、第１及び第２の番組視聴装置３１及び３３の構成は同一である。したがって、以下では第１の番組視聴装置３１の構成のみ説明する。【０１１２】
図２を参照して、第１の番組視聴装置３１は、デジタルテレビ放送信号を受信するためのアンテナ１００と、アンテナ１００が受信したデジタルテレビ放送信号を受けるように接続され、他から与えられたチャンネル選局信号により指定されたチャンネルのデジタル放送信号を選局して出力するためのデジタル放送フロントエンド処理部チューナ（以下「チューナ」と呼ぶ。）１０１と、ホームＮＷ３０に接続され、番組録画システム１０に含まれる他の装置との通信をＩＰ（Ｉｎｔｅｒｎｅｔ  Ｐｒｏｔｏｃｏｌ）によって行なうためのＩＰ通信部１０２と、ユーザからの操作制御指示を受けて関連する構成要素へ操作制御信号を送信するためのユーザ操作部１０３とを含む。【０１１３】
操作制御とはチャネル・入力の選択、音量の大小、録画指示等の第１の番組視聴装置３１に関わる制御等を含む。ここでは、ユーザ操作部１０３はリモコン４０から、ユーザ指示を受けるものとする。【０１１４】
第１の番組視聴装置３１は、さらに、チューナ１０１、ＩＰ通信部１０２及びユーザ操作部１０３に接続され、チューナ１０１から出力されたデジタルテレビ放送信号の受信と、このデジタルテレビ放送信号に含まれる、ユーザが選択したチャンネルのデジタル放送信号、及び、電子番組表（Ｅｌｅｃｔｒｏｎｉｃ  Ｐｒｏｇｒａｍ  Ｇｕｉｄｅ。以下「ＥＰＧ」と呼ぶ。）等を出力するための信号処理と、番組録画指示に応答し、録画履歴等に鑑みた録画装置の選択、及び選択した録画装置に対する録画指示と、その他番組視聴装置としての一般的な機能とを実現するための処理を行なう処理部１１０を含む。処理部１１０は、実質的にはＣＰＵ（Ｃｅｎｔｒａｌ  Ｐｒｏｃｅｓｓｉｎｇ  Ｕｎｉｔ）、メモリ、Ｉ／Ｏ（ｉｎｐｕｔ／ｏｕｔｐｕｔ）ポート等を含むコンピュータシステム及びそのコンピュータシステムにより実行される制御ソフトウエアによって実現される。【０１１５】
処理部１１０は、チューナ１０１から出力されたストリームからＡＶ情報を復号し、映像信号と音声信号とをそれぞれ出力するための動画・音声復号部１１１と、チューナ１０１から出力されたストリームのＳＩ（Ｓｅｒｖｉｃｅ  Ｉｎｆｏｒｍａｔｉｏｎ：番組配列情報）／ＰＳＩ（Ｐｒｏｇｒａｍ  Ｓｐｅｃｉｆｉｃ  Ｉｎｆｏｒｍａｔｉｏｎ：番組特定情報）情報に含まれているＥＰＧ情報を抽出するための番組情報抽出部１１２と、現在視聴中のストリームに関する番組情報を、後述する番組情報記憶部から取得するための選局情報取得部１１３と、ＩＰ通信部１０２が、ホームＮＷ３０に対する装置の接続又は取外しを示す信号を受信したことに応答して、ＵＰｎＰ（Ｕｎｉｖｅｒｓａｌ  Ｐｌｕｇ  ａｎｄ  Ｐｌａｙ）によりホームＮＷ３０に接続されている装置の検出と、接続装置に関する情報とを取得するためのホームＮＷ装置検出部１１４と、ユーザ操作部１０３により録画指示があったことに応答して、後述するホームＮＷ設定記憶部からホームＮＷ３０に接続される装置の情報を読出し、後述するプログラムを実行し、ホームＮＷ３０に接続される録画装置から当該番組を録画するのに最適な録画装置を選択し、当該録画装置に録画を指示するためのホームＮＷ録画装置選択制御部１１５とを含む。動画・音声復号部１１１、番組情報抽出部１１２、選局情報取得部１１３、ホームＮＷ装置検出部１１４及びホームＮＷ録画装置選択制御部１１５は、相互に通信することが可能である。【０１１６】
第１の番組視聴装置３１は、さらに、処理部１１０に接続され、動画・音声復号部１１１からの出力を受け、ユーザが選択したチャンネルで放映される番組の映像を表示するための表示部１１９と、処理部１１０に接続され、動画・音声復号部１１１からの出力を受け、ユーザが選択したチャンネルで放映される番組の音声を出力するための音声出力部１２０と、処理部１１０に接続され、番組情報抽出部１１２から出力されるＥＰＧ情報を記憶するための番組情報記憶部１２１と、処理部１１０に接続され、番組録画システム１０においてホームＮＷ３０に接続される装置に関する情報を記憶するためのホームＮＷ設定記憶部１２３とを含む。番組情報記憶部１２１及びホームＮＷ設定記憶部１２３は、実質的にはＨＤＤ（ハードディスクドライブ）である。【０１１７】
図３は、図２に示す第１の番組視聴装置３１において、チューナ１０１から出力されるデジタルテレビ放送信号のうちから、番組情報抽出部１１２により抽出され番組情報記憶部１２１に記憶される番組情報の一例である。図３を参照して、番組情報１６０は、第１の番組視聴装置３１で視聴された番組に関する情報を、番組毎に組にしたものである。番組情報１６０は、放送局名、番組名、放送日時、ジャンル、番組概要、及び出演者に関する情報を含む。ここでは、番組情報１６０は番組「お笑い×××××」に関する番組情報１７０、及び番組「旅△△△△△」に関する番組情報１７２を含む。【０１１８】
図４は、図２に示す第１の番組視聴装置３１において、ＩＰ通信部１０２により、ホームＮＷ３０の接続状態が変化した旨を示す信号を受信したことに応答して、ホームＮＷ装置検出部１１４により検出され、ホームＮＷ設定記憶部１２３に記憶されるホームＮＷ装置情報の一例である。【０１１９】
図４を参照して、ホームＮＷ装置情報１８０は、ホームＮＷ３０に接続される装置ごとの情報の組を一つの行で示すテーブルである。ホームＮＷ装置情報１８０は、各装置に対し、装置のＩＰアドレスを示すＩＰアドレスカラムと、装置の名称を示す名称カラムと、装置が番組録画に関して有している機能を示す、利用できる機能カラムと、装置の電源が投入されており他の装置からの指示を受信することが可能な状態であるか否かを示す状態カラムとを含む。なお、状態カラムは、各装置に対し、当該装置の電源投入時には「Ａｌｉｖｅ」、電源切断時には「Ｄｅａｄ」に設定される。【０１２０】
図５は、第１の録画装置３２の機能概略構成を示すブロック図である。なお、第１及び第２の録画装置３２及び３４の構成は同一である。したがって、以下では第１の録画装置３２の構成のみ説明する。【０１２１】
図５を参照して、第１の録画装置３２は、第１の番組視聴装置３１と似た構成をしている。すなわち、第１の録画装置３２は、図２に示すアンテナ１００、ＩＰ通信部１０２、及びユーザ操作部１０３とそれぞれ同様の、アンテナ２００、ＩＰ通信部２０２、及びユーザ操作部２０３を含む。第１の録画装置３２は、図２に示すチューナ１０１、処理部１１０、表示部１１９、音声出力部１２０、番組情報記憶部１２１、及びホームＮＷ設定記憶部１２３の代りに、チューナ２０１、処理部２１０、映像・音声外部出力部２２０、番組情報記憶部２２１、推薦番組・録画スケジュール記憶部２２２、及び、コンテンツ記憶部２２３をそれぞれ含む点で、第１の番組視聴装置３１の構成とは異なる。【０１２２】
なお、推薦番組とは、後述する第１の録画装置３２の録画に関する嗜好情報に基づいて、第１の録画装置３２がユーザに録画することを薦める番組のことを指す。推薦番組及び嗜好情報の詳細については後述する。【０１２３】
チューナ２０１は、アンテナ２００が受信したデジタルテレビ放送信号を受けるように接続され、後述する録画処理部からの指示により与えられたチャンネル選局信号により指定されたチャンネルのデジタル放送信号を選局して出力する。【０１２４】
処理部２１０は、チューナ２０１、ＩＰ通信部２０２、ユーザ操作部２０３、映像・音声外部出力部２２０、番組情報記憶部２２１、推薦番組・録画スケジュール記憶部２２２、及びコンテンツ記憶部２２３にそれぞれ接続され、チューナ２０１から出力されたストリームの受信と、このストリームを出力するための信号処理と、第１の番組視聴装置３１等からの録画に関する検索要求があった場合、第１の録画装置３２の録画状態が当該番組録画の対象であるか否かを判定した結果等を、ＥＰＧ情報を送信した番組視聴装置に送信するためのプログラムの実行と、その他録画装置としての一般的な機能を実現するための処理とを行なう。処理部２１０は、実質的にはＣＰＵ、メモリ、ＩＯ等を含むコンピュータシステム及びそのコンピュータシステムにより実行される制御ソフトウエアによって実現される。【０１２５】
処理部２１０は、チューナ２０１から出力されたストリームからＡＶ情報を復号し、映像・音声外部出力部２２０に出力するための動画・音声復号部２１１と、チューナ２０１から出力されたストリームのＳＩ／ＰＳＩ情報に含まれているＥＰＧ情報を抽出し、番組情報記憶部２２１に記録するための番組情報抽出部２１２と、番組情報記憶部２２１に記憶される番組情報、及び推薦番組・録画スケジュール記憶部２２２に記憶される過去の録画番組の情報を読出し、これらの情報に基づき推薦番組を抽出しこれを記憶するための推薦番組抽出部２１３と、自動録画設定、及び、推薦番組抽出部２１３に記憶される推薦番組等に基づいて録画スケジュールを生成するための録画スケジュール生成部２１４と、ＩＰ通信部２０２が第１の番組視聴装置３１等から特定番組のＥＰＧ情報を入手したことに応答して、後述するプログラムを実行し、当該ＥＰＧ情報を検索キーとして、第１の録画装置３２の、録画予約番組、推薦番組、及び録画済番組を検索し、その結果をＥＰＧ情報の送信元番組視聴装置へ送信するための録画予約番組・推薦番組検索部２１５とを含む。【０１２６】
録画予約番組とは、通常、ユーザが番組表等から特定の番組を指定することにより録画予約された番組と、ジャンル、キーワード等の設定により自動的に録画予約された自動録画予約番組とを意味する。ここでは、説明のため、自動録画予約のみが行なわれたものとする。【０１２７】
処理部２１０は、さらに、推薦番組・録画スケジュール記憶部２２２に記憶される録画スケジュール、ユーザ操作部２０３からの指示、及びＩＰ通信部２０２からの録画命令に従って、チューナ２０１の選局を行ない、処理部２１０に入力されたストリームをコンテンツ記憶部２２３に記憶するための録画処理部２１６と、コンテンツ記憶部２２３に記憶されるコンテンツを管理するためのコンテンツ管理部２１７とを含む。動画・音声復号部２１１、番組情報抽出部２１２、推薦番組抽出部２１３、録画スケジュール生成部２１４、録画予約番組・推薦番組検索部２１５、録画処理部２１６、及びコンテンツ管理部２１７は、相互に通信することが可能である。【０１２８】
映像・音声外部出力部２２０は、処理部２１０に接続され、第１の録画装置３２に接続される、図１に示す第１の番組視聴装置３１のような外部装置に対し、動画・音声復号部２１１から出力された信号を出力する。【０１２９】
番組情報記憶部２２１は、処理部２１０に接続され、番組情報抽出部２１２から出力されるＥＰＧ情報を記憶する。【０１３０】
推薦番組・録画スケジュール記憶部２２２は、処理部２１０に接続され、推薦番組抽出部２１３及び録画スケジュール生成部２１４により作成された推薦番組、自動録画予約番組、及び録画済番組に関する情報、並びに録画スケジュールを記憶するためのものである。推薦番組及び録画済番組に関する情報の態様は、例えば、図３に示す番組情報１６０と同様である。なお、以降、録画済番組に関する情報を録画履歴と呼ぶ。【０１３１】
コンテンツ記憶部２２３は、録画処理部２１６に接続され、録画処理部２１６により録画されたコンテンツを記憶する。【０１３２】
なお、ユーザ操作部２０３から再生等の指示があった場合、動画・音声復号部２１１はコンテンツ記憶部２２３に記憶された当該記憶情報を読出し、当該処理を実行する。【０１３３】
なお、本実施の形態では、番組情報記憶部２２１、推薦番組・録画スケジュール記憶部２２２、及びコンテンツ記憶部２２３は実質的にはＨＤＤである。【０１３４】
図６は、図５に示す第１の録画装置３２において、推薦番組・録画スケジュール録画部２２２に記憶された過去の録画履歴から、推薦番組抽出部２１３が作成した、第１及び第２の録画装置３２及び３４の録画に関する、それぞれの嗜好情報の例である。【０１３５】
図６を参照して、第１の録画装置３２に関する嗜好情報２４０、及び、第２の録画装置３４に関する嗜好情報２４２は、過去の録画履歴から、ジャンル、キーワード、出演者等の各属性に対応する単語を抽出し、各属性における各単語の出現割合が上位５件のものを、その出現割合と共に表示している。出現割合とは、例えば当該単語がジャンルに対応するのであれば、ジャンルに対応する全単語の出現件数の総和を１００％とした時の、当該単語の出現件数の割合を示す。【０１３６】
なお、推薦番組・録画スケジュール記憶部２２２に記憶された録画履歴には、全ての属性に対応する単語が存在するとは限らない。このため、嗜好情報の態様も、嗜好情報２４０及び２４２の例のように、各属性について５件以上の対応する単語を抽出できるとは限らない。【０１３７】
図７は、図５に示す第１の録画装置３２等において、ユーザ操作部２０３からのユーザの自動録画指示、及び、推薦番組抽出部２１３が作成した嗜好情報に基づいて、録画スケジュール生成部２１４により生成された自動録画予約番組及び推薦番組のリストの一例である。【０１３８】
図７（Ａ）を参照して、リスト２６０は、第１の録画装置３２において、自動録画予約番組、及び推薦番組抽出部２１３により抽出された推薦番組に関する、各放送局名と、番組名と、番組放映時間の情報を含む。ここでは、推薦番組として、図６に示す嗜好情報２４０により、ジャンルのうち出現割合が１０％以上のものに対応する番組が挙げられているものとする。抽出された番組が既に自動録画予約番組として登録されている場合、録画スケジュール生成部２１４は当該番組を推薦番組としないこととする。また、推薦番組はユーザの録画指示がなければ録画されないものとする。【０１３９】
図７（Ｂ）を参照して、リスト２６２は、第２の録画装置３４における自動録画予約番組及び推薦番組に関する、リスト２６０と同様の情報を含む。【０１４０】
図８は、第１の番組視聴装置３１において視聴中の番組について、ユーザが録画指示を行なったことに応答して起動され、図２に示すホームＮＷ録画装置選択制御部１１５が実行し、ホームＮＷ３０に接続された録画装置のうち最適なものを選択して録画を実行するためのプログラムのフローチャートである。【０１４１】
図８を参照して、録画装置選択メイン制御のためのプログラムは、当該番組のＥＰＧ情報を図２に示す選局情報取得部１１３より取得するステップ（以下「Ｓ」と呼ぶ。）１０１を含む。ここでのＥＰＧ情報とは、例えば、図３に示す視聴番組情報１６０のような、放送局、番組名、放送日時、ジャンル、番組概要及び出演者等の番組に関する一組の情報を示す。以降、この一組の情報のことを説明のため、「ＥＰＧ１」と呼ぶ。【０１４２】
本プログラムは、さらに、ホームＮＷ設定記憶部１２３に記録されているホームＮＷ３０上の各録画装置のアドレスを取得し、ホームＮＷ３０上の各録画装置に対し、ＩＰ通信部１０２を経由してＥＰＧ１を検索キーとする検索リクエストを送り、これに応答して、ホームＮＷ３０上の各録画装置から送信された、それぞれの検索結果を受け取るＳ１０２を含む。Ｓ１０２において、各録画装置は、当該録画装置が、当該番組の録画を実行中であるか、他の番組を録画中でありビジーであるか、又は、当該番組録画に対し対象であるか否かの判定結果のいずれかを第１の番組視聴装置３１に送信する。Ｓ１０２における録画装置の応答の詳細については後述する。【０１４３】
本プログラムは、さらに、Ｓ１０２の後に実行され、全ての録画装置が当該番組の録画において対象外であるか否かを判定し、判定結果に応じて制御の流れを分岐させるＳ１０３と、Ｓ１０３において全ての録画装置が対象外ではないと判定されたことに応答して実行され、既に当該番組を録画している録画装置があるか否かを判定し、判定結果に応じて制御の流れを分岐させるＳ１０４と、Ｓ１０４において既に当該番組を録画している録画装置があると判定されたことに応答して実行され、図２に示す表示部１１９に録画中の録画装置名を表示したのち処理を終了するＳ１１１と、Ｓ１０４において当該番組を録画している録画装置がないと判定されたことに応答して実行され、対象の録画装置が一台のみか否かを判定し、判定結果に応じて制御の流れを分岐させるＳ１０５と、Ｓ１０５において対象の録画装置が一台ではないと判定されたことに応答して実行され、図９に示す画像２８０のように、図２に示す表示部１１９に対象の録画装置名を表示しユーザの選択を受けるＳ１０６と、Ｓ１０６の後に実行され、Ｓ１０６において選択された録画装置に当該番組を録画する指示をＩＰ通信部１０２を介して送信し、処理を終了するＳ１０７とを含む。【０１４４】
本プログラムは、さらに、Ｓ１０５において対象の録画装置が一台しかないと判定されたことに応答して実行され、当該録画装置に当該番組の録画の指示を送信し処理を終了するＳ１１２と、Ｓ１０３において全ての録画装置が対象外であると判定されたことに応答して実行され、当該番組の放映時刻において、デフォルトの録画装置はビジーであるか否かを判定し、判定結果に応じて制御の流れを分岐させるＳ１０８と、Ｓ１０８においてデフォルトの録画装置はビジーであると判定されたことに応答して実行され、図２に示す表示部１１９にエラー表示を行なった後、プログラムの処理を終了するＳ１０９と、Ｓ１０８においてデフォルトの録画装置はビジーではないと判定されたことに応答して実行され、デフォルトの録画装置に当該番組の録画を指示した後処理を終了するＳ１１０とを含む。【０１４５】
図９に、図８に示すＳ１０６において、図２に示す第１の番組視聴装置３１の表示部１１９に表示される、対象の録画装置名を含む表示画面の一例を示す。この表示画面により、第１の番組視聴装置３１はユーザから録画を実行させる録画装置の選択を受ける。図９を参照して、表示画面２８０は第１及び第２の録画装置３２及び３４の名称の表示を含む。図９の例では、カーソルにより第２の録画装置３４が選択されている。ここでは、前回操作の操作者と今回の操作者が同一人物という仮定の下、前回操作において選択された録画装置の名称にカーソルのフォーカスを行なうものとする。【０１４６】
図１０は、ホームＮＷ３０上の録画装置において、番組視聴装置から特定の番組のＥＰＧ情報を受信したことに応答して起動され、録画予約番組・推薦番組検索部２１５が実行する、各録画装置が対象であるか否かを判定した判定結果等を当該番組視聴装置に通知するためのプログラムのフローチャートである。【０１４７】
図１０を参照して、本プログラムは、当該録画装置が現在録画中か否かを判定し、判定結果に応じて制御の流れを分岐させるＳ２０１と、Ｓ２０１において当該録画装置が現在録画中ではないと判定されたことに応答して実行され、図５に示す推薦番組・録画スケジュール記憶部２２２に記憶される推薦番組のリスト内に当該番組が含まれるか否かを判定し、判定結果に応じて制御の流れを分岐させるＳ２０２と、Ｓ２０２において当該番組が推薦番組のリスト内に含まれていないと判定されたことに応答して実行され、推薦番組・録画スケジュール記憶部２２２に記憶される録画履歴の中に当該番組と類似の番組があるか否かを判定し、判定結果に応じて制御の流れを分岐させるＳ２０３とを含む。Ｓ２０３における判定方法の詳細については後述する。【０１４８】
本プログラムは、さらに、Ｓ２０３において録画履歴の中に当該番組と類似の番組がないと判定されたことに応答して実行され、当該録画装置が対象外である旨を図５に示すＩＰ通信部２０２を介して当該番組視聴装置に通知するＳ２０５と、Ｓ２０２又はＳ２０３においてＹＥＳと判定されたことに応答して実行され、当該録画装置が対象であることを番組視聴装置に通知するＳ２０６とを含む。Ｓ２０５及びＳ２０６の後、処理は終了する。【０１４９】
本プログラムは、さらに、Ｓ２０１において、現在録画中であると判定されたことに応答して実行され、録画番組が検索対象と同じであるか否かを判定し、判定結果に応じて制御の流れを分岐させるＳ２０４と、Ｓ２０４において、録画番組が検索対象と同じであると判定されたことに応答して実行され、当該番組が既に録画設定され、録画中であることを当該番組視聴装置に通知するＳ２０７と、Ｓ２０４において録画番組が検索対象番組と同じではないと判定されたことに応答して実行され、他の番組を録画中でありビジーである旨を当該番組視聴装置に通知するＳ２０８とを含む。Ｓ２０７及びＳ２０８の後、処理は終了する。【０１５０】
図１１に、図１０に示すＳ２０２においてＮＯと判定されたことに応答して、録画予約番組・推薦番組検索部２１５が実行する、Ｓ２０３の判定を行なうためのプログラムのフローチャートを示す。【０１５１】
図１１を参照して、本プログラムは、推薦番組抽出部２１３により作成され記憶される当該録画装置の嗜好情報より、ジャンル及びキーワードに関する単語のうち、出現割合上位５件に該当するものをそれぞれ抽出するＳ２２０と、Ｓ２２０の後に実行され、ジャンルに関する単語が抽出されたか否かを判定し、判定結果に応じて制御の流れを分岐させるＳ２２２と、Ｓ２２２においてジャンルに関する単語が抽出されたと判定されたことに応答して実行され、Ｓ２２０において抽出されたジャンルに関する単語に、ＥＰＧ１と同じジャンルのものがあるか否かを判定し、判定結果に応じて制御の流れを分岐させるＳ２２４とを含む。【０１５２】
本プログラムは、さらに、Ｓ２２４においてＥＰＧ１と同じジャンルがあると判定されたことに応答して実行され、当該ジャンルに関する単語の履歴全体に占める割合ｘ％を計算するＳ２２５と、Ｓ２２５の後に実行され、割合ｘ％が予め定められたしきい値ａ％を超えるか否かを判定し、判定結果に応じて制御の流れを分岐させるＳ２２６とを含む。ここではａ＝５であるとする。【０１５３】
本プログラムは、さらに、Ｓ２２２、Ｓ２２４及びＳ２２６においてＮＯと判定されたことに応答して実行され、Ｓ２２０においてキーワードに関する単語が抽出されたか否かを判定し、判定結果に応じて制御の流れを分岐させるＳ２２８と、Ｓ２２８においてキーワードが抽出されたと判定されたことに応答して実行され、抽出されたキーワードに関する単語の中に、ＥＰＧ１と同じものがあるか否かを判定し、判定結果に応じて制御の流れを分岐させるＳ２３０とを含む。【０１５４】
本プログラムは、さらに、Ｓ２２６及びＳ２３０においてＹＥＳと判定されたことに応答して実行され、当該録画装置の録画履歴にＥＰＧ１と類似の番組があると決定するＳ２３２と、Ｓ２２８及びＳ２３０においてＮＯと判定されたことに応答して実行され、当該録画装置の録画履歴にＥＰＧ１と類似の番組がないと決定するＳ２３４とを含む。Ｓ２３２及びＳ２３４の後、処理を終了する。【０１５５】
−動作−
以上に構成を説明した番組録画システム１０は、以下のように動作する。なお、以下の説明において、便宜上、番組録画システム１０に係る全ての構成要素の主電源は常時投入されているものとする。【０１５６】
図１及び図２を参照して、リビングにおいて、ユーザがリモコン４０から、第１の番組視聴装置３１に対し、現在視聴中の番組の録画指示を行なったものとする。第１の番組視聴装置３１中のユーザ操作部１０３はこれを受け、録画指示があった旨をホームＮＷ録画装置選択制御部１１５に伝える。録画指示に応答して、ホームＮＷ録画装置選択制御部１１５は図８に制御構造を示すプログラムを起動する。【０１５７】
図８に示すＳ１０１及びＳ１０２において、ホームＮＷ録画装置選択制御部１１５は、選局情報取得部１１３から現在視聴中の番組情報ＥＰＧ１を取得する。ホームＮＷ録画装置選択制御部１１５は、ホームＮＷ設定記憶部１２３からホームＮＷ３０に接続される装置に関する情報を取得する。ここでは取得情報が図４に示すホームＮＷ装置情報１８０であったものとする。ホームＮＷ録画装置選択制御部１１５は、ホームＮＷ装置情報１８０に含まれる各装置の利用できる機能情報及び状態情報に基づき、接続装置のうち当該時間に番組録画が可能な録画装置を選択する。ホームＮＷ録画装置選択制御部１１５は、選択した第１及び第２の録画装置３２及び３４のＩＰアドレスを取得し、ＩＰ通信部１０２を介して当該ＩＰアドレスあてに検索リクエストを送信する。【０１５８】
図５を参照して、第１及び第２の録画装置３２及び３４の各々のＩＰ通信部２０２が、第１の番組視聴装置３１から検索リクエストを受信したものとする。これに応答して、録画予約番組・推薦番組検索部２１５は、図１０に制御構造を示すプログラムを実行する。当該録画装置は本プログラムの処理により判定を行ない、当該録画装置の録画状態及び録画履歴に基づいて以下４種類の通知のいずれかを、ＩＰ通信部２０２を介して第１の番組視聴装置３１に通知する。【０１５９】
＜録画装置から番組視聴装置への通知＞
１．当該番組が既に録画設定されている旨の通知（Ｓ２０７）
現在録画中であり（Ｓ２０１においてＹＥＳ）、録画対象がＥＰＧ１により示されるのと同じ番組である場合（Ｓ２０４においてＹＥＳ）。【０１６０】
２．ビジー通知（Ｓ２０８）
現在録画中であり（Ｓ２０１においてＹＥＳ）、録画対象がＥＰＧ１により示されるのと別の番組である場合（Ｓ２０４においてＮＯ）。【０１６１】
３．当該録画装置が当該番組録画の対象である旨の通知（Ｓ２０６）
現在録画しておらず（Ｓ２０１においてＮＯ）、推薦番組・録画スケジュール記憶部２２２に記憶されている自動録画予約情報及び推薦番組情報に、ＥＰＧ１により示されるのと同じ番組が含まれる場合（Ｓ２０２においてＹＥＳ）。または、推薦番組・録画スケジュール記憶部２２２に記憶されている録画履歴に類似の番組がある場合（Ｓ２０３においてＹＥＳ）。【０１６２】
４．当該録画装置が当該番組録画の対象外である旨の通知（Ｓ２０５）
当該時間において録画設定されておらず（Ｓ２０１においてＮＯ）、推薦番組・録画スケジュール記憶部２２２に記憶されている自動録画予約情報及び推薦番組情報に、ＥＰＧ１により示されるのと同じ番組は含まれず（Ｓ２０２においてＮＯ）、推薦番組・録画スケジュール記憶部２２２に記憶されている録画履歴にも類似の番組が無い場合（Ｓ２０３においてＮＯ）。【０１６３】
ここで録画履歴に当該番組と類似の番組が含まれるか否かは、Ｓ２０２においてＮＯと判定されたことに応答して実行される、図１１に制御構造を示すプログラムにより判定される。Ｓ２２０において、録画予約番組・推薦番組検索部２１５は、推薦番組・録画スケジュール記憶部２２２に記憶され、推薦番組抽出部２１３が算出した当該録画装置における嗜好情報より、ジャンル及びキーワードに関する単語のうち、出現割合上位５件に該当するものをそれぞれ抽出する。抽出されたジャンルに対応する単語の中にＥＰＧ１と同じものがあり、かつ、当該単語の出現割合が５％を超えた場合（Ｓ２２２、Ｓ２２４、及びＳ２２６においてＹＥＳ）、並びに、前述の条件は満たさないが、抽出されたキーワードに対応する単語の中にＥＰＧ１と同じものがあった場合（Ｓ２２８及びＳ２３０においてＹＥＳ）、録画予約番組・推薦番組検索部２１５は当該録画装置を対象と判定し、そうでない場合は対象外と判定する。録画予約番組・推薦番組検索部２１５は、ＩＰ通信部２０２を介して第１の番組視聴装置３１に判定結果を通知する。【０１６４】
第１の番組視聴装置３１のホームＮＷ録画装置選択制御部１１５は、ホームＮＷ上の録画装置からの通知を受け、以下の処理を実行する。既に録画している録画装置があった場合（Ｓ１０３でＮＯ、Ｓ１０４でＹＥＳ）、表示部１１９に当該録画装置名を表示する。対象の録画装置が１台の場合（Ｓ１０５でＹＥＳ）、当該録画装置名を表示部１１９に表示し、当該録画装置に当該番組の録画を指示する。対象の録画装置が複数あった場合（Ｓ１０５でＮＯ）、ホームＮＷ録画装置選択制御部１１５は図９に示すような、対象の録画装置名を含む画面を表示部１１９に表示する（Ｓ１０６）。ユーザがリモコン操作により録画を実行する録画装置を画面上で選択すると、ホームＮＷ録画装置選択制御部１１５は当該録画装置に当該番組の録画指示を行なう（Ｓ１０７）。全ての録画装置が対象外であった場合（Ｓ１０３でＹＥＳ）、ホームＮＷ録画装置選択制御部１１５は、第１の番組視聴装置３１のデフォルトの録画装置の録画状態を確認する。当該録画装置がビジーであった場合、ホームＮＷ録画装置選択制御部１１５は表示部１１９に録画不可の旨を示すエラー表示を行ない、そうでない場合、当該録画装置に録画指示を行なう。【０１６５】
図１３に、図１に示す番組録画システム１０の動作を具体的に説明するための、第１の番組視聴装置３１における視聴番組のタイムテーブル２９０を示す。１９：００〜２４：００の間、ユーザが第１の番組視聴装置３１においてタイムテーブル２９０に示す各番組を視聴中であり、その都度、録画指示を行なったものとする。図１、図２、図５及び図１３を参照して、各番組録画に対する１０の動作を以下に説明する。【０１６６】
＜タイムテーブル２９０における具体的動作例＞
１．１９時台（チャンネル「テレビ〇〇」で放映中の「お笑い×××××」）
ここでは、当該番組情報が図３に示す番組情報１７０であるものとする。第１の番組視聴装置３１のホームＮＷ録画装置選択制御部１１５は、番組情報１７０を第１及び第２の録画装置３２及び３４に送信する。ここで、第１及び第２の録画装置３２及び３４の推薦番組・録画スケジュール記憶部２２２に記憶される録画スケジュールが、それぞれ、図７に示す録画スケジュール２６０及び２６２であり、推薦番組の録画は指示されていないものとする。【０１６７】
第１及び第２の録画装置３２及び３４において、いずれも録画中では無く、第２の録画装置３４のみ、録画スケジュール２６２において、推薦番組に視聴中番組が含まれている。このため、第２の録画装置は対象であることを第１の番組視聴装置３１に通知する。【０１６８】
一方、第１の録画装置３２では、録画履歴と視聴中番組情報とが比較される。録画予約番組・推薦番組検索部２１５は、推薦番組抽出部２１３から図６に示す嗜好情報２４０を読出し、番組情報１７０と比較する。番組情報１７０より、ＥＰＧ１のジャンルは「バラエティ」であり、嗜好情報２４０において「バラエティ」が示す出現割合はしきい値ａを超えないため、キーワードの比較が行なわれる。ここでは、録画履歴にＥＰＧ１と同じキーワードのものが無かったとすると、録画履歴にＥＰＧ１と類似の番組が無いと決定される。第１の録画装置３２は第１の番組視聴装置３１に対象外であることを通知する。【０１６９】
対象の録画装置は第２の録画装置３４の一台のみとなり、第１の番組視聴装置３１は第２の録画装置３４に当該番組の録画を指示する。【０１７０】
２．２０時台（チャンネル「テレビ〇〇」で放映中の「旅△△△△△」）
第１の録画装置３２の録画予約番組・推薦番組検索部２１５は、録画スケジュール２６０において、当該番組を自動録画予約しているため、第１の番組視聴装置３１に既に録画中であることを通知する。【０１７１】
一方、第２の録画装置３４の録画予約番組・推薦番組検索部２１５は、録画スケジュール２６２において、当該番組が推薦番組に設定されているため、対象であることを第１の番組視聴装置３１に通知する。【０１７２】
第１の番組視聴装置３１のホームＮＷ録画装置選択制御部１１５は、第１及び第２の番組視聴装置３２及び３４からの通知を受け、第１の番組視聴装置３２で当該番組を既に録画しているため第２の番組視聴装置３２の名称を画面表示する。【０１７３】
３．２１時台（チャンネル「テレビ△△」で放映中の「ドラマ△△」）
第１の録画装置３２の録画スケジュール２６０、及び、第２の録画装置３４の録画スケジュール２６２において、いずれも当該番組が推薦番組に登録されている。このため第１及び第２の番組視聴装置３２及び３４は、それぞれ、対象であることを第１の番組視聴装置３１に通知する。対象の録画装置が複数あることを受け、第１の番組視聴装置３１のホームＮＷ録画装置選択制御部１１５は表示部１１９に図９に示す画面２８０を表示させる。ユーザが画面２８０のように第２の録画装置３４を選択したとすると、第１の番組視聴装置３１は第２の録画装置３４に当該番組の録画を指示する。【０１７４】
４．２２時台（チャンネル「テレビ▽▽」で放映中の「映画〇×」）
第１の番組視聴装置３２の録画スケジュール２６０、及び、第２の録画装置３４の録画スケジュール２６２において、いずれも当該番組が自動録画予約及び推薦番組に登録されていない。ここで、当該番組に対し第１及び第２の番組視聴装置３２及び３４の各録画履歴に類似のものが無かったとする。第１及び第２の番組視聴装置３２及び３４は第１の番組視聴装置３１に対象外であることを通知する。ここで、第１の番組視聴装置３１のデフォルトの録画装置が第１の番組視聴装置３２であったものとする。録画スケジュール２６０より第１の番組視聴装置３２はビジーではないことから、第１の番組視聴装置３１は第１の番組視聴装置３２に当該番組の録画を指示する。【０１７５】
５．２３時台（チャンネル「テレビ××」で放映中の「ミュージック××」）
第１の番組視聴装置３２の録画スケジュール２６０、及び、第２の録画装置３４の録画スケジュール２６２において、いずれも当該番組が自動録画予約及び推薦番組に登録されていない。ここで、当該ドラマのジャンルが「音楽」であったとすると、嗜好情報２４０及び２４２より、第２の録画装置３４のみに、録画履歴に類似の番組が存在する（嗜好情報２４２中の「ジャンル  音楽  ７％」）。第１の録画装置３２は第１の番組視聴装置３１へ対象外であることを通知する。【０１７６】
第２の録画装置３４の録画予約番組・推薦番組検索部２１５は、ＥＰＧ１及び録画履歴の比較を行なう。嗜好情報２４２よりジャンルに対応する単語として「音楽」が抽出され「音楽」の出現割合が５％を超えるため、第２の録画装置３４は対象であることを第１の番組視聴装置３１へ通知する。第１の番組視聴装置３１は第２の録画装置３４へ当該番組の録画を指示する。【０１７７】
上記の例では、１９時台、及び２０時台のバラエティ番組に関する録画、及び２３時台の音楽番組に関する録画において、その録画履歴及び嗜好情報に鑑みてユーザ所有の第２の録画装置３４が選択されている。これは、ユーザの録画指示の傾向と第２の録画装置３４の録画履歴における傾向とが類似することに起因する。【０１７８】
以上のように、本番組録画システムによれば、ホームＮＷにおいて、ＮＷ上の複数の録画装置から、各録画装置の録画履歴に鑑みて当該番組録画を実行する録画装置を選択する。このことにより、当該個人所有の録画装置を、個人認証のための煩雑な操作及び動作無しに選択することが可能である。【０１７９】
なお、個人所有の録画装置が、それぞれの録画履歴において大きく異なる傾向を有する場合、当該個人所有の録画装置を選択する確率はさらに高くなる。例えば、第１の録画装置３２はスポーツ番組のみを、第２の録画装置３４はバラエティ番組のみを、過去に録画している場合等がある。【０１８０】
＜本実施の形態の変形例＞
ホームＮＷ３０は、ゲートウェイ装置を介して、グローバルネットワークに接続されていても良い。番組録画システム１０に含まれる各種装置は、グローバルネットワークに接続されている各種サーバ装置にアクセス可能であるようにしても良い。【０１８１】
上記した実施の形態では、ホームＮＷ３０は、有線ＬＡＮであったが、本発明はそのような実施の形態には限定されない。ホームＮＷ３０は、無線ＬＡＮ（ＩＥＥＥ８０２．１１ａ／ｂ／ｇ）であっても良い。【０１８２】
アンテナ１００が受信する放送信号のデータ形式は、どのようなものでも良い。例えば、アンテナ１００は、ＲＦ（Ｒａｄｉｏ  Ｆｒｅｑｕｅｎｃｙ）信号として送信された放送信号を受信可能であっても良い。また、アンテナ１００は、電波送信される放送信号、及びＣＡＴＶ（Ｃａｂｌｅ  ｔｅｌｅｖｉｓｉｏｎ）設備から送信される放送信号を受信可能であっても良い。さらに、アンテナ１００は、ＩＰに基づくネットワークを経由して、ＩＰマルチキャスト放送によるストリーミングデータを受信可能なネットワークインタフェースとして機能しても良い。【０１８３】
上記した実施の形態では、チューナ１０１は、アンテナ１００を使用して放送信号を受信していた。しかし、本発明はそのような実施の形態に限定されず、チューナ１０１は、インターネット等のグローバルネットワーク上に存在する、番組表情報を格納したサーバ装置に直接アクセスすることが可能であり、サーバ装置から番組表情報を取得するようにしてもよい。【０１８４】
上記した検索リクエストは、番組タイトル、ジャンル、及び出演者等のように、番組のキーワードになり得るデータを含んでいたが、それらの他に、番組を特定するための、数字及びアルファベットの組合せ等からなる識別子を含んでもよい。検索リクエストに識別子が含まれるときには、録画装置３２及び３４は、識別子をキーとして番組情報記憶部２２１を検索することで、番組に関するキーワード等を取得すればよい。また、チューナ２０１からＳＩ／ＰＳＩ情報を取得しても良い。【０１８５】
上記した実施の形態において、番組視聴装置は、携帯電話等の携帯端末機器であっても良い。その場合、選局情報取得部１１３は、特定の番組に関する情報を電子メールで受信できるようにしても良い。また、その携帯端末機器にはバーコード及びＱＲコード（登録商標）を読取るカメラが内蔵されており、バーコード及びＱＲコードから番組情報を抽出するようにしても良い。【０１８６】
また、この場合、番組情報を特定するための識別子（例えば、ＵＲＬ、Ｇコード、及び番組開始時刻）を使用できるなら、ＩＰ通信部１０２からその識別子を検索要求に含めて録画装置に送信するようにしてもよい。録画装置は、Ｓ２０１以降の処理において、録画装置内の番組情報記憶部２２１に記憶されている番組情報から対応する番組を検索すればよいので、多くのデータを送信する必要がなく効率的である。【０１８７】
一方、識別子を送るのではなく、番組情報そのものを送るようにすることも、効果的である。【０１８８】
上記の携帯端末機器上で番組情報をユーザが自由に修正できる機能があっても良い。例えば、あるサービスによってメール送信された番組情報で「プロ野球ニュース」があったとする。その日は、偶然、ユーザのお気に入りの野球チーム「日本△△ズ」が優勝し、そのトピックが番組で紹介されることが確実であったとする。ユーザは、番組情報の一部（タイトル等）を修正し、検索要求に含めてＩＰ通信部１０２から送信したものとする。そうすると、録画装置は、修正されたタイトルを基に対象内とすべきかを判断することになる。「日本△△ズ」に関連する番組が記憶されているユーザの録画装置に録画される結果となり、より適切な録画装置に録画されやすくなる。【０１８９】
もちろん、番組情報の一部の修正は、携帯端末機器上で行なわれる必要はなく、タイトルの修正（タイトルの修正は著作権法上の問題となる可能性があるので、その代替とすることを含める）又はキーワードの付加などのサービスが適用されれば、送信されてきた番組情報をそのまま修正することなく検索要求に含めて送信するだけでも同様の効果がある。【０１９０】
また、録画装置を選定後、録画要求の際に、上記携帯端末機器から送信された情報を再度送信し、送信されたタイトルで録画済コンテンツを識別できるようにしても良い。【０１９１】
ユーザ操作部１０３は、ユーザが直接番組視聴装置に対して操作するものとして説明したが、本発明はそのような実施の形態に限定されない。ユーザ操作部１０３は、ユーザ操作を行なう機器と通信可能なものであってもよい。【０１９２】
例えば、上記した携帯端末機器（携帯電話、パーソナルコンピュータ、及び携帯用のゲーム機等）は、あるＵＩ（Ｕｓｅｒ  Ｉｎｔｅｒｆａｃｅ）端末に対して、ユーザ操作部１０３を介して、ＵＩ端末に表示させる情報をＵＩ端末に送信したり、ＵＩ端末で操作されたユーザ操作内容をＵＩ端末から受信したりできるようにしても良い。【０１９３】
［第２の実施の形態］
本願発明の第２の実施の形態は、第１の実施の形態と同等であるが、番組視聴装置が所定の時刻に取得するＥＰＧ情報に含まれる全番組に対し、録画を実行する録画装置を割当てる。割当てられた録画装置情報は、処理後、視聴者の指示により表示されるＥＰＧ番組表中の当該番組情報内に表示される。当該番組の録画の実行は、ユーザ指示により行なわれる。【０１９４】
本実施の形態によれば、ユーザからの録画指示の前にどの録画装置で録画するかの選定が終了しているため、その後ユーザからの録画指示があれば、直ちに当該録画装置に対して録画指示を送ることが出来る。ユーザからの録画指示に応答して録画装置を決定するための処理を開始する第１の実施の形態に比べ、本実施の形態は、ユーザ指示から録画実行までのタイムラグを少なくすることが出来る。【０１９５】
なお、以下の実施の形態では、図８に制御構造を示す、当該番組の録画に適した録画装置を選択するためのプログラムを除き、その構成、動作及び効果が本実施の形態と同様であるので、同一部分についてはその説明を繰返さない。【０１９６】
−構成−
この番組録画システムに含まれる番組視聴装置の構成は、図２に示す第１の番組視聴装置３１と同様であるが、本実施の形態に係る番組情報記憶部は、後述するプログラムにおいて、ホームＮＷ録画装置選択制御部１１５から出力される録画装置の識別子を番組情報と関連付けて記憶する点で、図２に示す番組情報記憶部１２１とは異なる。なお、以降、録画装置の識別子を番組情報と関連付けて記憶することを「録画装置を番組に割当てる」と呼ぶ。【０１９７】
図１４は、本実施の形態に係る番組録画システムにおいて、図８に制御構造を示すプログラムに代えて、番組視聴装置がＥＰＧ情報を取得する度に起動され、ホームＮＷ録画装置選択制御部１１５が実行する、当該番組の録画を実行する録画装置を割当てるためのプログラムのフローチャートである。【０１９８】
図１４を参照して、このプログラムは、図８に示すのと同じ、Ｓ１０１及びＳ１０２と、Ｓ１０２の後に実行され、当該番組に対して録画予約済の録画装置があるか否かを判定し、判定結果に応じて制御の流れを分岐させるＳ２８０と、Ｓ２８０において録画予約済の録画装置がないと判定されたことに応答して実行され、全ての録画装置が対象外であるか否かを判定し、判定結果に応じて制御の流れを分岐させるＳ２８２と、Ｓ２８２において全ての録画装置が対象外であると判定されたことに応答して実行され、当該時刻においてデフォルトの録画装置がビジーであるか否かを判定し、判定結果に応じて制御の流れを分岐させるＳ２８４と、Ｓ２８４においてデフォルトの録画装置がビジーではないと判定されたことに応答して実行され、デフォルトの録画装置を当該番組に割当てるＳ２８６とを含む。Ｓ２８６の後、又は、Ｓ２８０若しくはＳ２８４においてＹＥＳと判定された場合、処理は次の番組へ進む。【０１９９】
本プログラムは、さらに、Ｓ２８２において全ての録画装置が対象外ではないと判定されたことに応答して実行され、対象の録画装置が１台しかないか否かを判定し、判定結果に応じて制御の流れを分岐させるＳ２８８と、Ｓ２８８において対象の録画装置が１台であると判定されたことに応答して実行され、対象の録画装置を当該番組に割当てるＳ２９０と、Ｓ２８８において対象の録画装置が１台ではないと判定されたことに応答して実行され、複数の録画装置を当該番組に割当てるＳ２９２とを含む。Ｓ２９０及びＳ２９２の後、処理は次の番組へ進む。【０２００】
本プログラムは、１つの番組に対する上述の処理を行ない、終了すると、取得されたＥＰＧ情報に含まれる、同じチャンネルで放映される別の番組に対して同じ処理を行なう。この処理を繰返すことにより、ＥＰＧ情報に含まれる、１つのチャンネルの全ての番組に対して処理を行なう。【０２０１】
本プログラムは、さらに、１つのチャンネルに対して上述の処理を終了すると、取得されたＥＰＧ情報に含まれる別のチャンネルに対して上述の処理を行なう。この処理を繰返すことにより、ＥＰＧ情報に含まれる、全チャンネルの全ての番組に対して処理を行なう。【０２０２】
図１５は、ユーザが、番組視聴装置に取得されたＥＰＧ情報に含まれる特定の番組について録画指示を行なったことに応答して起動され、図２に示すホームＮＷ録画装置選択制御部１１５が実行する、割当てられた録画装置に録画指示を行なうためのプログラムのフローチャートである。【０２０３】
図１５を参照して、本プログラムは、当該番組に対して割当てられている録画装置情報を取得するＳ３３０と、Ｓ３３０の後に実行され、当該番組に割当てられた録画装置があるか否かを判定し、判定結果に応じて制御の流れを分岐させるＳ３３２と、Ｓ３３２において割当てられた録画装置がないと判定されたことに応答して実行され、番組視聴装置の表示部１１９にエラー表示を行なって処理を終了するＳ１０９と、Ｓ３３２において割当てられた録画装置があると判定されたことに応答して実行され、当該番組に割当てられた録画装置が１つか否かを判定し、判定結果に応じて制御の流れを分岐させるＳ３３４と、Ｓ３３４において当該番組に割当てられた録画装置が１つであると判定されたことに応答して実行され、当該録画装置に当該番組の録画を指示した後処理を終了するＳ３３６と、Ｓ３３４において当該番組に割当てられた録画装置が１つではないと判定されたことに応答して実行され、番組視聴装置の表示部１１９に該当する録画装置名を表示するＳ３３８と、Ｓ３３８の後に実行され、ユーザにより選択された録画装置に対して当該番組の録画指示を行なうＳ３４０とを含む。Ｓ１０９、Ｓ３３６及びＳ３４０の後、処理は終了する。【０２０４】
−動作−
本実施の形態に係る番組録画システムは、以下のように動作する。なお、便宜上、本番組録画システムに関わる全ての構成要素の主電源は投入されているものとする。【０２０５】
図２を参照して、番組視聴装置は、アンテナ１００及びチューナ１０１を介して、ＥＰＧ番組情報を含むストリームを、所定の時刻において取得する。所定の時刻とは、例えば、一日のうち、６：００、７：００、９：００、１１：００、１３：００、１５：００、１９：００、２１：００、２３：００の時点を示す。【０２０６】
これら所定の時刻で取得された上記ストリームから、番組情報抽出部１１２はＥＰＧ情報を抽出し、番組情報記憶部に記憶する。【０２０７】
さらに、上記したストリームが取得されたことに応答して、ホームＮＷ録画装置選択制御部１１５は図１４に制御構造を示すプログラムを起動する。Ｓ１０１において、ホームＮＷ録画装置選択制御部１１５はＥＰＧ情報中のあるチャンネルで放映される、ある番組のＥＰＧ情報を取得する。Ｓ１０２におけるホームＮＷ録画装置選択制御部１１５の動作は第１の実施の形態と同様である。【０２０８】
ＥＰＧ情報を受信したホームＮＷ上の各録画装置は、第１の実施の形態と同様、図１０に制御構造を示すプログラムを実行し、処理の結果をもとに番組視聴装置に通知を行なう（図１０のＳ２０５〜２０８のうちのいずれか）。【０２０９】
各録画装置からの通知を受け、番組視聴装置は以下のように当該番組に録画装置を割当てる。ホームＮＷ録画装置選択制御部１１５は、当該番組の録画予約済の録画装置があった場合（Ｓ２８０においてＹＥＳ）、及び、全ての録画装置が対象外であり、かつ、デフォルトの録画装置が当該番組の放映時刻においてビジーである場合（Ｓ２８０でＮＯ、Ｓ２８２及びＳ２８４でＹＥＳ）、何もしない。対象の録画装置が一台の場合（Ｓ２８８でＹＥＳ）、又は、全ての録画装置が対象外であり、かつ、デフォルトの録画装置が当該番組の放映時刻においてビジーでない場合（Ｓ２８４でＮＯ）、当該録画装置を当該番組に割当てる（Ｓ２９０またはＳ２８６）。対象の録画装置が複数の場合（Ｓ２８８でＮＯ）、当該複数の録画装置を当該番組に割当てる（Ｓ２９２）。【０２１０】
ホームＮＷ録画装置選択制御部１１５は、上述の処理を、取得したＥＰＧ情報に含まれる全てのチャンネルの全ての番組に対して行なう。ホームＮＷ録画装置選択制御部１１５は、割当てた録画装置の情報を当該番組のＥＰＧ情報と共に番組情報記憶部に記憶する。【０２１１】
その後ユーザが、次のＥＰＧ番組情報取得の前に番組視聴装置を操作し、ＥＰＧ番組表を表示部１１９に表示させたものとする。このとき、各番組に割当てられた録画装置があれば、番組情報の一部として表示される。その表示の態様として、ここでは、ＥＰＧ番組表の各番組欄に、番組名等とともに各録画装置を示すアイコンを表示するものとする。さらに、ユーザがある番組を選択し当該番組の詳細情報が表示される場合は、当該録画装置名がともに表示されるものとする。【０２１２】
表示のＥＰＧ番組表からある番組を選択して録画指示を行なったものとする。これに応答して、ホームＮＷ録画装置選択制御部１１５は図１５に制御構造を示すプログラムを実行する。【０２１３】
ホームＮＷ録画装置選択制御部１１５は、当該番組に割当てられた録画装置の識別子を番組情報記憶部より取得し、当該録画装置を特定する（Ｓ３３０）。割当てられた録画装置が１台の場合（Ｓ３３２でＹＥＳ、Ｓ３３４でＹＥＳ）、ホームＮＷ録画装置選択制御部１１５は当該録画装置に当該番組の録画を指示する。割当てられた録画装置が複数の場合（Ｓ３３４でＮＯ）、ホームＮＷ録画装置選択制御部１１５は表示部１１９に図９の画面と同様、対象の録画装置から１台をユーザに選択させるための画面を表示させる。ユーザが録画装置を選択すると、ホームＮＷ録画装置選択制御部１１５は、当該録画装置に当該番組の録画を指示する（Ｓ３４０）。割当てられた録画装置が無い場合（Ｓ３３２でＮＯ）、ホームＮＷ録画装置選択制御部１１５は表示部１１９に録画不可である旨を表示させる。なお、番組視聴装置から当該録画装置への録画の指示は、その時点で当該番組が放映中の場合は録画要求であり、当該番組が放送予定である場合が録画予約要求である。【０２１４】
［第３の実施の形態］
本願発明の第３の実施の形態は、第１の実施の形態と同等であるが、番組視聴装置において、視聴中の番組を所定の時間期間以上連続して視聴した場合、視聴装置は、ユーザ指示無しに、当該番組の録画対象の録画装置を検索する。検索結果により、対象の録画装置があった場合はこれを記憶する。当該番組の録画は、ユーザからの録画指示があれば行なう。【０２１５】
本実施の形態によれば、ユーザからの録画指示の前にどの録画装置で録画するかの選定が終了しているため、第１の実施の形態に比べ、ユーザ指示から録画実行までのタイムラグを少なくすることが出来る。【０２１６】
なお、ここでは所定の時間期間を１分３０秒とする。その理由を以下に述べる。【０２１７】
通常、番組視聴において、番組の前後及び途中に挿入されるＣＭ放映中の方が、番組本編放映中に比べ、ザッピングが行なわれる可能性が高いと考えられる。何故なら、番組本編はユーザの所望により視聴されるが、当該番組放映時間中のＣＭは、ユーザの要望とは関係ないためである。このことから、平均的なＣＭ放映時間より長時間の連続視聴があった場合、ユーザは番組本編を視聴しており、連続視聴時間がＣＭ放映時間より短い場合、ユーザはザッピングを行なっていると仮定することができる。【０２１８】
非特許文献１では、いわゆるプライムタイム（午後６時から午後１１時までの連続した３時間半）におけるテレビ番組内のタイムＣＭ（番組本編を提供する形態で放送されるもの）の総時間の合計が決められている。ここで、視聴番組が６０分であったとすると、６０分番組のタイムＣＭの総合計は６分と決められている。通常、６０分番組の場合は、番組先頭、番組最後、及び１５分毎に１度ＣＭが挿入されることが多い。従って、計５回のＣＭが挿入されると考えると、前述の総合計から、１回のＣＭ放映時間は平均１分２０秒程度と考えることができる。このため、例えばチャネルを選択してから１分３０秒経過しても同じチャネルを選択し続けている場合は本編を視聴していると考えることとする。【０２１９】
−構成−
この番組録画システムに含まれる番組視聴装置の構成は、第２の実施の形態に係る番組視聴装置と同様である。【０２２０】
図１６は、本実施の形態に係る番組録画システムにおいて、図８に制御構造を示すプログラムに代えて、新たな番組視聴が開始されたことに応答して起動され、ホームＮＷ録画装置選択制御部１１５が実行する、当該番組の録画を実行する録画装置を割当てるためのプログラムのフローチャートである。【０２２１】
図１６を参照して、当該番組の録画を実行する録画装置を割当てるためのプログラムは、図８に制御構造を示すプログラムと同様、Ｓ１０１、Ｓ１０２、Ｓ１０３、Ｓ１０４、Ｓ１０５、及びＳ１０８を含むが、Ｓ１０６、Ｓ１０７、Ｓ１０９、Ｓ１１０、Ｓ１１１及びＳ１１２の代わりに、Ｓ１０１の前に、計時を開始するＳ３５０と、Ｓ３５０の後に実行され、計時時間が１分３０秒を経過したか否かを判定し、１分３０秒を経過するまで待機するＳ３５２とを含む。【０２２２】
本プログラムは、さらに、Ｓ１０８においてデフォルトの録画装置がビジーであると判定されたことに応答して実行され、エラー情報を当該番組情報に関連付けて番組情報記憶部に記憶するＳ３５４と、Ｓ１０８においてＳ１０８においてデフォルトの録画装置がビジーではないと判定されたことに応答して実行され、デフォルトの録画装置を当該番組に割当てるＳ３５６とを含む。Ｓ３５４及びＳ３５６の後、処理を終了する。【０２２３】
本プログラムは、さらに、Ｓ１０５において対象の録画装置が１台であると判定されたことに応答して実行され、検索された録画装置に割当てるＳ３５８と、Ｓ１０５において対象の録画装置が１台ではないと判定されたことに応答して実行され、当該複数の録画装置に割当てるＳ３６０と含む。【０２２４】
なお、ユーザから当該番組の録画指示があった場合、番組視聴装置は図１５に制御構造を示すプログラムを実行するものとする。【０２２５】
−動作−
本実施の形態に係る番組録画システムは、以下のように動作する。なお、便宜上、本番組録画システムに関わる全ての構成要素の主電源は投入されているものとする。【０２２６】
番組視聴装置においてユーザがチャンネル切替を行ない、新たな番組の視聴を開始したものとする。ホームＮＷ録画装置選択制御部１１５は図１６に制御構造を示すプログラムを起動する。視聴開始から１分３０秒を経過し、さらに当該番組の視聴が継続される場合（Ｓ３５２でＹＥＳ）、番組視聴装置は当該番組のＥＰＧ情報を含む検索リクエストをホームＮＷ上の録画装置に送信する（Ｓ１０２）。各録画装置において第１の実施の形態と同様の処理が実行される。【０２２７】
各録画装置の通知を受け、番組視聴装置のホームＮＷ録画装置選択制御部１１５は以下の処理を行なう。既に当該番組を録画している装置がある場合（Ｓ１０４でＹＥＳ）、何もしない。対象の録画装置が１台の場合（Ｓ１０５でＹＥＳ）、ホームＮＷ録画装置選択制御部１１５は番組情報記憶部に当該録画装置の識別子を当該番組情報に関連付けて記憶する。対象が複数の場合、ホームＮＷ録画装置選択制御部１１５は対象録画装置を候補として記憶する（Ｓ３６０）。全ての録画装置が対象外であり、デフォルトの録画装置がビジーで無い場合（Ｓ１０８でＮＯ）、ホームＮＷ録画装置選択制御部１１５はデフォルトの録画装置の識別子を記憶する（Ｓ３５８）。デフォルトの録画装置がビジーの場合は（Ｓ１０８でＹＥＳ）、ホームＮＷ録画装置選択制御部１１５は録画不可を示すエラー情報を当該番組情報に関連付けて記憶する。【０２２８】
ユーザから録画指示があった場合の動作は、第２の実施の形態と同様である。なお、録画不可の場合、図１５に示すＳ３３２においてＮＯと判定される。【０２２９】
［第４の実施の形態］
本願発明の第４の実施の形態では、番組視聴装置が、録画が実行された番組とその録画装置とを履歴として記憶する。番組録画に関して録画装置の選定が行われる際、番組視聴装置はこの録画の履歴に基づき録画装置の選定を行なう。【０２３０】
本実施の形態によれば、番組視聴装置内で録画装置が対象であるか否かの判定を行なうことにより、ＮＷ上の各録画装置からの通知を受信するまで待機する必要がある第１の実施の形態に比べ、ユーザ指示から録画実行までのタイムラグを少なくすることが出来る。【０２３１】
−構成−
この番組録画システムに含まれる番組視聴装置の構成は、図２に示す第１の番組視聴装置３１と同様であるが、記憶領域内に、処理部１１０に接続され、後述する、録画番組情報と、当該番組を録画した録画装置の識別子（以降「録画装置情報」と呼ぶ。）とを関連付けて記憶するための領域をさらに含む点で、第１の番組視聴装置３１とは異なる。【０２３２】
図１７及び１８は、本実施の形態に係る番組録画システムにおいて、図８に制御構造を示すプログラムに代えて、ユーザが番組録画を指示したことに応答して起動され、ホームＮＷ録画装置選択制御部１１５が実行する、当該番組の録画を実行する録画装置を割当てるためのプログラムのフローチャートである。【０２３３】
図１７及び１８を参照して、本プログラムは、図８に制御構造を示すプログラムと同様、Ｓ１０１、Ｓ１０２、Ｓ１０３、Ｓ１０４、Ｓ１０５、Ｓ１０６、Ｓ１０７、Ｓ１０８、Ｓ１０９、Ｓ１１０、Ｓ１１１及びＳ１１２を含むが、Ｓ１０１とＳ１０２との間に、Ｓ１０１の後に実行され、番組視聴装置内に記憶される録画番組情報をＥＰＧ情報で検索するＳ３７０と、Ｓ３７０の後に実行され、Ｓ３７０で検索した録画番組情報及び録画装置情報の中に、録画が指示されたのと同じ番組を過去に録画した録画装置があるか否かを判定し、判定結果に応じて制御の流れを分岐させるＳ３７２とを含む。【０２３４】
Ｓ３７２における判定は、ここでは、番組視聴装置内に記憶される録画番組情報中の放送局及び番組名に、ＥＰＧ情報中の放送局及び番組名と一致するものがあるか否かを判定するものとする。【０２３５】
本プログラムは、さらに、Ｓ３７２において同じ番組を録画した録画装置が無いと判定されたことに応答して実行され、類似の番組を録画した録画装置があるか否かを判定し、判定結果に応じて制御の流れを分岐させるＳ３７４とを含む。【０２３６】
Ｓ３７４における判定は、ここでは図１１に制御構造を示すプログラムにより行なうものとする。図１１のプログラムで比較される当該録画装置の録画履歴に代えて、番組視聴装置内に記憶される録画番組情報を、ＥＰＧ情報と比較するものとする。Ｓ３７４においてＮＯと判定された場合、処理はＳ１０２へ進む。Ｓ３７２及びＳ３７４においてＹＥＳと判定された場合、処理はＳ１０５へ進む。【０２３７】
図１８を参照して、本プログラムは、さらに、Ｓ１０７、Ｓ１１１、及びＳ１１２の後に実行され、番組視聴装置の記憶領域内に録画番組情報と、当該番組を録画した録画装置の情報とを関連付けて保存するＳ３７６とを含む。【０２３８】
−動作−
本実施の形態に係る番組録画システムは、以下のように動作する。なお、便宜上、本番組録画システムに関わる全ての構成要素の主電源は投入されているものとする。【０２３９】
ユーザからの録画指示があった場合、ホームＮＷ録画装置選択制御部１１５は図１７に制御構造を示すプログラムを起動する。当該番組のＥＰＧ情報と、記憶する録画番組情報とを比較し、録画番組情報の中にＥＰＧ情報と同じものがあった場合、当該録画番組情報に関連付けて記憶される録画装置の識別子を読出し、当該録画装置を特定する（Ｓ３７２でＹＥＳ）。そうでない場合は当該番組のＥＰＧ情報と、記憶する録画番組情報とを図１１のプログラムにより比較する。類似の番組を録画していた場合、当該録画番組情報に関連付けて記憶される録画装置の識別子を読出し、当該録画装置を特定する（Ｓ３７４でＹＥＳ）。その後の処理は、第１の実施の形態における図８のＳ１０５以降の処理と同様である。録画装置が選定された後、当該録画番組情報及び当該録画装置情報は関連付けて保存される（Ｓ３７６）が、デフォルトの録画装置が選定された場合、及び、エラーとなった場合（Ｓ１１０及びＳ１０９）、上記情報は保存されない。【０２４０】
上記の処理で当該番組録画の対象の録画装置が無い場合、ホームＮＷ録画装置選択制御部１１５は第１の実施の形態と同様の処理を行なう。【０２４１】
［第５の実施の形態］
本願発明の第５の実施の形態では、ホームＮＷ上の録画装置が当該番組録画に対する対象か否かを番組視聴装置側で行なう。本実施の形態によれば、番組視聴装置内で録画装置が対象であるか否かの判定を行なうことにより、ＮＷ上の各録画装置からの通知を受信するまで待機する必要がある第１の実施の形態に比べ、ユーザ指示から録画実行までのタイムラグを少なくすることが出来る。【０２４２】
−構成−
図１９は、本実施の形態に係る番組録画システムにおいて、図８に制御構造を示すプログラムに代えて、ユーザが番組録画を指示したことに応答して起動され、ホームＮＷ録画装置選択制御部１１５が実行する、当該番組の録画を実行する録画装置を選定するためのプログラムのフローチャートである。【０２４３】
図１９を参照して、本プログラムは、図８に制御構造を示すプログラムと同様、Ｓ１０１、Ｓ１０５、Ｓ１０６、Ｓ１０７、Ｓ１０８、Ｓ１０９、Ｓ１１０、Ｓ１１１、及びＳ１１２を含むが、Ｓ１０２、Ｓ１０３及びＳ１０４に代えて、各録画装置から、録画設定及び録画履歴に関する情報を収集するＳ３９０と、Ｓ３９０の後に実行され、Ｓ３９０により収集された情報により、当該番組を既に録画している録画装置があるか否かを判定し、判定結果に応じて制御の流れを分岐させるＳ３９２を含む。Ｓ３９２においてＹＥＳと判定された場合、処理はＳ１１１へ進む。【０２４４】
本プログラムは、さらに、Ｓ３９２において当該番組を既に録画している番組が無いと判定されたことに応答して実行され、各録画装置の全録画履歴に対して、それぞれ、類似度の計算を行なうＳ３９４を含む。【０２４５】
Ｓ３９４の処理は、以下のように行なう。ホームＮＷ録画装置選択制御部１１５はＳ３９０において収集した情報から、図６に示す嗜好情報２４０及び２４２と同様の嗜好情報を各録画装置に対して作成する。その後、各録画装置の当該番組のＥＰＧ情報に関し、以下のように類似度を算出する。ホームＮＷ録画装置選択制御部１１５は、嗜好情報からジャンル及び出演者に対応する単語について、出現割合において上位５件を抽出する。抽出されたジャンル及び出演者に対応する単語について、当該番組のＥＰＧ情報との比較を行なう。【０２４６】
抽出されたジャンルに対応する単語について、ＥＰＧ情報と同一のものがあった場合、ジャンルに対応する全単語の出現件数の総和を１として、これに対する当該単語の出現件数の割合を類似度Ａとする。抽出された出演者に対応する単語についてもジャンルに対応する単語と同様に類似度を計算し、これを類似度Ｂとする。算出結果を以下の数式に代入し、総合類似度Ｃを算出する。【０２４７】
【数１】
2009107560.tif 000003
なおｒ＞０．５である。ここでは総合類似度が０．５以上であれば対象、そうでない場合
は対象外と決定することとする。【０２４８】
本プログラムは、さらに、Ｓ３９４の後に実行され、Ｓ３９４における計算結果に基づき、全ての録画装置が対象外か否かを判定するＳ３９６を含む。Ｓ３９６においてＹＥＳと判定された場合、処理はＳ１０８へ進み、ＮＯと判定された場合、処理はＳ１０５へ進む。【０２４９】
−動作−
本実施の形態に係る番組録画システムは、以下のように動作する。なお、便宜上、本番組録画システムに関わる全ての構成要素の主電源は投入されているものとする。【０２５０】
ユーザからの録画指示があった場合、ホームＮＷ録画装置選択制御部１１５は図１９に制御構造を示すプログラムを起動する。ホームＮＷ録画装置選択制御部１１５は、当該番組のＥＰＧ情報と、ＮＷ上の録画装置から収集した各録画装置の録画設定及び録画履歴に関する情報を比較する（Ｓ１０１及びＳ３９０）。既に当該番組を録画している番組がある場合（Ｓ３９２）、ホームＮＷ録画装置選択制御部１１５は録画装置名を表示部１１９に表示させる（Ｓ１１１）。そうでない場合、ホームＮＷ録画装置選択制御部１１５は、各録画装置の録画履歴と当該番組のＥＰＧ情報との類似度を計算する（Ｓ３９４）。計算された類似度により対象と判定された録画装置が１台の場合、対象の録画装置が複数の場合、及び、対象の録画装置が無い場合の動作は第１の実施の形態と同様である。【０２５１】
なお、対象の録画装置が複数の場合、例えば、Ｓ３９４において計算された類似度をもとに、最も類似度の高い録画装置名が選択された状態で、類似度の高い録画装置名から降順に表示されることとする。【０２５２】
［変形例］
上記実施の形態では、ホームＮＷは有線ＬＡＮにより構成される。しかし本発明はそのような実施の形態には限定されない。ＷＬＡＮ、ＰＬＣ（Ｐｏｗｅｒ  Ｌｉｎｅ  Ｃｏｍｍｕｎｉｃａｔｉｏｎ）、ＩＥＥＥ１３９４等であってもよい。【０２５３】
上記実施の形態では、番組視聴装置は、ネットワーク機能付きデジタルＴＶである。しかし本発明はそのような実施の形態には限定されず、ホームＮＷにおいて互換性を有し、番組視聴及びホームＮＷ上の録画装置に録画指示を送信できるものであればよい。例えば、ＡＶパソコンに接続される大画面モニタ、ネットワーク機能付きＳＴＢ（Ｓｅｔ  Ｔｏｐ  Ｂｏｘ）に接続されるネットワーク機能の無いＴＶ等であっても良い。【０２５４】
上記実施の形態では、番組視聴装置におけるユーザ操作部は、リモコンからの指示を受け動作する。しかし本発明はそのような実施の形態には限定されない。番組視聴装置の筐体に設けられ、ユーザ操作部に接続されるスイッチパネル、音声制御装置等からの指示を受ける態様であっても良い。【０２５５】
上記実施の形態では、番組視聴装置及び録画装置におけるチューナは、地上波デジタルチューナにより構成される。しかし本発明はそのような実施の形態には限定されず、地上波、ＢＳ（Ｂｒｏａｄｃａｓｔｉｎｇ  Ｓａｔｅｌｌｉｔｅ）等のアナログ放送、ＢＳ及びＣＳ（Ｃｏｍｍｕｎｉｃａｔｉｏｎ  Ｓａｔｅｌｌｉｔｅ）デジタル放送、ケーブル放送、ＩＰ放送等であっても良い。この場合、ＥＰＧ情報の取得方法は、各放送方式に準ずる。【０２５６】
上記実施の形態では、番組視聴装置及び録画装置における処理部は、ＣＰＵ、メモリ、ＩＯ等から構成されるコンピュータシステム及び制御ソフトウエアにより実現される。しかし本発明はそのような実施の形態には限定されない。例えば、処理部に含まれる構成要素のそれぞれに対応する専用のＬＳＩ（Ｌａｒｇｅ  Ｓｃａｌｅ  Ｉｎｔｅｇｒａｔｉｏｎ）が実装されていても良い。【０２５７】
上記実施の形態では、録画装置において、その録画履歴をもとに図６に示すような嗜好情報を算出し、これを当該録画装置の録画の傾向の指標としていた。しかし、録画履歴に録画予約番組に関する情報を加えて嗜好情報を算出する態様であっても良い。【０２５８】
上記実施の形態では、対象の録画装置が複数ある場合、番組視聴装置はその名称を表示部に表示し、すぐ前の操作で選択された録画装置の名称にカーソルのフォーカスを行なう。しかし、当該番組視聴装置に対してデフォルトの録画装置を設定しており、デフォルトの録画装置の名称に常にカーソルが置かれるような態様であっても良い。【０２５９】
上記実施の形態では、番組視聴装置において、録画装置選定の後、当該録画装置への録画指示の前に、当該録画装置名が表示される場合とそうで無い場合とがある。しかし、本発明はそのような実施の形態には限定されない。例えば、いかなる場合であっても、選定された録画装置、又は、既に当該番組を録画する設定となっている録画装置の名称を表示しても良い。こうするとユーザはどの装置で録画を実行するかを確認することが出来る。【０２６０】
さらに、前述した録画装置に関する表示において、各録画装置の嗜好情報をその名称に対応付けて表示する態様であっても良い。具体的な例を以下に示す。番組視聴装置は表示部に、録画装置名と、当該録画装置の嗜好情報において、ジャンルに関する単語のうち出現割合が上位２件のものを表示する。ユーザは、録画装置が複数表示される場合、各録画装置のジャンルに関する録画の傾向を確認することにより、当該番組の録画に適した録画装置の選定を行なうことが出来る。なお、この場合、番組視聴装置のＤＭＰ機能、及び、録画装置のＤＭＳ機能は、それぞれ、ジャンル、キーワード、出演者等の番組の属性に関する情報の取扱い機能を含むものとする。さらに、番組視聴装置は、録画装置と通信を行なういずれかの時点において、各録画装置に関する所定の属性の情報を取得するものとする。【０２６１】
さらに、録画装置の選定時、ユーザが当該番組の属性に関し情報の変更を行なうことが可能な態様であっても良い。具体的な例を以下に示す。番組視聴装置はその表示部に録画装置名表示及び録画装置選定の後、番組名、例えば「Ａ１」と、当該番組のジャンル「映画」とを表示する。これとは別に、番組視聴装置はジャンルに関する単語のテンプレートとして「アニメ」、「バラエティ」、「スポーツ」などの候補を表示する。ここでユーザが、候補から「アニメ」を選択すると、番組Ａ１のジャンルに関する単語は「映画」及び「アニメ」に変更される。その後番組視聴装置が番組Ａ１の録画を録画装置に指示すると、当該録画装置の録画履歴に含まれる番組Ａ１に関する情報として、ジャンル「映画」及び「アニメ」が記憶される。【０２６２】
上記処理により、以下の効果を得ることが出来る。ＤＭＳ機能を有する録画装置において、録画済番組は、番組の属性の値に基づいて分類することが出来る。例えば、録画済番組をジャンル別（映画、アニメ、バラエティ、スポーツ等）にグループ分けすることができる。言い換えれば、当該番組の属性の値を設定することで録画履歴を整理することが出来る。そのため、例えば前述の番組Ａ１を再生する場合、映画又はアニメのいずれかのグループから番組Ａ１を検索することが出来、見たい番組をすぐに履歴から取出すことが出来る。上記処理の様に、録画指示の際に番組の属性の値を設定しておけば、後で録画済番組に対して設定をしなおすなどの煩雑な作業を行なわずに済む。【０２６３】
番組の属性の値の観点から、あるホームＮＷ上の録画済番組及び録画予定番組の全ては大分類のライブラリに含まれ、各番組はＮＷ上の録画装置により中分類に分類され、さらに、各録画装置内のクループ分けにより小分類に分類されるとも言える。このため、本番組録画システムは、個人所有の録画装置を煩雑な操作無しに選択することを可能にするだけではなく、ホームＮＷのライブラリにおいてその分類作業に伴う煩雑な作業を軽減する。【０２６４】
なお、上述の内容は、ホームＮＷに接続された番組視聴装置及び録画装置が１台ずつであっても成立することは言うまでもない。【０２６５】
上記第１〜第４の実施の形態では、図１１に示すプログラムにおいて、録画履歴の嗜好情報の属性のうちジャンル及びキーワードを対象に、これらに関する単語について当該番組に関する単語と同一のものが録画履歴中にあり、当該単語の出現割合が予め定められたしきい値を超える場合は録画履歴に当該番組と類似の番組があると判定する。しかし本発明はそのような実施の形態には限定されない。例えば、出演者に関する単語について同様の処理を行ない、録画履歴に当該番組と類似の番組があるか否かを判定しても良い。また、判定方法に関し、類似関係を見る対象属性、しきい値などの判定基準、及び、どのように当該番組と録画履歴との類似度合いを算出し判定するかについて、それぞれ、ユーザ設定により変更が可能な態様であっても良い。【０２６６】
また、例えば、当該番組と録画履歴との類似度合いの判定方法として、図１２に制御構造を示すプログラムを用いて上記判定を行なっても良い。【０２６７】
図１２に、図５に示す録画予約番組・推薦番組検索部２１５が実行する、当該番組情報（ＥＰＧ１）と録画履歴とにそれぞれ含まれる文字列が類似しているか否かを、ベクトル空間法により算出する両者の距離に基づいて判定するための、プログラムのフローチャートを示す。【０２６８】
図１２を参照して、本プログラムは、ＥＰＧ１、及び、当該録画装置の図５に示す推薦番組・録画スケジュール記憶部２２２に記憶される録画履歴中の全番組情報に関し、対象文字列（ジャンル及びキーワードに関する文字列）を形態素解析により語に分割するＳ２５０と、Ｓ２５０の後に実行され、Ｓ２５０において分割された語のうち意味を持たない語を削除するＳ２５１とを含む。以降、説明のため、Ｓ２５１の処理の後に残存する語について、ＥＰＧ１及び録画履歴に起因する語を、それぞれ、ＥＰＧ１内容語及び録画履歴内容語と呼ぶ。【０２６９】
本プログラムは、さらに、Ｓ２５１の後に実行され、ＥＰＧ１及び録画履歴の全てについて特徴ベクトルを作成するＳ２５２を含む。Ｓ２５２において、録画予約番組・推薦番組検索部２１５は、具体的には以下の処理を行なう。録画予約番組・推薦番組検索部２１５は、ＥＰＧ１内容語及び録画履歴内容語を合わせ、和集合を形成する。この集合の要素数をＮとする。録画予約番組・推薦番組検索部２１５は、さらに、和集合に含まれる全単語を一定の順序で並べ、それらが含まれるか否かを１．０で表すことによりＥＰＧ１及び録画履歴の全てについて特徴ベクトルを作成する。このときの特徴ベクトルはＮ次元となる。【０２７０】
本プログラムは、さらに、Ｓ２５２の後に実行され、録画履歴の特徴ベクトルのすべてに対し、ＥＰＧ１の特徴ベクトルとの類似度を計算するＳ２５３を含む。類似度は以下の式により求める。【０２７１】
【数２】
2009107560.tif 000004
ただし、ｓｉｍは類似度、ｑはＥＰＧ１、ｄは録画履歴、→ｑ及び→ｄはそれぞれＥＰＧ１及び録画履歴の特徴ベクトル、｜→ｑ｜及び｜→ｄ｜はそれぞれＥＰＧ１及び録画履歴の特徴ベクトルの大きさである。（→は本来その次の文字の上に付くものとする。）
本プログラムは、さらに、Ｓ２５３の後に実行され、録画履歴のうちに、Ｓ２５３において計算された類似度が０．５以上のものがあるか否かを判定し、判定結果に応じて制御の流れを分岐させるＳ２５４と、Ｓ２５４において類似度が０．５以上のものがあると判定されたことに応答して実行され、ＥＰＧ１及び録画履歴が類似すると決定するＳ２５５と、Ｓ２５４において類似度が０．５以上のものが無いと判定されたことに応答して実行され、ＥＰＧ１及び録画履歴とが類似しないと決定するＳ２５６とを含む。Ｓ２５５及びＳ２５６の後、処理は終了する。【０２７２】
また、当該録画装置が対象であるか否かを、確率モデル又は論理モデルを用いて判定しても良い。【０２７３】
また、例えば、当該番組と録画履歴との類似度合いの判定方法として、録画履歴により各録画装置における録画頻度の最も高い時間帯を算出し、その時間帯が当該番組の放映時間と一致するか否かを判定しても良い。具体的な例を以下に説明する。ホームＮＷ上の録画装置のうち、ある個人所有の録画装置は１９時台の番組しか録画せず、別の個人所有の録画装置は２３時台の番組しか録画していなかったとする。共有の番組視聴装置から１９時に放映される番組の録画が指示されると、本システムは前者の録画装置を選択し、録画を指示する。【０２７４】
ここで、例えば、選択された録画装置は小学生が、そうでない録画装置は大学生が、それぞれ所有していたとする。各録画装置における録画の時間帯は所有者の生活スタイルを反映している可能性が高い。生活スタイルとは、この例では小学生は１９時台の、大学生が２３時台の番組を、それぞれ好んで録画する行動を含む。このため、録画指示があった時間帯に高い頻度で録画を行なう録画装置を選ぶことにより、ホームＮＷ上の録画装置の中から、録画指示者の個人所有の録画装置を選択する可能性が高い。このような態様であっても、本発明の目的を達成することが出来る。【０２７５】
上記第２の実施の形態では、番組視聴装置がＥＰＧ情報を取得したことに応答し、ＥＰＧ情報に含まれる全ての番組に対して録画装置の割当てが行なわれる。しかし本発明はそのような実施の形態には限定されない。例えば、ユーザが番組視聴装置においてＥＰＧ番組表を表示し特定の放送予定番組に対して録画指示を行なったことに応答して、番組視聴装置が録画装置の選定を行なってもよい。その場合、番組視聴装置は図１４に制御構造を示すプログラムを当該番組に対して実行した後、図１５に制御構造を示すプログラムを起動する。この場合、対象の録画装置に対して、番組視聴装置は録画予約指示を行なう。【０２７６】
上記第２の実施の形態では、図１４に制御構造を示すプログラムが実行された後、番組視聴装置において、ユーザ指示によりＥＰＧ番組表が表示部に表示されると、ＥＰＧ番組表の各番組欄に当該番組に割当てられた録画装置を示すアイコンが表示される。しかし本発明はそのような実施の形態には限定されない。例えば、各番組欄に表示される番組名の文字色、又は、各番組欄の背景色を、割当てられた録画装置により色で区分する等、当該番組に割当てられた録画装置を判別可能な表示であれば良い。【０２７７】
なお、上述の表示により、個人所有の各録画装置の録画の傾向を一目で確認することが出来る。その結果、家族がお互いの嗜好について理解を深め、家族間コミュニケーションを深めることが出来る。【０２７８】
具体的な例を以下に説明する。父、母、姉及び弟により構成される家族の居宅において、各人が、各々、番組視聴装置及び録画装置を所有し、さらに、それらとは別の番組視聴装置を共有しているものとする。ここで、父、母、姉、及び弟は、自分の所有する録画装置において、ジャンルとして、それぞれ、スポーツ、バラエティ、映画、及びアニメに対応する番組を録画していたとする。家族全員が共有の番組視聴装置によりコンテンツを楽しんでいる状況において、ＥＰＧ番組表を表示させたとする。ＥＰＧ番組表では、スポーツ番組は、その番組欄に父の録画装置を示す表示がされる。これと同様に、バラエティ番組は母の、映画番組は姉の、及び、アニメ番組は弟の録画装置を示す表示がされる。普段どのような番組を視聴及び録画するかについてあまり会話をしない家族であれば、この表示により、父、母、姉、及び弟は、それぞれ、スポーツ、バラエティ、映画、及びアニメ番組が好きであることをお互いに知ることが出来る。さらに、例えば、父は明日のサッカーの試合を録画しようとしており、これを視聴するであろう等といった、各人のホームＮＷに関する行動を共有することが出来る。このような各人の嗜好、及び行動に関する情報は、普段の家族同士の会話を弾ませるのに役立つ。【０２７９】
上記第５の実施の形態では、番組視聴装置内に記憶される各録画装置の録画履歴に対して、当該番組のＥＰＧ情報との類似度を式１により算出し、算出された総合類似度により当該録画装置が対象か否かを判定する。しかし本発明はそのような実施の形態には限定されない。例えば、式２により算出された総合類似度を判定に用いても良い。【０２８０】
【数３】
2009107560.tif 000005
また、ジャンルに関する類似度Ａ、出演者に関する類似度Ｂ、又は、類似度Ａ及びＢと同様の方法で算出したキーワードに関する類似度を判定基準としても良い。【０２８１】
上記第５の実施の形態において、図１９に示すＳ１０６では、番組視聴装置の表示部に該当する録画装置の名称を類似度の高いものから提示する。しかし本発明はそのような実施の形態に限定されない。例えば、録画装置名の表示順は一律とし、その都度計算された類似度に応じて所定の記号を各録画装置にあわせて表示する等の態様であっても良い。【０２８２】
上記第５の実施の形態では、当該番組のＥＰＧ情報と各録画装置の録画履歴との類似度合いにより当該録画装置が対象か否かを判定し、対象の録画装置のうちから当該番組を録画する録画装置を選定する。しかし本発明はそのような実施の形態には限定されない。【０２８３】
例えば、選定した録画装置のコンテンツ記憶部に空き容量が無く、録画指示を行なっても当該番組録画が出来ない場合が考えられる。このような事態を回避するために、以下に示す態様により録画装置を選定しても良い。【０２８４】
具体的な例として、ホームＮＷ上に個人所有の第１及び第２の録画装置が接続されているものとする。番組視聴装置のホームＮＷ録画装置選択制御部は、各録画装置から録画設定及び録画履歴に関する情報を収集する際（図１９のＳ３９０）、さらに、各録画装置のコンテンツ記憶部の空き容量の情報を取得する。図１９のプログラムにより第１の録画装置録画が選択されたとする。ホームＮＷ録画装置選択制御部は、当該番組の情報から、第１の録画装置のコンテンツ記憶部の空き容量により当該番組の録画が可能か否かを判定する。録画可能と判定された場合、ホームＮＷ録画装置選択制御部は第１の録画装置に当該番組の録画を指示する。そうでない場合、ホームＮＷ録画装置選択制御部は第２の録画装置のコンテンツ記憶部の空き容量により当該番組の録画が可能か否かを判定する。録画可能と判定された場合、ホームＮＷ録画装置選択制御部は第２の録画装置に当該番組の録画を指示し、そうでない場合、エラーを示す旨を表示して処理を終了する。【０２８５】
上記処理は、空き容量が不十分であっても、当該番組の録画エラーを回避する効果がある。【０２８６】
ここで、上記処理により空き容量が充分である第２の録画装置が選定されたものとする。番組視聴装置のホームＮＷ録画装置選択制御部は、第２の録画装置に当該番組の録画を指示すると共に、第１の録画装置に対し、当該番組に関する情報、及び第２の録画装置が当該番組の録画を実行したことを示す情報を送信し、これらの情報を録画履歴とともに保存するよう指示する。このため、第１の録画装置の所有者は、例えば、番組視聴装置により第１の録画装置の録画履歴を表示させた場合、当該番組が第２の録画装置により録画されたことを確認できる。【０２８７】
上記処理により、第１の録画装置の所有者は当該番組の視聴機会の喪失を回避することが出来る。すなわち、自分所有の録画装置に当該番組コンテンツの所在を保存しているため、視聴したいときに第２の録画装置での再生によりこれを視聴することが出来る。【０２８８】
さらにこの場合、第１の録画装置からの操作により、第２の録画装置に録画された当該番組を再生し視聴可能な態様であっても良い。具体的な例を以下に示す。当該番組視聴装置が第１の録画装置と同じユーザの個人所有のものであり、ユーザの部屋に配置されるものとする。第１の録画装置の録画履歴を当該番組視聴装置に表示させると、当該番組に関連して第２の録画装置を示すショートカットが表示される。ユーザが当該ショートカットを選択すると、第２の録画装置に録画された当該番組がＮＷを介して第１の録画装置にダウンロードされ、第１の録画装置は番組の再生を開始し、当該番組視聴装置に出力する。なお、第１の録画装置にはダウンロード可能な空き容量があるものとする。別の例として、ショートカットを選択すると、第２の録画装置において録画された当該番組が再生され、再生される映像及び音声情報を、第２の録画装置から当該外部機器に出力させる態様であっても良い。【０２８９】
上記処理により、ユーザは、自分所有の録画装置の空き容量が不十分で所望の番組の録画が出来なくても、自分の部屋で当該番組の視聴を楽しむことが出来る。自分所有の録画装置の空き容量を気にすることなく、自分のライブラリを構築することが出来るともいえる。【０２９０】
上記第５の実施の形態の録画装置の選定に関し、別の事例として、特定の番組に関して高品質録画を行ないたいという要求が考えられる。特定の番組とは、例えば、映画番組、ハイビジョン放送形式の番組、等である。上記要求に鑑みて、以下に示す態様により録画装置を選定しても良い。【０２９１】
番組視聴装置のホームＮＷ設定記憶部は、ホームＮＷに接続される装置に関し、図４に示す様な情報に加え、ＢＤ（Ｂｌｕ−ｒａｙ  Ｄｉｓｃ（登録商標））、ＨＤ−ＤＶＤ（Ｈｉｇｈ  Ｄｅｆｉｎｉｔｉｏｎ−Ｄｉｇｉｔａｌ  Ｖｅｒｓａｔｉｌｅ  Ｄｉｓｃ）等のディスクメディア、及び、テープメディア等の、いわゆる大容量記録が可能な、外部メディアに対応し、高品質録画及びハイビジョンデジタルデータの録画が可能なレコーダ機能を有するか否かの情報を取得し記憶する。また、このレコーダ機能を有する録画装置はそれぞれ、映画番組の録画の場合は高品質録画を、ハイビジョン放送形式の番組の録画の場合はハイビジョンデジタルデータ録画を、それぞれ行なう設定がされているものとする。【０２９２】
録画指示に応答して、ホームＮＷ録画装置選択制御部はホームＮＷ設定記憶部から、図４に示す様な情報、及び、各録画装置の前述のレコーダ機能の有無に関する情報を取得する。その後図１９のプログラムにより録画装置が選定されたとする。ここで、ホームＮＷ録画装置選択制御部は、当該番組に関する情報から、当該番組が、映画番組及びハイビジョン放送形式番組に該当するか否かを判定する。該当する場合、当該録画装置が前述のレコーダ機能を有するか否かを判定する。レコーダ機能を有する場合、ホームＮＷ録画装置選択制御部は当該録画装置に当該番組の録画を指示する。そうでない場合、対象である録画装置のうちからレコーダ機能を有するものを選定しなおす。該当するものが無い場合、エラーを示す旨を表示して処理を終了する。【０２９３】
上記処理により、本システムによる自動的な録画装置の選定及び実行の上でも、特定の番組に対して選択的に高品質録画を実行することが出来る。【０２９４】
なお、上記処理において、ホームＮＷ録画装置選択制御部は、以下の態様により各録画機器のレコーダ機能に関する情報を取得しても良い。【０２９５】
ホームＮＷ設定記憶部は、ホームＮＷに接続される装置に関し、図４に示す様な情報に加え、各装置の製品名及び型番等を取得し記憶する。番組視聴装置は、図２に示す構成要素とは別に、装置の製品名及び型番と、レコーダ機能等の各装置の仕様とを対応させて記憶するデータベースを含む。【０２９６】
録画指示に応答して、ホームＮＷ録画装置選択制御部はホームＮＷ設定記憶部から、図４に示す様な情報、及び、製品名及び型番に関する情報を取得する。ホームＮＷ録画装置選択制御部は、さらに、取得した製品名及び型番に関する情報を検索キーとして前述のデータベースを検索し、当該装置が前述のレコーダ機能を有するか否かを判断する。【０２９７】
上記実施の形態において、１台の番組視聴装置が録画装置の選定、及び、選定した録画装置への録画指示を行なう。しかし、ホームＮＷ上の複数の番組視聴装置が、それぞれ、録画装置の選定及び録画指示を行なっても良い。この場合、複数の番組視聴装置から同じ録画装置へ検索要求、及び録画指示が行なわれることがあるが、先に受信された方の番組視聴装置の指示が優先される。後に受信された方の番組視聴装置の指示は、当該録画装置がビジーであるとしてエラー終了する。なお、録画装置は複数のチューナを含んでも良い。当該録画装置が複数の番組視聴装置から同時に、異なるチャンネルに対する録画指示を受けても、並行処理することができる。【０２９８】
今回開示された実施の形態は単に例示であって、本発明が上記した実施の形態のみに限
定されるわけではない。本発明の範囲は、発明の詳細な説明の記載を参酌した上で、特許
請求の範囲の各請求項によって示され、そこに記載された文言と均等の意味及び範囲内で
のすべての変更を含む。
【産業上の利用可能性】
【０２９９】
この発明は、ユーザによる煩雑な操作及び動作を要せずに、番組の録画を実行することが可能な録画要求装置、録画装置、並びに当該録画要求装置及び当該録画装置を含むシステム等を製造、譲渡、又は貸与したりする産業において利用することができる。
【図１】
2009107560.tif 000006
【図２】
2009107560.tif 000007
【図３】
2009107560.tif 000008
【図４】
2009107560.tif 000009
【図５】
2009107560.tif 000010
【図６】
2009107560.tif 000011
【図７】
2009107560.tif 000012
【図８】
2009107560.tif 000013
【図９】
2009107560.tif 000014
【図１０】
2009107560.tif 000015
【図１１】
2009107560.tif 000016
【図１２】
2009107560.tif 000017
【図１３】
2009107560.tif 000018
【図１４】
2009107560.tif 000019
【図１５】
2009107560.tif 000020
【図１６】
2009107560.tif 000021
【図１７】
2009107560.tif 000022
【図１８】
2009107560.tif 000023
【図１９】
2009107560.tif 000024
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
録画装置が接続されるネットワークに接続される録画要求装置であって、
特定の番組に関する番組情報を取得するための番組情報取得手段と、
前記ネットワークに接続される録画装置を検出するための録画装置検出手段と、
前記録画装置検出手段により検出される録画装置に、前記番組情報取得手段によって取得される番組情報に関する検索要求を、前記ネットワークを介して送信するための検索要求送信手段とを含み、
前記検索要求送信手段からの前記検索要求に応答して送信された、前記録画装置からの通知に基づき、前記番組を録画する録画装置を選定するための録画装置選定手段と、
前記録画装置選定手段により選定された録画装置に前記番組の録画に関する録画要求を送信するための録画要求送信手段とを含む、録画要求装置。
【請求項２】
前記録画要求装置はさらに、番組情報を含む番組表情報を取得するための番組表情報取得手段を含み、
前記番組情報取得手段は、前記番組表情報取得手段によって取得された番組表情報に含まれる番組情報を取得するための手段を含む、請求項１に記載の録画要求装置。
【請求項３】
前記番組表情報取得手段は、前記ネットワークを介して、番組表情報を記憶するサーバ装置から、当該番組表情報を取得するための手段を含む、請求項２に記載の録画要求装置。
【請求項４】
放送信号を受信し、前記放送信号に含まれる番組表情報を処理して出力する処理を行なうための放送信号処理手段と、
前記放送信号処理手段から出力される番組表情報を記憶するための番組表情報記憶手段とをさらに含む、請求項２に記載の録画要求装置。
【請求項５】
前記番組表情報取得手段は、前記番組情報記憶手段に記憶されている番組表情報を取得するための手段を含む、請求項４に記載の録画要求装置。
【請求項６】
前記放送信号は、ＲＦ信号であり、
前記放送信号処理手段は、ＲＦ信号を受信し、当該ＲＦ信号に含まれる番組表情報を処理して出力する処理を行なうための手段を含む、請求項４に記載の録画要求装置。
【請求項７】
前記放送信号は、ＩＰマルチキャスト放送によるストリーミングデータであり、
前記放送信号処理手段は、ストリーミングデータを受信し、当該ストリーミングデータに含まれる番組表情報を処理して出力する処理を行なうための手段を含む、請求項４に記載の録画要求装置。
【請求項８】
ユーザ指示により、前記放送信号処理手段からの出力を受けて前記映像信号、又は、前記番組表情報記憶手段から読出した番組表情報、若しくはその双方を表示するための表示手段をさらに含む、請求項４に記載の録画要求装置。
【請求項９】
前記検索要求送信手段は、前記番組表情報記憶手段に記憶される番組表情報のうち、ユーザが録画を指示し、前記表示手段にその映像信号を出力中である番組に関する情報を取得し、前記録画装置検出手段により検出される録画装置に、前記番組に関する検索要求を、前記ネットワークを介して送信するための手段を含む、請求項８に記載の録画要求装置。
【請求項１０】
前記検索要求送信手段は、前記番組表情報記憶手段に検出される番組表情報のうち、前記表示手段により出力中の番組表からユーザが選択した番組に関する情報を取得し、前記録画装置検出手段により検出される録画装置に、前記番組に関する検索要求を前記ネットワークを介して送信するための手段を含む、請求項８に記載の録画要求装置。
【請求項１１】
前記録画装置選定手段は、
前記番組の録画を実行する旨を通知する録画装置がなく、かつ、前記番組の録画に適している旨を通知する録画装置があった場合、当該録画装置が１台であるか否かを判定するための第１の判定手段と、
前記第１の判定手段により当該録画装置が１台ではないと判定された場合、前記表示手段に当該録画装置の情報を表示し、ユーザ選択を受けるための選択手段とを含む、請求項８に記載の録画要求装置。
【請求項１２】
前記録画装置選定手段はさらに、前記番組の録画を実行する旨を通知する録画装置がなく、かつ、前記番組の録画に適している旨を通知する録画装置がない場合、予め定められた録画装置からの通知に基づき、前記予め定められた録画装置により前記番組の録画が可能であるか否かを判定するための第２の判定手段を含む、請求項１１に記載の録画要求装置。
【請求項１３】
前記録画要求送信手段は、前記第１の判定手段により当該録画装置が１台であると判定された場合、及び、前記第２の判定手段により前記予め定められた録画装置により前記番組の録画が可能であると判定された場合、当該録画装置に前記番組の録画に関する要求を送信し、そうでない場合、前記選択手段により選択された録画装置に前記番組の録画に関する要求を送信するための手段を含む、請求項１２に記載の録画要求装置。
【請求項１４】
前記検索要求送信手段は、
ユーザからチャンネル切替指示を受けたことに応答して計時を開始し、所定の時間期間を経過しても新たなチャンネル切替指示が無い場合、前記表示手段によりその映像信号を出力中の番組を前記特定の番組として決定するための手段と、
前記番組表情報記憶手段に記憶される番組表情報のうち、前記番組に関する情報を取得し、前記録画装置検出手段に検出される録画装置に前記番組に関する検索要求を前記ネットワークを介して送信するための手段とを含む、請求項８に記載の録画要求装置。
【請求項１５】
前記録画要求装置はさらに、前記放送信号処理手段が放送信号を受信した際、当該放送信号中の番組表情報にその関連情報が含まれる複数の番組の各々について、当該番組を前記特定の番組として当該特定の番組に対する一連の動作を行なうよう、前記検索要求送信手段、及び前記録画装置選定手段を制御して、前記複数の番組の全てに対して当該番組を録画する録画装置を選定する処理を行なうための手段を含む、請求項４に記載の録画要求装置。
【請求項１６】
前記録画要求装置はさらに、
録画済番組に関する情報と、当該録画済番組を録画した録画装置の識別子とを関連付けて記憶するための録画履歴記憶手段と、
ユーザが前記特定の番組の録画を指示した場合、前記録画履歴記憶手段に記憶された情報から録画済番組に関する情報を取得するための手段とを含み、
前記番組に関する情報、及び、前記録画済番組に関する情報は、それぞれ、所定の属性の値を含み、
前記録画要求装置はさらに、
前記番組に関する情報と、前記録画済番組に関する情報とを比較し、前記番組に関する情報に含まれる前記所定の属性の値と、前記録画済番組に関する情報のいずれかに含まれる前記所定の属性の値とが、所定の類似関係を充足する場合、前記録画履歴記憶手段に当該録画済番組に関する情報と関連付けて記憶される識別子により示される録画装置が、前記番組の録画に適していると判定し、そうでない場合、前記検索要求送信手段に処理を実行させるための手段を含み、
前記録画装置選定手段は、
前記実行させるための手段の判定結果、及び、前記録画装置からの通知に基づき、前記番組を録画する録画装置を選定するための手段と、
前記録画装置からの通知、及び、前記録画要求送信手段が前記番組の録画に関する要求を送信したことに基づき、前記番組に関する情報と前記番組を録画する録画装置の識別子とを関連付けて前記録画履歴記憶手段に記憶するための手段とを含む、請求項１に記載の録画要求装置。
【請求項１７】
前記録画装置選定手段は、
前記検索要求送信手段からの前記検索要求に応答して送信された、前記録画装置からの通知に基づき、前記番組を録画する録画装置を選定し、選定された録画装置の識別子を前記番組に関する情報と関連付けて記憶するための手段と、
ユーザが前記番組の録画を指示した場合、前記番組に関する情報と関連付けて記憶された録画装置の識別子を前記記憶するための手段から読出し、前記識別子により識別される録画装置を、前記番組を録画する録画装置として選定するための手段とを含む、請求項１に記載の録画要求装置。
【請求項１８】
前記記憶するための手段は、
前記番組の録画を実行する旨を通知する録画装置がなく、かつ、前記番組の録画に適している旨を通知する録画装置があった場合、当該録画装置の識別子を前記番組に関する情報と関連付けて記憶するための第１の記憶手段と、
前記番組の録画を実行する旨を通知する録画装置がなく、かつ、前記番組の録画に適している旨を通知する録画装置がなかった場合、予め定められた録画装置からの通知に基づき、前記予め定められた録画装置により前記番組の録画が可能であるか否かを判定し、前記予め定められた録画装置により前記番組の録画が可能であると判定された場合、予め定められた録画装置の識別子を前記番組に関する情報と関連付けて記憶するための第２の記憶手段とを含み、
前記選定するための手段は、
ユーザが前記番組の録画を指示した場合、前記第１又は第２の記憶手段により前記番組に関する情報と関連付けて記憶された録画装置の識別子を読出すための手段と、
前記読出すための手段により読出された識別子が１つである場合、当該識別子により識別される録画装置を前記番組を録画する録画装置として選定するための第１の選定手段と、
前記読出すための手段により読出された識別子が複数である場合、当該識別子により識別される録画装置に関する情報をユーザに表示し、表示した録画装置のいずれかをユーザが選択した場合、当該録画装置を前記番組を録画する録画装置として選定するための第２の選定手段と、
前記第１又は第２の記憶手段により記憶される識別子が無い場合、ユーザにエラー表示を行なうための手段とを含む、請求項１７に記載の録画要求装置。
【請求項１９】
前記番組の録画に関する前記録画要求は、録画予約要求であることを特徴とする、請求項１に記載の録画要求装置。
【請求項２０】
前記番組情報取得手段は、他の装置から受信した電子メール、バーコードから抽出された情報、及びユーザによって入力された番組情報の識別子のいずれかから、番組情報を取得するための手段を含む、請求項１に記載の録画要求装置。
【請求項２１】
少なくとも１つの録画要求装置が接続されるネットワークに接続される録画装置であって、
前記録画要求装置は、特定の番組に関する情報を含む、前記番組に関する検索要求を前記録画装置に送信し、
前記録画装置は、
当該録画装置における録画履歴又は／及び録画予定を含む、録画情報を記憶するための録画情報記憶手段と、
前記録画要求装置から受信した前記検索要求によって特定される前記番組に関する情報と、前記録画情報記憶手段に記憶される前記録画情報とを比較し、比較の結果に応じて当該録画装置が前記番組の録画に適しているか否かを判定するための判定手段と、
前記検索要求を送信した録画要求装置に前記判定手段の判定結果に応じた通知を行なうための通知手段と、
前記録画要求装置から送信された前記番組の録画に関する要求に応答し、前記番組の録画に関する処理を実行するための録画処理実行手段とを含む、録画装置。
【請求項２２】
前記番組に関する情報は、前記番組の放映時間に関する情報を含み、
前記録画装置は、さらに、
前記録画要求装置から受信した前記検索要求に含まれる、前記番組に関する情報と、当該録画装置の稼動状態とを比較し、前記番組の放映時間において、当該録画装置が録画中であるか否かを判定するための第１の判定手段と、
前記第１の判定手段により、前記放映時間において当該録画装置が録画中であると判定された場合、前記放映時間において当該録画装置が録画する番組が、前記番組と同一であるか否かを判定するための第２の判定手段とを含む、請求項２１に記載の録画装置。
【請求項２３】
前記第２の判定手段により、前記放映時間において当該録画装置が録画する番組が、前記番組と同一であると判定された場合、当該録画装置において前記番組の録画を実行する旨を、そうでない場合、当該録画装置が前記放映時間において他の番組を録画中である旨を、検索要求を送信した録画要求装置に通知するための手段をさらに含む、請求項２２に記載の録画装置。
【請求項２４】
前記録画情報は、複数の録画済及び録画予定番組に関する情報を含み、
前記番組に関する情報、及び、前記各録画済及び録画予定番組に関する情報は、それぞれ、所定の属性の値を含み、
前記判定手段は、前記番組に関する情報と、前記録画情報記憶手段に記憶される前記各録画済及び録画予定番組に関する情報とを比較し、前記番組に関する情報に含まれる前記所定の属性の値と、前記各録画済及び録画予定番組に関する情報のいずれかに含まれる前記所定の属性の値とが、所定の類似関係を充足する場合、当該録画装置が前記番組の録画に適していると判定するための第１の判定手段を含む、請求項２１に記載の録画装置。
【請求項２５】
前記録画予定番組は、録画予約された録画予約番組を含み、
前記録画装置は、さらに、前記録画情報記憶手段に記憶される、前記各録画済及び前記各録画予約番組に関する情報に含まれる前記所定の属性の値に基づき、前記所定の属性に関する傾向を算出するための手段を含み、
前記第１の判定手段は、受信した前記検索要求に含まれる前記番組に関する情報と、前記録画情報記憶手段に記憶される前記各録画済及び録画予約番組に関する情報とを比較し、前記番組に関する情報に含まれる前記所定の属性の値と、前記各録画済及び録画予約番組に関する情報のいずれかに含まれる前記所定の属性の値とが、所定の類似関係を充足する場合、前記算出するための手段による前記所定の属性に関する傾向の算出結果にしたがって、当該録画装置が前記番組の録画に適しているか否かを判定するための第２の判定手段を含む、請求項２４に記載の録画装置。
【請求項２６】
前記録画装置は、さらに、
放送信号を受信し、前記放送信号に含まれる番組表情報を処理し、前記番組表情報を記憶するための番組表情報記憶手段と、
前記算出するための手段による算出結果による前記所定の属性に関する傾向の算出結果にしたがって、前記番組表情報記憶手段に記憶される番組表情報にその関連情報が含まれる番組の中から、ユーザに録画を推薦する推薦番組を抽出するための推薦番組抽出手段とを含み、
前記録画予定番組は、録画予約された録画予約番組及び前記推薦番組抽出手段により抽出された推薦番組を含み、
前記第１の判定手段は、さらに、前記推薦番組抽出手段により抽出された推薦番組のうちに前記番組と同一のものがあるか否かを判定し、前記推薦番組のうちに前記番組と同一のものがある場合、当該録画装置が前記番組の録画に適していると判定し、そうでない場合、前記第２の判定手段に処理を実行させるための手段をさらに含む、請求項２５に記載の録画装置。
【請求項２７】
前記通知手段は、前記第１の判定手段により、当該録画装置が前記番組の録画に適していると判定された場合、当該録画装置が前記番組の録画に適している旨を、そうでない場合、当該録画装置が前記番組の録画に適していない旨を、それぞれ、検索要求を送信した録画要求装置に通知するための手段を含む、請求項２４に記載の録画装置。
【請求項２８】
前記所定の属性の値は、単語を含む、請求項２４に記載の録画装置。
【請求項２９】
前記所定の属性の値は、番組のジャンルを示す単語列、キーワードを示す単語列、及び出演者を示す単語列のいずれか、又はそれらの任意の組合せを含む、請求項２４に記載の録画装置。
【請求項３０】
前記所定の属性の値をユーザの操作に応じて変更するための属性変更手段をさらに含む、請求項２４に記載の録画装置。
【請求項３１】
前記所定の類似関係に関する設定をユーザの操作に応じて変更するための類似関係設定変更手段をさらに含む、請求項２４に記載の録画装置。
【請求項３２】
前記録画情報は、複数の録画済及び録画予定番組に関する情報を含み、
前記判定手段は、
受信した前記検索要求によって特定される前記番組に関する情報と、前記各録画済及び録画予定番組に関する情報との類似度を計算するための類似度計算手段と、
前記類似度計算手段により計算された類似度のいずれかが、予め定められたしきい値以上である場合、当該録画装置が前記番組の録画に適していると判定するための第１の判定手段とを含む、請求項２１に記載の録画装置。
【請求項３３】
前記番組に関する情報、及び、前記各録画済及び録画予定番組に関する情報は、文字列を含む、請求項３２に記載の録画装置。
【請求項３４】
前記類似度計算手段による類似度の計算方法、及び前記予め定められたしきい値に関する設定をユーザの操作に応じて変更するための類似度設定変更手段をさらに含む、請求項３２に記載の録画装置。
【請求項３５】
録画装置が接続されるネットワークに接続される録画要求装置であって、
放送信号を受信し、指定されたチャンネルの放送信号に含まれる映像信号及び音声信号を復号して出力する処理、及び、前記放送信号に含まれる番組表情報を処理して出力する処理を行なうための放送信号処理手段と、
前記放送信号処理手段から出力される前記番組表情報を記憶するための番組表情報記憶手段と、
ユーザ指示により、前記放送信号処理手段からの出力を受けて前記映像信号、又は、前記番組表情報記憶手段から読出した番組表情報、若しくはその双方を表示するための表示手段と、
前記ネットワークに接続される録画装置を検出するための録画装置検出手段と、
前記番組表情報記憶手段に記憶される前記番組表情報のうち、特定の番組に関する情報を取得するための手段と、
前記録画装置検出手段により検出される録画装置に、録画情報に関する送信要求を前記ネットワークを介して送信するための録画情報送信要求手段とを含み、
前記録画情報は、当該録画装置における録画履歴及び録画予定を含み、
前記録画要求装置はさらに、
前記取得するための手段により取得された前記番組に関する情報と、前記録画情報送信要求手段からの送信要求に応答して前記録画装置から受信した、前記録画装置の各録画情報とを比較し、比較の結果に応じて前記番組を録画する録画装置を選定するための録画装置選定手段と、
前記録画装置選定手段により選定された録画装置に前記番組の録画に関する録画要求を送信するための録画要求送信手段とを含む、録画要求装置。
【請求項３６】
少なくとも１つの録画要求装置が接続されるネットワークに接続される録画装置であって、
当該録画装置における録画履歴又は／及び録画予定を含む、録画情報を記憶するための録画情報記憶手段と、
前記録画要求装置から送信された録画情報に関する送信要求に応答して、前記録画情報記憶手段に記憶された録画情報を送信するための手段と、
前記録画要求装置から送信された番組の録画に関する要求に応答し、前記番組の録画に関する処理を実行するための録画処理実行手段とを含む、録画装置。
【請求項３７】
ネットワークに接続される、少なくとも１つの録画要求装置、及び、複数の録画装置を含む、システムであって、
前記録画要求装置は、
放送信号を受信し、指定されたチャンネルの放送信号に含まれる映像信号及び音声信号を復号して出力する処理、及び、前記放送信号に含まれる番組表情報を処理して出力する処理を行なうための放送信号処理手段と、
前記放送信号処理手段から出力される番組表情報を記憶するための番組表情報記憶手段と、
ユーザ指示により、前記放送信号処理手段からの出力を受けて前記映像信号、又は、前記番組表情報記憶手段から読出した番組表情報、若しくはその双方を表示するための表示手段と、
前記ネットワークに接続される録画装置を検出するための録画装置検出手段と、
前記番組表情報記憶手段に記憶される前記番組表情報のうち、特定の番組に関する情報を取得し、前記録画装置検出手段に検出される録画装置に前記番組に関する検索要求を前記ネットワークを介して送信するための検索要求送信手段とを含み、
前記検索要求は前記番組に関する情報を含み、
前記録画装置は、
当該録画装置における録画履歴若しくは録画予定又はその両者を含む、録画情報を記憶するための録画情報記憶手段と、
前記録画要求装置から受信した前記検索要求によって特定される前記番組に関する情報と、前記録画情報記憶手段に記憶される前記録画情報とを比較し、比較の結果に応じて当該録画装置が前記番組の録画に適しているか否かを判定するための判定手段と、
前記判定手段の判定結果に応じた通知を、前記検索要求を送信した録画要求装置に送信するための通知手段とを含み、
前記録画要求装置は、さらに、
前記複数の録画装置からの通知に基づき、前記番組を録画する録画装置を選定するための録画装置選定手段と、
前記録画装置選定手段により選定された録画装置に前記番組の録画に関する要求を送信するための録画要求送信手段とを含み、
前記録画装置は、さらに、
前記録画要求装置から送信された前記番組の録画に関する要求に応答し、前記番組の録画に関する処理を実行するための録画処理実行手段とを含む、システム。
【請求項３８】
ネットワークに接続される、少なくとも１つの録画要求装置及び複数の録画装置を含むシステムにおける録画装置選定方法であって、
前記録画要求装置は、
放送信号を受信し、前記放送信号に含まれる番組表情報を処理して前記番組表情報を記憶するための番組表情報記憶手段と、
前記ネットワークに接続される録画装置を検出するための録画装置検出手段と、
前記番組表情報記憶手段に記憶される前記番組表情報のうち、特定の番組に関する情報を取得し、前記録画装置検出手段に検出される録画装置に前記番組に関する検索要求を前記ネットワークを介して送信するための検索要求送信手段とを含み、
前記検索要求は前記番組に関する情報を含み、
前記録画装置は、
当該録画装置における録画履歴若しくは録画予定又はその両者を含む、録画情報を記憶するための録画情報記憶手段と、
前記録画要求装置から受信した前記検索要求によって特定される前記番組に関する情報と、前記録画情報記憶手段に記憶される前記録画情報とを比較し、比較の結果に応じて当該録画装置が前記番組の録画に適しているか否かを判定するための判定手段と、
前記判定手段の判定結果に応じた通知を、検索要求を送信した録画要求装置に送信するための通知手段とを含み、
前記録画要求装置は、さらに、
前記複数の録画装置からの通知に基づき、前記番組を録画する録画装置を選定するための録画装置選定手段と、
前記録画装置選定手段により選定された録画装置に前記番組の録画に関する録画要求を送信するための録画要求送信手段とを含み、
前記録画装置は、さらに、
前記録画要求装置から送信された前記番組の録画に関する要求に応答し、前記番組の録画に関する処理を実行するための録画処理実行手段を含み、
前記録画装置選定方法は、
前記検索要求送信手段が、前記番組表情報記憶手段に記憶される前記番組表情報のうち、特定の番組に関する情報を取得する番組情報取得ステップと、
前記検索要求送信手段が、前記録画装置検出手段が検出する録画装置に前記番組に関する検索要求を前記ネットワークを介して送信する番組情報送信ステップと、
前記録画要求装置から送信された前記検索要求を前記録画装置が受信したことに応答して、前記判定手段が、前記検索要求によって特定される前記番組に関する情報と、前記録画情報記憶手段が記憶する録画情報とを比較し、比較の結果に応じて、当該録画装置が、前記番組の録画に適しているか否かを判定する判定ステップと、
前記通知手段が、前記判定ステップの判定結果に応じた通知を、前記検索要求を送信した録画要求装置に送信する通知ステップと、
前記録画装置選定手段が、前記通知ステップにおける前記複数の録画装置からの通知に基づき、前記番組を録画する録画装置を選定する録画装置選定ステップと、
前記録画処理要求送信手段が、前記録画装置選定ステップにより選定された録画装置に前記番組の録画に関する要求を送信する録画処理要求送信ステップと、
前記録画処理実行手段が、前記録画処理要求送信ステップにおいて前記録画要求装置から送信された前記番組の録画に関する要求に応答して、前記番組の録画に関する処理を実行するステップとを含む、録画装置選定方法。
【請求項３９】
録画装置が接続されるネットワークに接続される録画要求装置であって、
放送信号を受信し、前記放送信号に含まれる番組表情報を処理し、前記番組表情報を記憶するための番組表情報記憶手段と、
前記ネットワークを介して前記録画装置と通信を行なうための通信手段と、
前記番組表情報記憶手段に記憶される番組表情報を読出し可能で、かつ、前記通信手段を制御可能なように設けられたコンピュータとを含む、録画要求装置において、前記コンピュータにより実行されることにより、特定の番組の録画に適した録画装置を選定するためのコンピュータプログラムであって、
前記コンピュータプログラムは、前記コンピュータを、
前記通信手段により前記録画装置を検出するための録画装置検出手段と、
前記番組表情報記憶手段により記憶された番組表情報のうち、前記番組に関する情報を取得するための番組情報取得手段と、
前記録画装置検出手段により検出された録画装置に、前記番組に関する情報を含む、前記番組に関する検索要求を前記通信手段を制御して送信するための検索要求送信手段と、
前記検索要求送信手段からの前記検索要求に応答して、前記録画装置から送信され、前記通信手段が受信した通知に基づき、前記番組を録画する録画装置を選定するための録画装置選定手段と、
前記録画装置選定手段により選定された録画装置に前記番組の録画に関する録画要求を前記通信手段を制御して送信するための録画要求送信手段として機能させる、コンピュータプログラム。
【請求項４０】
少なくとも１つの録画要求装置が接続されるネットワークに接続される録画装置であって、
前記録画要求装置は、特定の番組に関する情報を含む、前記番組に関する検索要求を前記録画装置に送信し、
前記録画装置は、
当該録画装置における録画履歴若しくは録画予定又はその両者を含む、録画情報を記憶するための録画情報記憶手段と、
前記録画要求装置と前記ネットワークを介して通信を行なうための通信手段と、
番組の録画に関する処理を実行するための録画処理実行手段と、
前記録画情報記憶手段に記憶される録画情報を読出し可能で、かつ、前記通信手段及び前記録画処理実行手段を制御可能なように設けられたコンピュータとを含む、録画装置において、前記コンピュータにより実行されることにより、前記番組の録画に関する処理を行なうためのコンピュータプログラムであって、
前記コンピュータプログラムは、前記コンピュータを、
前記通信手段が前記録画要求装置から前記検索要求を受信したことに応答して、前記検索要求によって特定される前記番組に関する情報と、前記録画情報記憶手段に記憶される録画情報とを比較し、比較の結果に応じて当該録画装置が前記番組の録画に適しているか否かを判定するための判定手段と、
前記通信手段を制御して、前記判定手段の判定結果に応じた通知を前記検索要求を送信した録画要求装置に送信するための通知手段と、
前記通信手段が、前記録画要求装置から送信された前記番組の録画に関する要求を受信したことに応答し、前記録画処理実行手段を制御して前記番組の録画に関する処理を実行するための手段として機能させる、コンピュータプログラム。
【国際調査報告】
2009107560.tif 000025
2009107560.tif 000026
2009107560.tif 000027
2009107560.tif 000028